(57)【要約】【課題】体に装着して使用する利便性の高い電子機器を提供する。【解決手段】表示パネル、蓄電装置、回路、及び封止体を有する腕装着型電子機器である。表示パネルは、蓄電装置から供給される電力を用いて表示を行う。回路は、アンテナを有し、無線で蓄電装置を充電する。封止体は、内部に、表示パネル、蓄電装置、及び回路を有する。封止体は、可視光を透過する部分を有する。封止体は、腕に装着可能であるか、腕に装着可能な構造体に接続されている。【選択図】図１
2017032975.tif 000002
【特許請求の範囲】
【請求項１】
表示パネル、蓄電装置、回路、及び封止体を有し、
前記表示パネルは、発光素子を有し、
前記発光素子は、前記蓄電装置から供給される電力を用いて発光することができる機能を有し、
前記回路は、アンテナを有し、
前記回路は、無線で前記蓄電装置を充電することができる機能を有し、
前記封止体は、内部に、前記表示パネル、前記蓄電装置、及び前記回路を有し、
前記封止体の少なくとも一部は、前記発光素子が発する光を透過することができる機能を有し、
前記封止体は、腕に装着可能である、電子機器。
【請求項２】
請求項１において、
前記封止体を腕に装着した際、前記腕側から、前記蓄電装置、前記アンテナ、及び前記表示パネルをこの順で積層して有する、電子機器。
【請求項３】
表示パネル、蓄電装置、回路、封止体、及び構造体を有し、
前記表示パネルは、発光素子を有し、
前記発光素子は、前記蓄電装置から供給される電力を用いて発光することができる機能を有し、
前記回路は、アンテナを有し、
前記回路は、無線で前記蓄電装置を充電することができる機能を有し、
前記封止体は、前記構造体と接続され、
前記封止体は、内部に、前記表示パネル、前記蓄電装置、及び前記回路を有し、
前記封止体の少なくとも一部は、前記発光素子が発する光を透過することができる機能を有し、
前記構造体は、腕に装着可能である、電子機器。
【請求項４】
請求項３において、
前記構造体を腕に装着した際、前記腕側から、前記蓄電装置、前記アンテナ、及び前記表示パネルをこの順で積層して有する、電子機器。
【請求項５】
請求項１乃至４のいずれか一項において、
音声入力部を有する、電子機器。
【請求項６】
請求項１乃至５のいずれか一項において、
タッチセンサを有する、電子機器。
【請求項７】
請求項１乃至６のいずれか一項において、
腕に前記電子機器を装着するための部材を有する、電子機器。
【請求項８】
請求項１乃至７のいずれか一項において、
前記表示パネルは、曲率半径が１ｍｍ以上１５０ｍｍ以下の曲面を有し、
前記蓄電装置は、曲率半径が１０ｍｍ以上１５０ｍｍ以下の曲面を有する、電子機器。
【請求項９】
請求項１乃至８のいずれか一項において、
前記表示パネルは、可撓性を有する部分を含む、電子機器。
【請求項１０】
請求項１乃至９のいずれか一項において、
前記蓄電装置は、可撓性を有する部分を含む、電子機器。
【請求項１１】
請求項１乃至１０のいずれか一項において、
前記封止体の内部は、減圧雰囲気である、電子機器。
【請求項１２】
請求項１乃至１０のいずれか一項において、
前記封止体の内部に、浮力材を有する、電子機器。
【発明の詳細な説明】
【技術分野】
【０００１】
本発明の一態様は、電子機器に関する。本発明の一態様は、特に、装着型電子機器に関し、例えば、腕装着型電子機器に関する。
【０００２】
なお、本発明の一態様は、上記の技術分野に限定されない。本発明の一態様の技術分野としては、半導体装置、表示装置、発光装置、蓄電装置、記憶装置、電子機器、照明装置、入力装置（例えば、タッチセンサなど）、入出力装置（例えば、タッチパネルなど）、それらの駆動方法、又は、それらの製造方法を一例として挙げることができる。
【０００３】
本明細書等において、電子機器とは、電力を供給することで動作する装置全般を指し、電源（例えば蓄電装置）を有する電気光学装置、情報端末装置などは全て電子機器である。
【０００４】
本明細書等において、蓄電装置とは、蓄電機能を有する素子及び装置全般を指し、リチウムイオン二次電池などの蓄電池（二次電池ともいう）、リチウムイオンキャパシタ、及び電気二重層キャパシタなどは全て蓄電装置である。
【背景技術】
【０００５】
近年、人体に装着して使用される表示装置及び電子機器が提案され、ウェアラブルディスプレイ、ウェアラブルデバイス等と呼ばれている。例えば、頭に装着するヘッドマウントディスプレイ、及び腕に装着するスマートウォッチの開発が進められている。
【０００６】
特許文献１には、人体に装着して使用可能な、環状の表示装置が開示されている。
【０００７】
ウェアラブルデバイスは人体に装着して使用されることから、高い携帯性及び快適な装着感を実現するため、表示パネル、駆動回路、及び電源を含めたデバイス全体の軽量化が求められる。
【０００８】
ウェアラブルデバイスには、蓄電装置が搭載されることが多い。例えば、リチウムイオン二次電池は、高容量化及び小型化が図れるため、開発が盛んに行われている。
【０００９】
また、エレクトロルミネッセンス（ＥＬ：Ｅｌｅｃｔｒｏｌｕｍｉｎｅｓｃｅｎｃｅ）を利用した発光素子（ＥＬ素子とも記す）は、薄型軽量化及びフレキシブル化が容易である、入力信号に対し高速に応答可能である、直流低電圧電源を用いて駆動可能である等の特徴を有し、ウェアラブルディスプレイに好適な表示素子の一つである。
【先行技術文献】
【特許文献】
【００１０】
【特許文献１】米国特許出願公開第２０１５／００７７４３８号明細書
【発明の概要】
【発明が解決しようとする課題】
【００１１】
水泳、スキューバダイビングなどのウォータースポーツ（マリンスポーツを含む）、又は入浴の際に使用可能なウェアラブルデバイスが求められている。
【００１２】
また、ウェアラブルデバイスの使用環境は様々であるため、使用できる温度範囲が広い表示パネル及び蓄電装置が求められている。例えば、自動車のダッシュボードもしくは窓際などの直射日光の当たる場所、炎天下に駐車した車内、砂漠などの高温環境下、又は、氷河があるような寒冷地などの低温環境下では、電子機器が正常に動作しなくなることがある。
【００１３】
本発明の一態様は、水中で使用可能な電子機器を提供することを目的の一とする。または、本発明の一態様は、防水性の高い電子機器を提供することを目的の一とする。または、本発明の一態様は、体に装着して使用する電子機器を提供することを目的の一とする。または、本発明の一態様は、全天候型の電子機器を提供することを目的の一とする。または、本発明の一態様は、利便性の高い電子機器を提供することを目的の一とする。または、本発明の一態様は、信頼性の高い電子機器を提供することを目的の一とする。または、本発明の一態様は、周囲の明るさによらず、視認性の高い電子機器を提供することを目的の一とする。
【００１４】
または、本発明の一態様は、使用できる温度範囲が広い電子機器を提供することを目的の一とする。または、本発明の一態様は、小型である、軽量である、又は可撓性を有する電子機器を提供することを目的の一とする。または、本発明の一態様は、安全性の高い電子機器を提供することを目的の一とする。または、本発明の一態様は、消費電力の低い電子機器を提供することを目的の一とする。または、本発明の一態様は、１回の充電により長時間の使用が可能な電子機器を提供することを目的の一とする。または、本発明の一態様は、新規な電子機器を提供することを目的の一とする。
【００１５】
なお、これらの課題の記載は、他の課題の存在を妨げるものではない。なお、本発明の一態様は、これらの課題の全てを解決する必要はないものとする。なお、明細書、図面、請求項の記載から、これら以外の課題を抽出することが可能である。
【課題を解決するための手段】
【００１６】
本発明の一態様は、表示パネル、蓄電装置、回路、及び封止体を有する電子機器である。表示パネルは、発光素子を有する。発光素子は、蓄電装置から供給される電力を用いて発光する機能を有する。回路は、アンテナを有する。回路は、無線で蓄電装置を充電する機能を有する。封止体は、内部に、表示パネル、蓄電装置、及び回路を有する。封止体の少なくとも一部は、発光素子が発する光を透過する機能を有する。封止体は、腕に装着可能である。
【００１７】
上記の電子機器は、使用者が封止体を腕に装着した際、腕側から、蓄電装置、アンテナ、及び表示パネルをこの順で積層して有していてもよい。
【００１８】
または、本発明の一態様は、表示パネル、蓄電装置、回路、封止体、及び構造体を有する電子機器である。表示パネルは、発光素子を有する。発光素子は、蓄電装置から供給される電力を用いて発光する機能を有する。回路は、アンテナを有する。回路は、無線で蓄電装置を充電する機能を有する。封止体は、構造体と接続される。封止体は、内部に、表示パネル、蓄電装置、及び回路を有する。封止体の少なくとも一部は、発光素子が発する光を透過する機能を有する。構造体は、腕に装着可能である。
【００１９】
上記の電子機器は、使用者が構造体を腕に装着した際、腕側から、蓄電装置、アンテナ、及び表示パネルをこの順で積層していてもよい。
【００２０】
または、本発明の一態様は、表示パネル、蓄電装置、回路、及び封止体を有する電子機器である。表示パネルは、蓄電装置から供給される電力を用いて表示を行う機能を有する。回路は、アンテナを有する。回路は、無線で蓄電装置を充電する機能を有する。封止体は、内部に、表示パネル、蓄電装置、及び回路を有する。封止体の少なくとも一部は、可視光を透過する機能を有する。表示パネルは、第１の表示素子及び第２の表示素子を有する。第１の表示素子は、光を反射する機能を有する反射層を有する。第１の表示素子は、光の透過を制御する機能を有する。反射層は、開口部を有する。第２の表示素子は、開口部と重なる部分を有する。第２の表示素子は、開口部に向けて光を射出する機能を有する。開口部は、反射層の面積の５％以上２０％以下の面積を有することが好ましい。
【００２１】
上記の電子機器において、表示パネルは、さらに、信号線、画素回路、第１の導電層、第２の導電層、及び絶縁層を有することが好ましい。第２の表示素子は、画素回路と電気的に接続される。第１の表示素子は、第１の導電層と電気的に接続される。第１の導電層は、絶縁層を介して第２の導電層と重なる部分を有する。第１の導電層は、第２の導電層と電気的に接続される。第２の導電層は、画素回路と電気的に接続される。画素回路は、信号線と電気的に接続される。
【００２２】
または、本発明の一態様は、表示パネル、蓄電装置、回路、及び封止体を有する電子機器である。表示パネルは、蓄電装置から供給される電力を用いて表示を行う機能を有する。回路は、アンテナを有する。回路は、無線で蓄電装置を充電する機能を有する。封止体は、内部に、表示パネル、蓄電装置、及び回路を有する。封止体の少なくとも一部は、可視光を透過する機能を有する。表示パネルは、液晶素子及び発光素子を有する。液晶素子は、液晶層、第１の導電層、及び第２の導電層を有する。第１の導電層は、光を反射する機能を有する。第１の導電層は、開口部を有する。発光素子は、発光性の物質を含む層、第３の導電層、及び第４の導電層を有する。発光素子は、開口部と重なる部分を有する。発光素子は、開口部に向けて光を射出する機能を有する。開口部は、第１の導電層の面積の５％以上２０％以下の面積を有することが好ましい。
【００２３】
上記の電子機器において、表示パネルは、さらに、信号線、画素回路、第５の導電層、第６の導電層、及び絶縁層を有することが好ましい。発光素子は、画素回路と電気的に接続される。液晶素子は、第５の導電層と電気的に接続される。第５の導電層は、絶縁層を介して第６の導電層と重なる部分を有する。第５の導電層は、第６の導電層と電気的に接続される。第６の導電層は、画素回路と電気的に接続される。画素回路は、信号線と電気的に接続される。
【００２４】
上記各構成の電子機器において、封止体は、腕に装着可能であることが好ましい。使用者が封止体を腕に装着した際、本発明の一態様の電子機器は、腕側から、蓄電装置、アンテナ、及び表示パネルをこの順で積層して有していてもよい。
【００２５】
または、上記各構成の電子機器において、構造体を有することが好ましい。封止体は、構造体と接続される。構造体は、腕に装着可能である。使用者が構造体を腕に装着した際、本発明の一態様の電子機器は、腕側から、蓄電装置、アンテナ、及び表示パネルをこの順で積層して有していてもよい。
【００２６】
さらに、上記各構成において、音声入力部、タッチセンサ、照度センサ、又は腕に装着するための部材のいずれか一つ又は複数を有していてもよい。音声入力部又はタッチセンサは、封止体の内部又は外部に配置することができる。音声入力部、タッチセンサ、及び照度センサは、それぞれ、封止体の内部に配置されることが好ましい。音声入力部、タッチセンサ、及び照度センサは、それぞれ、表示パネル、蓄電装置、又は回路等と接続されていてもよい。または、表示パネルが、タッチセンサを有していてもよい。腕に装着するための部材は、封止体又は構造体と接続される。
【００２７】
また、上記各構成において、表示パネルは、曲率半径が１ｍｍ以上１５０ｍｍ以下の曲面を有していてもよい。また、上記各構成において、表示パネルは、曲率半径が１５０ｍｍより大きい曲面を有していてもよい。例えば、表示パネルは、曲率半径が１５０ｍｍより大きく１ｍ未満の曲面、又は曲率半径が１ｍ以上１０ｍ以下の曲面を有していてもよい。表示パネルが有する曲面は、凹曲面もしくは凸曲面、又は、凹曲面及び凸曲面の双方、のいずれであってもよい。また、上記各構成において、表示パネルは、可撓性を有する部分を有していてもよい。
【００２８】
また、上記各構成において、蓄電装置は、曲率半径が１０ｍｍ以上１５０ｍｍ以下の曲面を有していてもよい。また、上記各構成において、蓄電装置は、可撓性を有する部分を有していてもよい。
【００２９】
また、上記各構成において、封止体の内部は、減圧雰囲気であることが好ましい。または、上記各構成において、封止体の内部に、浮力材を有することが好ましい。
【発明の効果】
【００３０】
本発明の一態様により、水中で使用可能な電子機器を提供できる。または、本発明の一態様により、防水性の高い電子機器を提供できる。または、本発明の一態様により、体に装着して使用する電子機器を提供できる。または、本発明の一態様により、全天候型の電子機器を提供できる。または、本発明の一態様により、利便性の高い電子機器を提供できる。または、本発明の一態様により、信頼性の高い電子機器を提供できる。または、本発明の一態様により、周囲の明るさによらず、視認性の高い電子機器を提供できる。
【００３１】
または、本発明の一態様により、使用できる温度範囲が広い電子機器を提供できる。または、本発明の一態様により、小型である、軽量である、又は可撓性を有する電子機器を提供できる。または、本発明の一態様により、耐熱性の高い電子機器を提供できる。または、本発明の一態様により、安全性の高い電子機器を提供できる。または、本発明の一態様により、消費電力の低い電子機器を提供できる。または、本発明の一態様により、１回の充電により長時間の使用が可能な電子機器を提供できる。または、本発明の一態様により、新規な電子機器を提供できる。
【００３２】
なお、これらの効果の記載は、他の効果の存在を妨げるものではない。なお、本発明の一態様は、必ずしも、これらの効果の全てを有する必要はない。なお、明細書、図面、請求項の記載から、これら以外の効果を抽出することが可能である。
【図面の簡単な説明】
【００３３】
【図１】電子機器の一例を示す図。
【図２】電子機器の一例を示す図。
【図３】電子機器の一例を示す図。
【図４】電子機器の一例を示す図。
【図５】電子機器の一例を示す図。
【図６】電子機器の構成要素の一例を示す図。
【図７】電子機器の構成要素の一例を示す図。
【図８】電子機器の構成要素の一例を示す図。
【図９】電子機器の一例を示す図。
【図１０】電子機器の一例を示す図。
【図１１】電子機器の装着例を示す図。
【図１２】蓄電装置の一例及び電極の一例を示す図。
【図１３】蓄電装置の一例を示す図。
【図１４】蓄電装置の一例を示す図。
【図１５】蓄電装置の一例を示す図。
【図１６】蓄電装置の一例を示す図。
【図１７】蓄電装置の一例を示す図。
【図１８】蓄電装置の一例を示す図。
【図１９】蓄電装置の作製方法の一例を示す図。
【図２０】蓄電装置の一例を示す図。
【図２１】蓄電装置の一例を示す図。
【図２２】蓄電装置の作製方法の一例を示す図。
【図２３】蓄電装置の一例を示す図。
【図２４】発光装置の一例を示す図。
【図２５】発光装置の一例を示す図。
【図２６】発光装置の一例を示す図。
【図２７】発光装置の一例を示す図。
【図２８】入出力装置の一例を示す図。
【図２９】入出力装置の一例を示す図。
【図３０】入出力装置の一例を示す図。
【図３１】入出力装置の一例を示す図。
【図３２】電子機器の構成要素の一例を示す図。
【図３３】電子機器の構成要素の一例を示す図。
【図３４】トランジスタの一例を示す図。
【図３５】電子機器の一例を示す図。
【図３６】電子機器の一例を示す図。
【図３７】電子機器の一例を示す図。
【図３８】電子機器の一例を示す図。
【図３９】電子機器の一例を示す図。
【図４０】電子機器の構成要素の一例を示す図。
【図４１】表示装置の画素回路の一例を示す図。
【図４２】表示装置の一例を示す図。
【図４３】表示装置の一例を示す図。
【図４４】表示装置の一例を示す図。
【図４５】電子機器の構成要素の一例を示す図。
【発明を実施するための形態】
【００３４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３５】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３６】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００３７】
なお、「膜」という言葉と、「層」という言葉とは、場合によっては、又は、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００３８】
（実施の形態１）
本実施の形態では、本発明の一態様の電子機器について図１〜図１１を用いて説明する。
【００３９】
本実施の形態では、主に、腕装着型電子機器及び腕時計型電子機器を例に挙げて説明するが、本発明の一態様の電子機器の使用方法は特に限定されない。例えば、何にも装着せずに使用してもよいし、腕以外（腰、足など）に装着して使用してもよい。
【００４０】
本発明の一態様は、表示パネル、蓄電装置、回路、及び封止体を有する電子機器である。表示パネルは、発光素子を有する。発光素子は、蓄電装置から供給される電力を用いて発光する機能を有する。回路は、アンテナを有し、かつ、無線で蓄電装置を充電する機能を有する。封止体は、内部に、表示パネル、蓄電装置、及び回路を有する。封止体の少なくとも一部は、発光素子が発する光を透過する機能を有する。本発明の一態様の電子機器では、封止体を腕に装着可能であってもよいし、封止体に接続された構造体を腕に装着可能であってもよい。
【００４１】
封止体を用いることで、被封止体である表示パネル、蓄電装置、及び回路等を保護することができ、丈夫な電子機器を実現できる。また、防水性の高い封止体を用いることで、防水性が高く、水中での使用が可能な電子機器を実現できる。
【００４２】
なお、本明細書等において、本発明の一態様の電子機器の構成要素のうち、封止体の内部に位置し、封止体によって封止されている構成要素を、まとめて被封止体とも記す。
【００４３】
本発明の一態様の電子機器の作製において、表示パネルと蓄電装置をまとめて封止体によって覆い、封止することができる。そのため、簡便に信頼性の高い電子機器を作製することができる。そして、封止体を、帯状など人体に装着しやすい形状とすることで、封止体自体を人体に装着し、ウェアラブルデバイスとして利用することができる。
【００４４】
本発明の一態様の電子機器は、非接触電力伝送を用いて、蓄電装置を充電することができる。そのため、充電の際に、封止体から蓄電装置を取り出す必要がない。したがって、被封止体全体を完全に封止体で覆うことができ、電子機器の防水性をより高めることができる。
【００４５】
なお、本発明の一態様において、被封止体の構成要素の一種以上が可撓性を有していてもよい。例えば、表示パネルもしくは蓄電装置が可撓性を有していてもよいし、表示パネル及び蓄電装置の双方が可撓性を有していてもよい。
【００４６】
封止体は可撓性を有するため、表示パネル及び蓄電装置のうち少なくとも一方が可撓性を有する場合に、これらの可撓性を損なうことなく、これらを保護することができる。このように、本発明の一態様を適用することで、信頼性及び安全性が高く、可撓性を有する電子機器を実現することができる。電子機器が可撓性を有すると、電子機器の着脱が容易となる、使用者が快適な装着感を得られるなどの効果が得られ、好ましい。
【００４７】
本実施の形態の電子機器では、被封止体全体が、可撓性を有する封止体によって覆われている。被封止体を、可撓性を有する封止体で覆うことにより、屈曲と伸長が繰り返し行われても破損しにくい電子機器を実現することができる。
【００４８】
また、耐熱性の高い封止体を用いることで、高温下でも、表示パネルを駆動することができる。また、高温下でも、電子機器を可逆的に曲げることができる。このとき、耐熱性の高い発光素子及び蓄電装置を用いると、さらに好ましい。
【００４９】
次に、本実施の形態の電子機器を具体的に説明する。
【００５０】
図１（Ａ）に、電子機器１００の斜視図を示す。また、図１（Ｂ）に、電子機器１００の上面図を示し、図１（Ｂ）における一点鎖線Ａ−Ｂ間の断面図を図１（Ｃ）に示し、一点鎖線Ｃ−Ｄ間の断面図を図１（Ｆ）に示す。
【００５１】
電子機器１００は、表示パネル１０、蓄電装置２０、回路３０、及び封止体４０を有する。図１（Ａ）等では、表示パネル１０の表示を使用者が視認できる部分を、電子機器１００の表示部１５として記す。
【００５２】
＜表示部１５＞
電子機器１００は、表示部１５を有する。図１（Ａ）において、表示部１５は、曲面を有する。なお、本実施の形態では、表示パネル１０が発光素子を有する例を示す。そして、図１（Ｃ）等では、該発光素子の発光が取り出される方向を矢印で示す。
【００５３】
表示部１５は可撓性を有していてもよい。つまり、表示部１５を変形させて、表示部１５の曲率を図１（Ａ）に示す状態から変えることができてもよい。また、図１（Ａ）に示すような曲面を有する状態から、図１（Ｂ）に示すような平坦な状態に、表示部１５を変形できてもよい。なお、可撓性を有する表示部１５は、平坦な状態にまで変形できなくてもよい。
【００５４】
また、表示部１５は可撓性を有していなくてもよい。可撓性を有さない表示部１５は平坦であってもよいし、曲面を有してもよい。
【００５５】
表示パネルの可撓性が、封止体の可撓性に比べて低い場合、本発明の一態様の電子機器を腕などに装着する際に、表示部１５の曲率半径はほとんど変化せず、該電子機器の端部が撓む形状とすることが好ましい。
【００５６】
＜封止体４０＞
電子機器１００は、封止体４０を有する。図１（Ａ）において、封止体４０は、曲面を有する。
【００５７】
封止体４０は、腕に装着可能な、帯状の部分を有する。帯状の部分は、電子機器１００のバンドとして機能することができる。
【００５８】
封止体４０は可撓性を有する。つまり、封止体４０を変形させて、封止体４０の曲率を図１（Ａ）に示す状態から変えることができる。封止体４０の曲率は、図１（Ａ）に示す状態より大きくできてもよいし、小さくできてもよいし、どちらも可能であってもよい。また、図１（Ａ）に示すような曲面を有する状態から、図１（Ｂ）に示すような平坦な状態に、封止体４０を変形できてもよい。なお、可撓性を有する封止体４０は、平坦な状態にまで変形できなくてもよい。
【００５９】
封止体４０は、フィルムを有することが好ましい。フィルムは、表面保護特性、形状維持特性、光学特性、及びガスバリア特性から選ばれる一つ以上の特性を有する。フィルムは、無機膜又は有機膜の一方又は双方を有する。封止体４０は、単層構造であっても、積層構造であってもよい。
【００６０】
封止体４０は、内部に、表示パネル１０、蓄電装置２０、回路３０等を被封止体として有する。被封止体は封止体４０により封止され、電子機器１００の外部の大気から隔離される。
【００６１】
例えば、１つのフィルムを折り曲げた間に被封止体を配置する、又は一対のフィルムの間に被封止体を配置して、１つもしくは一対のフィルムをラミネート加工（パウチ加工など）することで、被封止体を封止してもよい。
【００６２】
または、接着剤を用いて１つもしくは一対のフィルムを貼り合わせ、被封止体を封止してもよい。接着剤としては、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。
【００６３】
なお、被封止体の形状に沿った凹凸が電子機器１００の表面に生じると表示の視認性が低下する場合がある。そこで、被封止体をプラスチックケース等のケースに入れ、該ケースを封止体４０で封止すると、電子機器１００の表面を平らにでき、好ましい。
【００６４】
封止体４０にフィルムを用いることで、封止体４０の可撓性を高めることができる。
【００６５】
封止体４０の材料は、使用環境の温度に耐えられる材料であれば、特に限定されない。封止体４０は、例えば、ガラス、有機樹脂、ゴム、プラスチック、金属等の各種材料を用いて形成できる。
【００６６】
例えば、封止体４０には、可撓性及び可視光に対する透過性を有する、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂、アラミド樹脂等を用いることができる。
【００６７】
封止体４０は、防水性が高いことが好ましい。具体的には、封止体４０に防水性の高い材料を用いるか、封止体４０の表面に防水加工を施すことが好ましい。これにより、表示パネル１０等に、電子機器１００の外部の水分が侵入することを抑制し、電子機器１００の信頼性を高めることができる。また、封止体４０の防水性を高めることで、電子機器１００を水中で用いることができる。
【００６８】
封止体４０は、少なくとも表示部１５において、可視光を透過することができる。使用者は、封止体４０を介して、表示パネル１０における表示を視認することができる。さらに、蓄電装置２０及び回路３０を視認することができてもよい。
【００６９】
本発明の一態様において、封止体４０は、表示部１５以外は、可視光を透過しなくてもよい。例えば、表示部１５以外の部分は可視光を遮る構成とし、使用者に、蓄電装置２０及び回路３０のうち少なくとも一方を視認されないようにしてもよい。
【００７０】
電子機器１００では、表示パネル１０、蓄電装置２０、及び回路３０が積層されている。これらの積層順は、表示パネル１０の表示を使用者が視認できれば、特に限定されない。また、これらは積層されていなくてもよく、同一平面上に、表示パネル１０、蓄電装置２０、及び回路３０のいずれか２以上が配置されていてもよい。
【００７１】
例えば、図１（Ｆ）等に示すように、電子機器１００は、蓄電装置２０上に回路３０を有し、回路３０上に表示パネル１０を有していてもよい。封止体４０を腕に装着した際、腕に近い方から、蓄電装置２０、回路３０、及び表示パネル１０が順に積層された構成であると、表示パネル１０における表示を使用者が視認できる。または、腕に近い方から、回路３０、蓄電装置２０、及び表示パネル１０が順に積層された構成としてもよい。
【００７２】
封止体４０によって封止された空間は、減圧雰囲気又は不活性雰囲気であることが好ましい。これらの雰囲気とすることで、該空間が大気雰囲気である場合に比べて、表示パネル１０等の信頼性を高めることができる。
【００７３】
図１（Ｄ）、（Ｅ）は、それぞれ、図１（Ｃ）とは異なる、図１（Ｂ）における一点鎖線Ａ−Ｂ間の断面図である。また、図１（Ｇ）は、図１（Ｆ）とは異なる、図１（Ｂ）における一点鎖線Ｃ−Ｄ間の断面図である。
【００７４】
図１（Ｃ）、（Ｆ）では、電子機器１００の表（表示面）側の封止体４０が、被封止体の側面を覆い、電子機器１００の裏側の面が平坦な例を示すが、これに限定されない。図１（Ｄ）、（Ｇ）に示すように、電子機器１００の表（表示面）側の封止体４０と裏側の封止体４０の双方が、被封止体の側面を覆い、電子機器１００が、表裏ともに他の部分（バンド部など）よりも突出した部分を有していてもよい。また、図１（Ｅ）に示すように、電子機器１００の裏側の封止体４０が、被封止体の側面を覆い、電子機器１００の表（表示面）側の面が平坦であってもよい。また、図１（Ｃ）に示すように、電子機器１００の表示部１５を含む部分が他の部分（バンド部など）よりも突出していてもよい。また、図１（Ｅ）に示すように、電子機器１００の裏側に、他の部分（バンド部など）よりも突出している部分を有していてもよい。
【００７５】
図２〜図５に電子機器１００とは異なる電子機器を示す。
【００７６】
図２（Ａ）に電子機器１００ａの斜視図を示す。また、図３（Ａ）に、電子機器１００ａの上面図を示し、図３（Ａ）における一点鎖線Ｅ−Ｆ間の断面図を図３（Ｂ）に示し、一点鎖線Ｇ−Ｈ間の断面図を図３（Ｆ）に示す。
【００７７】
電子機器１００ａは、表示部１５を有する。また、電子機器１００ａは、封止体４０を有する。また、電子機器１００ａは、封止体４０の内部に、表示パネル１０、蓄電装置２０、及び回路３０を有する。
【００７８】
電子機器１００ａでは、表示パネル１０が蓄電装置２０と重なり、回路３０が蓄電装置２０と重なり、かつ、表示パネル１０と回路３０が重ならない。このように、封止体４０のバンドとして機能する部分にも、被封止体が位置していてもよい。例えば、可撓性を有する蓄電装置２０を用いる場合は、封止体４０の内部の広い領域に蓄電装置２０を配置することができ、１回の充電により長時間の使用が可能な電子機器を実現できる。
【００７９】
封止体４０の内部には、浮力材を有していてもよい。浮力材としては、例えば、固形浮力材又は気体封入式浮力材を用いることができる。浮力材として、高分子材料（樹脂など）、又は気体（炭酸ガスなど）を含んでいてもよい。浮力材として、ポリエチレン、ポリプロピレン、又はスチロール等を発泡させた発泡樹脂を用いてもよい。
【００８０】
浮力材を用い、本発明の一態様の電子機器を水中で浮きやすくすることで、水中で該電子機器を紛失した際に、発見が容易となる。
【００８１】
また、封止体４０の内部に、ゴム弾性を有する部材を有していてもよい。ゴム弾性を有する部材は、変形時に生じる内部応力が分散しやすい。よって、本発明の一態様の電子機器を曲げた際に、曲げた部分に局所的にかかる応力を緩和し、該電子機器の破損を防ぐことができる。また、外部からの物理的な圧迫又は衝撃を分散する緩衝材としても機能できる。
【００８２】
なお、ゴム弾性とは、外力が加わったときにエネルギーを吸収し、元に戻るためのエネルギーとして蓄えることができる弾性のことを指す。ゴム弾性を有する部材は、可逆的な変形が可能である。
【００８３】
図３（Ｃ）〜（Ｅ）は、それぞれ、図３（Ｂ）とは異なる、図３（Ａ）における一点鎖線Ｅ−Ｆ間の断面図である。
【００８４】
例えば、図３（Ｂ）、（Ｃ）、（Ｄ）、（Ｆ）に示す空間４２に、浮力材又はゴム弾性を有する部材を有することが好ましい。
【００８５】
図３（Ｂ）に示すように、表示パネル１０と蓄電装置２０、又は回路３０と蓄電装置２０はそれぞれ接していてもよい。また、図３（Ｃ）に示すように、表示パネル１０と蓄電装置２０は接していなくてもよい。同様に、回路３０と蓄電装置２０は接していなくてもよい。また、表示パネル１０、蓄電装置２０、及び回路３０は、それぞれ封止体４０と接していてもよい。図３（Ｂ）、（Ｃ）では、蓄電装置２０と封止体４０が接している例を示す。図３（Ｃ）では、表示パネル１０と封止体４０が接している例を示す。また、図３（Ｄ）に示すように、封止体４０と被封止体が接していなくてもよい。なお、表示パネル１０、蓄電装置２０、回路３０、及び封止体４０のいずれか２以上が、互いに接する部分を有する場合、接着剤等により固定されていてもよいし、相対的に移動可能に接していてもよい。
【００８６】
また、図３（Ｅ）に示すように、封止体４０の内部が十分に減圧されていてもよい。これにより、表示パネル１０、蓄電装置２０、及び回路３０等が不純物等によって劣化することを抑制できる。また、電子機器の薄型化及び軽量化を図ることができる。
【００８７】
図３（Ｂ）、（Ｆ）では、電子機器１００ａの表（表示面）側の封止体４０が、被封止体の側面を覆い、電子機器１００ａの裏側の面が平坦な例を示すが、これに限定されない。図３（Ｄ）に示すように、電子機器１００ａの表（表示面）側の封止体４０と裏側の封止体４０の双方が、被封止体の側面を覆い、電子機器１００ａが、表裏ともに他の部分（バンド部など）よりも突出した部分を有していてもよい。
【００８８】
また、本発明の一態様の電子機器が有する表示パネル１０、蓄電装置２０、及び回路３０の数はそれぞれ１つに限られず、それぞれ独立に２つ以上であってもよい。また、本発明の一態様の電子機器が有する表示部１５の数も、１つに限られず、２つ以上であってもよい。
【００８９】
図２（Ｂ）に、３つの表示部（表示部１５ａ、表示部１５ｂ、及び表示部１５ｃ）を有する電子機器１００ｂの斜視図を示す。
【００９０】
電子機器１００ｂの３つの表示部は、３つの表示部を有する１つの表示パネル１０によって構成されていてもよいし、それぞれ１つの表示部を有する３つの表示パネル１０によって構成されていてもよい。
【００９１】
電子機器が複数の表示部を有する場合、表示の多様性を高めることができる。複数の表示部は、それぞれ独立な表示部として用い、異なる画像を表示してもよい。また、各表示部に同じ画像を表示してもよい。また、２以上の表示部にわたって一つの画像を表示してもよい。
【００９２】
本発明の一態様の電子機器に、使用者の視線、電子機器の上下方向、又は回転の角度もしくは方向等を検知するセンサを設けることが好ましい。例えば、ジャイロセンサ、イメージセンサ等を用いることができる。これにより、使用者にとって見やすい向きに表示を行う、又は、使用者にとって見やすい表示部で表示を行うことができる。また、使用者から見えにくい表示部をオフ状態とすることで、消費電力を低減することができる。なお、使用者が電子機器を操作して、使用する表示部、又は表示部の表示内容を選択してもよい。
【００９３】
図２（Ｃ）に示す電子機器１００ｃは、電子機器１００ａよりも大きな表示部１５を有する。
【００９４】
大きな表示部を有する電子機器の場合であっても、上述のセンサを用いる、又は使用者が電子機器を操作すること等によって、使用者にとって見やすい部分のみで表示を行い、他の部分はオフ状態とすることで、消費電力を低減することができる。
【００９５】
本発明の一態様の電子機器は、封止体を腕に装着する構成であってもよいし、封止体と接続された構造体を腕に装着する構成であってもよい。構造体としては、バンド（紐、ワイヤー、ネット、ベルトなど）又はバネなどが挙げられる。装着の方式としては、電子機器を肌に直接接して装着する方式、服の上から腕に電子機器を装着する方式、服の腕に重なる部分に縫製加工によって電子機器を縫い付ける方式、服の腕に重なる部分にマジックテープ（登録商標）で代表される面状ファスナなどを設けて電子機器を貼り付ける方式などがある。
【００９６】
封止体を、フィルムと、コンベックス部材（ステンレスなど）による帯状の板バネとを組み合わせた構造としてもよい。または、構造体として、コンベックス部材（ステンレスなど）による帯状の板バネを用いてもよい。これにより、電子機器を瞬間的に装着する、又は取り外すことが可能となる。この場合、電子機器を肌に密着させ固定する、或いは服を間に挟んで電子機器を腕に固定する。板バネを用いることにより、バンドの長さを調節する必要がなく、また、腕の太さによらず装着可能な電子機器とすることができる。
【００９７】
図４（Ａ）に、電子機器１００ｄの斜視図を示す。また、図５（Ａ）に、電子機器１００ｄの上面図を示し、図５（Ａ）における一点鎖線Ｊ−Ｋ間の断面図を図５（Ｂ）に示す。なお、図５（Ｂ）では、表示パネル１０が有する発光素子の発光が取り出される方向を矢印で示す。
【００９８】
電子機器１００ｄは、封止体４０及びバンド１５５を有する。封止体４０の内部には、表示パネル１０、回路３０、蓄電装置２０等が含まれている。封止体４０とバンド１５５は接続されている。
【００９９】
封止体４０とバンド１５５は着脱自在に接続されていることが好ましい。例えば、封止体４０と接続可能であり、それぞれデザインの異なる複数のバンドを用意し、その日のファッション又は使用する場所、時間、状況等に応じて封止体４０と接続するバンドを選ぶことで、電子機器を使用する機会を増やすことができる。また、古くなったバンド１５５を新しいバンドに交換することもできる。また、形状又は性能等が異なる複数の封止体４０を用意し、状況に応じて、バンドと接続する封止体４０を選んでもよい。
【０１００】
なお、図４（Ｂ）に示す電子機器１００ｅのように、バンド１５５が凹部を有し、凹部の中に封止体４０が配置される構成であってもよい。バンド１５５に比べて封止体４０が突出していると、電子機器の使用中に、該電子機器が他の物体と擦れる、もしくは衝突するなどにより、表示部１５に傷がつく、さらには該電子機器が壊れる恐れがある。そのため、バンド１５５と封止体４０の表面が概略同一平面を形成するようにバンド１５５と封止体４０を接続できると好ましい。なお、バンド１５５の凹部が、封止体４０の厚さよりも深くてもよい。
【０１０１】
図４（Ａ）及び図５（Ａ）では、封止体４０の幅と、バンド１５５の幅とが等しい例を示すが、本発明の一態様は、これに限られない。図５（Ｃ）に示すように、封止体４０の幅が、バンド１５５の幅よりも狭くてもよい。または、図５（Ｄ）に示すように、封止体４０の幅が、バンド１５５の幅よりも広くてもよい。
【０１０２】
次に、本発明の一態様の電子機器の構成要素の一例を示す。
【０１０３】
図６（Ａ）に示す要素１５０は、表示パネル１０、蓄電装置２０、回路３０、及び封止体４０を有する。封止体４０は、内部に、表示パネル１０、蓄電装置２０、及び回路３０を有する。以下では、表示パネル１０、蓄電装置２０、及び回路３０をまとめて被封止体と記す場合がある。
【０１０４】
要素１５０は、例えば、図４（Ａ）の要素１５０ａ及び図４（Ｂ）の要素１５０ｂのように、封止体４０をバンド１５５と接続させて用いることができる。または、図３（Ａ）〜（Ｅ）に示すように、封止体４０を帯状に形成することで、封止体４０自体を腕に装着してもよい。
【０１０５】
被封止体の接続関係の例を図６（Ｂ）にブロック図で示す。
【０１０６】
表示パネル１０は、発光素子１１を有する。発光素子１１は、蓄電装置２０から供給される電力を用いて発光する機能を有する。
【０１０７】
なお、表示パネル１０は、蓄電装置２０以外から供給された電力を用いて発光する機能を有していてもよい。
【０１０８】
蓄電装置２０は表示パネル１０と重なる部分を有する。
【０１０９】
なお、蓄電装置２０は、表示パネル１０以外に電力を供給する機能を有していてもよい。
【０１１０】
蓄電装置２０は正極、負極、セパレータ、電解質、及び外装体等を有する。
【０１１１】
回路３０はアンテナ３１を有する。アンテナ３１は、表示パネル１０と重なる部分を有する。回路３０は、無線（非接触で、ともいえる）で蓄電装置２０を充電することができる。
【０１１２】
表示パネル１０と回路３０とが互いに重なる部分、又は表示パネル１０と蓄電装置２０とが互いに重なる部分を有することで、要素１５０の小型化を図ることができる。特に、表示パネル１０、蓄電装置２０、及び回路３０の３つが互いに重なる部分を設けることが好ましい。要素１５０の小型化は、封止体４０とは別にバンドを設ける場合に特に有効である。なお、封止体４０を電子機器のバンドとして使用する場合など、要素１５０の小型化が不要の場合は、表示パネル１０と回路３０とが互いに重なる部分、又は表示パネル１０と蓄電装置２０とが互いに重なる部分を有していなくてもよい。
【０１１３】
蓄電装置２０は、回路３０と重なる部分を有することが好ましい。例えば、アンテナ３１の少なくとも一部が蓄電装置２０と重なっていてもよい。アンテナ３１を表示パネル１０と蓄電装置２０の間に配置するなど、アンテナ３１が電子機器の使用者から視認されにくくなるように表示パネル１０、蓄電装置２０、及び回路３０を重ねることで、電子機器の外観が損なわれることを抑制でき、好ましい。外部のアンテナとアンテナ３１の間に表示パネル１０が配置されていても、電波の送受信は可能である。つまり、外部のアンテナが送信する電波が表示パネル１０を通過し、アンテナ３１が該電波を受信する。
【０１１４】
電子機器の使用環境が決まっている場合は、その環境下で、発光が可能な発光素子、及びその環境下で表示パネルに電力を供給可能な蓄電装置を用いる。
【０１１５】
本発明の一態様の電子機器は、低温環境下及び高温環境下で使用できることが好ましい。または、本発明の一態様の電子機器は、広い温度範囲（例えば、０℃以上１００℃以下、好ましくは−２５℃以上１５０℃以下、より好ましくは−５０℃以上２００℃以下）で使用できることが好ましい。本発明の一態様の電子機器は、屋内及び屋外のどちらで使用してもよい。
【０１１６】
本発明の一態様の電子機器が有する発光素子は、０℃の環境下及び１００℃の環境下のそれぞれで発光することができることが好ましい。また、本発明の一態様の電子機器が有する蓄電装置は、０℃の環境下及び１００℃の環境下のそれぞれで表示パネルに電力を供給することができることが好ましい。
【０１１７】
電子機器は、スイッチを有していてもよい。図６（Ｃ）、（Ｄ）では、被封止体として、表示パネル１０、蓄電装置２０、回路３０、回路５０、及びスイッチ５１を示す。
【０１１８】
例えば、図６（Ｃ）に示すように、スイッチ５１がオフ状態のときに、回路３０は無線で蓄電装置２０を充電することができる。
【０１１９】
例えば、図６（Ｄ）に示すように、スイッチ５１がオン状態のときに、蓄電装置２０は表示パネル１０に電力を供給することができる。
【０１２０】
以下では、本発明の一態様の電子機器が有する構成要素の詳細について述べる。
【０１２１】
＜表示パネル１０＞
表示パネル１０は、発光素子１１を有する。表示パネル１０の構成例として、実施の形態３では発光装置について詳述し、実施の形態４では入出力装置について詳述する。なお、表示パネル１０が有する表示素子は発光素子に限られない。また、表示パネルは、タッチセンサ等の検知素子を有していてもよい。
【０１２２】
表示パネル１０には、画素に能動素子（アクティブ素子、非線形素子）を有するアクティブマトリクス方式、又は画素に能動素子を有しないパッシブマトリクス方式を用いることができる。
【０１２３】
表示パネル１０は可撓性を有していてもよい。例えば、発光素子１１の支持基板及び封止基板のうち少なくとも一方にフィルムを用いることで、表示パネル１０の可撓性を高めることができる。
【０１２４】
例えば、曲率半径５ｍｍの曲げ伸ばし試験で１０万回の曲げ伸ばしに耐えるディスプレイを用いることが好ましい。表示パネルを、曲率半径１ｍｍ以上１５０ｍｍ以下の範囲、好ましくは曲率半径５ｍｍ以上１５０ｍｍ以下の範囲で曲げた状態で、電子機器を用いることができると好ましい。
【０１２５】
発光素子１１には、低温環境下及び高温環境下で発光することができる素子を用いることが好ましい。低温環境としては、例えば、−１００℃以上０℃以下の環境、好ましくは−１００℃以上−２５℃以下の環境、より好ましくは−１００℃以上−５０℃以下の環境が挙げられる。高温環境としては、例えば、１００℃以上３００℃以下の環境、好ましくは１５０℃以上３００℃以下の環境、より好ましくは２００℃以上３００℃以下の環境が挙げられる。なお、発光素子１１は低温環境下又は高温環境下だけでなく、０℃より高く１００℃未満の環境下で発光させることができる。例えば、発光素子１１を室温（２０℃以上３０℃以下）で発光させることができる。
【０１２６】
発光素子１１としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。また、発光素子に限らず、他の表示素子を適用することもできる。
【０１２７】
発光素子１１の耐熱性は高いほど好ましい。例えば、発光素子１１に有機ＥＬ素子を用いる場合、有機ＥＬ素子に含まれる各有機化合物のガラス転移温度は、１００℃以上３００℃以下が好ましく、１５０℃以上３００℃以下がさらに好ましい。
【０１２８】
本発明の一態様において、表示パネル１０を介してアンテナ３１が外部のアンテナから受電する構成の場合、発光素子１１が有する一対の電極の厚さは薄いほど好ましい。例えば、一対の電極の厚さの和が１μｍ以下、好ましくは５００ｎｍ以下、より好ましくは３５０ｎｍ以下、さらに好ましくは２５０ｎｍ以下とすることが好ましい。
【０１２９】
＜蓄電装置２０＞
蓄電装置２０には、低温環境下及び高温環境下で表示パネル１０に電力を供給することができる蓄電装置を用いることが好ましい。低温環境としては、例えば、−１００℃以上０℃以下の環境、好ましくは−１００℃以上−２５℃以下の環境、より好ましくは−１００℃以上−５０℃以下の環境が挙げられる。高温環境としては、例えば、１００℃以上３００℃以下の環境、好ましくは１５０℃以上３００℃以下の環境、より好ましくは２００℃以上３００℃以下の環境が挙げられる。なお、蓄電装置２０は低温環境下又は高温環境下だけでなく、０℃より高く１００℃未満の環境下で使用することができる。例えば、蓄電装置２０を室温（２０℃以上３０℃以下）で使用することができる。
【０１３０】
蓄電装置２０としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０１３１】
高エネルギー密度が実現できるリチウムイオン二次電池を用いることで、電子機器の軽量化及び小型化が図れるため、好ましい。
【０１３２】
例えば、非水電解質を有する二次電池を用いることができる。該非水電解質は、イオン液体（常温溶融塩）とアルカリ金属塩を有する。イオン液体は、難燃性及び難揮発性であるため、耐熱性の高い二次電池を実現できる。例えば、イオン液体は、イミダゾリウムカチオンと、アニオンと、を有することが好ましい。また、アルカリ金属塩は、リチウム塩であることが好ましい。
【０１３３】
ゲル状電解質を用いる二次電池、又は固体電解質を用いる全固体二次電池は、耐熱性又は安全性が高く、好ましい。
【０１３４】
蓄電装置２０としては、コイン型（単層偏平型）、円筒型、薄型、角型、封止型等の様々な形状の二次電池を用いることができる。また、正極、負極、及びセパレータが複数積層された構造、又は正極、負極、及びセパレータが捲回された構造（捲回型）であってもよい。
【０１３５】
また、本発明の一態様の電子機器は、蓄電装置２０として、リチウムイオンキャパシタ、二重層キャパシタ等を有していてもよい。
【０１３６】
蓄電装置２０は可撓性を有していてもよい。例えば、外装体にフィルムを用いることで、蓄電装置２０の可撓性を高めることができる。外装体で囲まれる領域には正極、負極、及び電解質（又は電解液）を少なくとも有する。
【０１３７】
電子機器において、発光素子１１と蓄電装置２０を重ねて配置する構成としてもよい。発光素子１１と蓄電装置２０の互いに重なる面積が広いほど、発光素子１１の発熱を利用して広範囲で蓄電装置２０を温めることができる。高温環境下に比べて、低温環境下で動作が難しい蓄電装置を用いる場合でも、電子機器の信頼性を高めることができる。
【０１３８】
蓄電装置２０の構成例は、実施の形態２にて詳述する。
【０１３９】
＜回路３０＞
回路３０は、アンテナ３１を有する。さらに、回路３０は、コントローラ３２を有していてもよい。
【０１４０】
アンテナ３１は、外部のアンテナ（例えば充電器のアンテナ６８）から受電することができる。アンテナ３１は、表示パネル１０を介して、外部のアンテナから受電してもよい。または、アンテナ３１は、蓄電装置２０を介して、外部のアンテナから受電してもよい。
【０１４１】
コントローラ３２は、アンテナ３１により受電した電力を、蓄電装置２０に供給する電力に変換し、蓄電装置２０に出力する機能を有する。例えば、コントローラ３２は、ＡＣＤＣコンバータとしての機能を有していてもよい。その場合、アンテナ３１により受電した電力を、直流電力に変換し蓄電装置２０に出力する。
【０１４２】
本実施の形態の電子機器では、充電器のアンテナ６８（一次コイル）と、電子機器のアンテナ３１（二次コイル）とを磁気的に結合し、一次コイルから発生する交流磁場で二次コイルに電圧を発生させる電磁誘導方式によって、非接触で二次コイル側に電力が伝送される仕組みを用いて充電が行われる。なお、受電の方式は電磁誘導方式に限られない。
【０１４３】
電子機器が有するアンテナの用途は、非接触で蓄電装置２０を充電することに限定されない。例えば、電子機器にアンテナ及びメモリを設け、電子データを送受信させてもよい。受信したデータに応じて、表示パネル１０で映像又は情報等の表示を行ってもよい。また、ＧＰＳ（Ｇｌｏｂａｌ  ｐｏｓｉｔｉｏｎｉｎｇ  Ｓｙｓｔｅｍ）機能を持たせて位置情報又はＧＰＳ時刻を取得できるようなアンテナを設けてもよい。
【０１４４】
安全上、蓄電装置を充電又は放電する出入力端子を電子機器の表面に露出させないことが好ましい。出入力端子が露出していると、雨などの水によって出入力端子がショートする恐れ、又は出入力端子が人体に触れて感電する恐れがある。アンテナ３１を用いれば、非接触で蓄電装置の充電が可能であるため、該出入力端子を電子機器の表面に露出させない構成とすることができる。
【０１４５】
＜回路５０＞
回路５０は、蓄電装置２０から供給された電力を、発光素子１１を発光させる電力に変換する機能を有する。例えば、蓄電装置２０の出力電圧を発光素子１１が発光するのに要する電圧に変換（昇圧又は降圧）する機能を有していてもよい。
【０１４６】
また、回路５０は、表示パネル１０を駆動するための信号を生成し、表示パネル１０に出力する機能を有していてもよい。回路５０は、信号線駆動回路又は走査線駆動回路を有していてもよい。また、表示パネル１０が信号線駆動回路又は走査線駆動回路を有していてもよい。
【０１４７】
＜スイッチ５１＞
スイッチ５１は、回路５０と電気的に接続されている。また、スイッチ５１は、蓄電装置２０と電気的に接続されている。また、スイッチ５１は、回路３０と電気的に接続されている。
【０１４８】
スイッチ５１としては、特に限定はなく、例えば、電気的スイッチ、機械的スイッチ等を用いることができる。具体的には、トランジスタ、ダイオード、磁気スイッチ、機械的な接点を有するスイッチ等が挙げられる。
【０１４９】
図７（Ａ）、（Ｂ）に、被封止体の具体例を示す。図７（Ａ）は被封止体の表面（表示面）を示し、図７（Ｂ）は被封止体の裏面を示す。
【０１５０】
図７（Ａ）、（Ｂ）では、蓄電装置２０として、ラミネート型の二次電池を用いる例を示す。図７（Ｂ）に示すように、蓄電装置２０の中央部は、複数の電極が積層されている部分であり、端部に比べて厚くなっている。
【０１５１】
電極２１ａは、蓄電装置２０の正極又は負極の一方と電気的に接続されている。電極２１ｂは、蓄電装置２０の正極又は負極の他方と電気的に接続されている。
【０１５２】
電極２１ａ、２１ｂは、回路基板５５を介して折り曲げられ、回路基板５５上の端子３３ａ、３３ｂとそれぞれ電気的に接続されている。
【０１５３】
回路基板５５には、図６（Ｃ）等に示す回路３０、回路５０等を構成する素子（電子部品３５として図示する）が設けられている。回路基板５５には、例えば、容量素子、抵抗素子、又はスイッチ素子等の電子部品が設けられる。回路基板５５としては、例えば、プリント基板を用いることができる。
【０１５４】
また、回路基板５５には、スイッチ５１が設けられている。図７（Ａ）、（Ｂ）では、スイッチ５１として、磁気スイッチを用いる例を示す。磁石の着脱により、スイッチのオンオフを切り替えることができる。
【０１５５】
アンテナ３１は、回路基板５５上の端子３４と電気的に接続されている。アンテナ３１の一部は、蓄電装置２０と表示パネル１０の間に位置している。つまり、電子機器において、アンテナ３１は、表示パネル１０と重なる部分を有する。また、アンテナ３１は、蓄電装置２０と重なる部分を有する。
【０１５６】
アンテナ３１は、表示パネル１０を介して、外部のアンテナから受電することができる。
【０１５７】
表示パネル１０が有する端子１２ａは、配線５３ａを介して回路基板５５上の端子５２ａと電気的に接続されている。表示パネル１０が有する端子１２ｂは、配線５３ｂを介して回路基板５５上の端子５２ｂと電気的に接続されている。
【０１５８】
本発明の一態様の電子機器では、蓄電装置及びアンテナが、それぞれ独立に、表示パネルと重なる部分を有する。また、蓄電装置と回路が重なる部分を有する。図７（Ａ）、（Ｂ）に示すように、例えば、アンテナ３１の一部が、表示パネル１０と蓄電装置２０の間に位置していてもよい。
【０１５９】
以上のように、蓄電装置、表示パネル、回路基板、及びアンテナ等、電子機器を構成する要素の少なくともいずれか２つが互いに重なる部分を有すると、被封止体の小型化が可能となり好ましい。
【０１６０】
例えば、蓄電装置２０が、表示パネル１０、回路基板５５、及びアンテナ３１のうち、少なくともいずれか一と互いに重なる部分を有していることが好ましい。図７（Ａ）、（Ｂ）に示すように、蓄電装置２０が、表示パネル１０、回路基板５５、及びアンテナ３１のそれぞれと、互いに重なる部分を有していることが特に好ましい。
【０１６１】
本発明の一態様の電子機器を使用できる環境は大気雰囲気に限られない。本発明の一態様の電子機器は、例えば、０℃以上１００℃以下の水中で使用することができる。発光素子及び蓄電装置の使用可能な温度範囲が広いこと、発光素子及び蓄電装置が封止体により封止されていること等から、本発明の一態様の電子機器は、水中での使用に対しても高い信頼性を確保することができる。
【０１６２】
また、図８（Ａ）、（Ｂ）に示すように、本発明の一態様の電子機器は、封止体４０で封止された領域を複数有していてもよい。図８（Ａ）、（Ｂ）に示すように、被封止体は複数の空間に分かれて配置されていてもよく、封止領域４１には、分かれて配置された要素どうしをつなぐ配線４５等が重なっていてもよい。この領域は、可撓性を有する領域７０ともいえる。図８（Ｂ）に示すように、電子機器は、可撓性を有する領域７０で曲げることができる。図８（Ｂ）では表示パネル１０が可撓性を有していなくても、可撓性を有する領域７０、さらには封止体４０の蓄電装置２０と重なる部分を曲げることで、電子機器を曲げ、腕等に巻くことができる。なお、表示パネル１０が可撓性を有する場合は、表示パネル１０を曲げて電子機器を変形させてもよい。
【０１６３】
図８（Ａ）では、上側の空間に表示パネル１０が含まれ、下側の空間に蓄電装置２０及び回路３０が含まれる。表示パネル１０は、配線４５によって、蓄電装置２０及び回路３０とそれぞれ電気的に接続されている。
【０１６４】
また、電子機器は、封止領域を２重に有していてもよい。図８（Ｃ）に示すように、封止領域４１ａを囲む封止領域４１ｂを設け、表示パネル１０等を２重に封止してもよい。封止を２重以上に行うことで、電子機器の信頼性を高めることができる。
【０１６５】
また、図８（Ｃ）に示すように、表示パネル１０、蓄電装置２０、及び回路３０は、それぞれ、端部が面取りされていることが好ましい。表示パネル１０、蓄電装置２０、及び回路３０などの角部で封止が破られることを抑制できるため、封止体にフィルム等を用いても、電子機器の信頼性の低下を抑制できる。
【０１６６】
また、本発明の一態様の電子機器は光電変換素子を有し、該光電変換素子を用いて蓄電装置を充電できると好ましい。例えば、太陽光発電により、蓄電装置を充電できると好ましい。または、本発明の一態様の電子機器は、使用者の腕の動きで発電及び充電する機能を有していてもよい。
【０１６７】
本発明の一態様の電子機器は、センサを１つ以上有することが好ましい。センサとしては、例えば、力、変位、位置、速度、加速度、角速度、回転数、距離、光（可視光、赤外光、紫外光など）、液、磁気、温度、化学物質、音声、時間、硬度、電場、電流、電圧、電力、放射線、流量、湿度、傾度、振動、又はにおいを測定する機能を含むものを用いることができる。
【０１６８】
本発明の一態様の電子機器は、心拍数、呼吸数、脈拍、体温、又は血圧等の使用者の生体情報を計測するセンサを有することが好ましい。
【０１６９】
本発明の一態様の電子機器は、生体情報及び位置情報を検知する機能と、これらの情報を送信する機能を有することが好ましい。例えば、電子機器は、使用者の体調の変化を検知し、他の電子機器に生体情報と位置情報を送信することができる。これにより、使用者が体調を崩した際又は事故などに遭った際に、使用者は迅速に救助等を受けることができる。
【０１７０】
例えば、光学センサを用いて、腕等の毛細血管の収縮から心拍数を測定することができる。
【０１７１】
また、電子機器が使用者の腕に装着されたかどうかを、皮膚の電気伝導率から把握するセンサを用いることで、自動で電子機器の電源のオン、オフ動作を行うことができてもよい。
【０１７２】
これらのセンサは、例えば、電子機器において、使用者の肌が触れる面側に実装されていることが好ましい。
【０１７３】
また、本発明の一態様の電子機器は、使用環境のデータを計測できてもよい。例えば、紫外線センサ又は照度センサを有していてもよい。紫外線量を把握することで、使用者の日焼け対策に利用することができる。また、使用環境の照度によって、自動で表示部の明るさを調整することができてもよい。これらのセンサは、例えば、電子機器において、表示面側に実装されていることが好ましい。
【０１７４】
また、本発明の一態様の電子機器は、ＧＰＳ信号を受信できてもよい。
【０１７５】
本発明の一態様の電子機器は、表示パネルの駆動回路、蓄電装置を無線で充電するための回路、蓄電装置の過充電などを防止する保護回路を有する。さらにその他の機能素子を制御又は駆動するための回路、具体的には集積回路（ＣＰＵなど）を有してもよい。
【０１７６】
そのほか、本発明の一態様の電子機器には、撮像素子、発電素子、スピーカ、マイク等、様々な機能素子又は部品を有していてもよい。
【０１７７】
本発明の一態様の電子機器は、タッチパネルを有していてもよい。
【０１７８】
本発明の一態様では、静電容量方式のタッチセンサもしくは感圧式のタッチセンサを表示パネルに重ねて設ける構成、又は表示パネル自体にタッチセンサの機能を設ける構成（インセル型のタッチパネルともいう）等を適用することができる。インセル型のタッチパネルには、静電容量方式又は光学式のタッチセンサ等を適用することができる。
【０１７９】
なお、水泳、スキューバダイビングなどのウォータースポーツ中、又は入浴中には、タッチ操作が行いにくい、又はタッチの検出が困難な場合がある。そこで、本発明の一態様の電子機器では、入力手段として、音声入力部を有することが好ましい。例えば、電子機器は、マイク、特に骨伝導マイクを有することが好ましい。骨伝導マイクは、耐騒音性に優れるため、騒音又は雑音の多い屋外でも高感度で声を検出できる。また、骨伝導マイクは、水中でも好適に使用することができる。さらに、マイクの位置が口の近くでなくてよいため、電子機器の装着位置の自由度が高く、腕装着型電子機器にも支障なく採用できる。また、電子機器は、出力手段として、骨伝導スピーカを有していてもよい。なお、電子機器は、水中で使用できる他のマイク又はスピーカを有していてもよい。
【０１８０】
また、本発明の一態様を適用して、日常生活用の防水性を有するウェアラブルデバイスを実現することができる。例えば、本発明の一態様の電子機器は、２気圧（ｂａｒ）以上、好ましくは５気圧以上、より好ましくは１０気圧以上、さらに好ましくは２０気圧以上の防水性を有する。
【０１８１】
また、本発明の一態様を適用して、潜水用のウェアラブルデバイスを実現することができる。例えば、本発明の一態様の電子機器が、１００ｍまでの防水性、より好ましくは２００ｍまでの防水性を有していると、スキューバダイビング等で、浅海で潜水する際に使用することができる。また、本発明の一態様の電子機器が、３００ｍまでの防水性、より好ましくは１０００ｍまでの防水性を有していると、浅海だけでなく、深海で潜水する際にも使用することができる。本発明の一態様の電子機器は、発光素子を用いた表示パネルを有するため、夜間又は水中でも表示の視認性が高いという特徴を有する。
【０１８２】
また、本発明の一態様の電子機器は、潜水時間又は減圧時間を測定するための回転ベゼル、特に、逆回転防止ベゼルを有することが好ましい。
【０１８３】
また、本発明の一態様の電子機器は、気温、水温、水深、又はダイブログ等を測定する機能、記録する機能、及び表示する機能、又はクロノグラフ機能を有していてもよい。または、ＧＰＳ信号で特定した位置情報を、他の電子機器に送信する機能を有していてもよい。これにより、マリンスポーツ又は海中での作業の安全性を高めることができる。
【０１８４】
また、本発明の一態様の電子機器は、耐塩水性を有すると、マリンスポーツ又は海中での作業を行う際に好適に用いることができ、好ましい。
【０１８５】
図９（Ａ）〜（Ｄ）及び図１０（Ａ）〜（Ｄ）に、本発明の一態様の腕装着型電子機器の具体例を示す。
【０１８６】
図９（Ａ）〜（Ｄ）及び図１０（Ａ）〜（Ｄ）に示す電子機器は、それぞれ、１つ以上の表示部１５と、１つ以上の封止体４０と、を有する。
【０１８７】
図９（Ａ）、（Ｂ）、及び図１０（Ａ）〜（Ｃ）は、それぞれ、封止体４０を直接腕などに巻くことができる電子機器の例である。
【０１８８】
封止体４０は、可撓性を有し、電子機器を装着する部位の形状に沿って曲げることができる。さらに、表示部１５も可撓性を有していてもよい。
【０１８９】
留め具９１は封止体４０に接続されている。
【０１９０】
封止体４０には、複数の開口９３が設けられている。開口９３の端部を起点に封止体４０が破損すること、又は不純物が開口９３の端部から封止体４０の内部に侵入することを抑制するため、開口９３の端部には、封止部９５を有することが好ましい。封止部９５は、封止体４０の開口９３の端部近傍を補強することができる。封止部９５の材料に限定はなく、例えば、金属、合金、有機樹脂等を用いることができる。
【０１９１】
図９（Ａ）及び図１０（Ａ）では、表示部１５が四角形である例を示し、図９（Ｂ）、図１０（Ｂ）、（Ｃ）では、表示部１５が円形である例を示す。表示部１５の形状は、特に限定されない。例えば、四角形以外の多角形、楕円形、半円形、星形、ハート形など、様々な形状の表示部を適用することができる。
【０１９２】
図９（Ａ）、（Ｂ）では、電子機器の概略中央に位置する１つの表示部を有する電子機器を示すが、表示部の位置及び数は特に限定されない。図１０（Ａ）に示すように、３つの表示部を有していてもよい。また、図１０（Ｂ）、（Ｃ）に示すように、電子機器の中央からずれた位置に表示部を有していてもよい。なお、電子機器が複数の表示部を有する場合、複数の表示部の形状は同一であってもよいし、互いに異なっていてもよい。
【０１９３】
また、図９（Ｃ）、（Ｄ）、及び図１０（Ｄ）は、それぞれ、封止体４０と接続された構造体を腕などに巻くことができる電子機器の例である。
【０１９４】
電子機器は、例えば、図９（Ｃ）及び図１０（Ｄ）に示すように、構造体として鎖状のバンド９７を有していてもよい。または、電子機器は、図９（Ｄ）に示すように、構造体としてベルト状のバンド１５５を有していてもよい。
【０１９５】
図９（Ｃ）、（Ｄ）では、封止体４０及び表示部１５を１つ有する例を示し、図１０（Ｄ）では、封止体４０及び表示部１５を２つ有する例を示す。
【０１９６】
構造体には、例えば、金属、樹脂、又は天然素材等の一種以上を用いることができる。金属としては、ステンレス、アルミニウム、チタン合金などを用いることができる。また、樹脂としては、アクリル樹脂、ポリイミド樹脂などを用いることができる。また、天然素材としては木材、石、骨、皮革、紙、布を加工したものなどを用いることができる。
【０１９７】
図１１（Ａ）〜（Ｃ）に、本発明の一態様の電子機器の装着例を示す。図１１（Ａ）は、本発明の一態様の電子機器を手首に装着する例である。図１１（Ｂ）は、本発明の一態様の電子機器を服の上から装着する例であり、腕章型電子機器ともいえる。図１１（Ｃ）は、本発明の一態様の電子機器を上腕に装着する例である。
【０１９８】
また、本発明の一態様の電子機器は、身体の一部に取り付けることに限定されず、ロボット（工場用ロボット、人型ロボットなど）、柱状物体（建築物の柱、電柱、標識ポール）、又は道具などに取り付けて用いてもよい。
【０１９９】
本発明の一態様の電子機器は、通信機能を有し、単体で電子メールの送受信等が可能であってもよい。例えば、電子機器は、移動電話、電子メール、文章閲覧及び作成、音楽再生、インターネット通信、コンピュータゲームなどの種々のアプリケーションを実行できることが好ましい。
【０２００】
または、本発明の一態様の電子機器を、スマートフォン等の携帯電話機又は他の携帯情報端末と無線で接続することで電子メールの送受信等を行ってもよい。例えば、スマートフォンと一緒に用いることで、本発明の一態様の電子機器の表示部をサブディスプレイとして用いてもよい。
【０２０１】
以上、本発明の一態様では、防水性の高い封止体で、表示パネル、回路、蓄電装置等を封止することで、ウォータースポーツ又は入浴の際に使用可能なウェアラブルデバイスを実現できる。また、本発明の一態様では、それぞれ耐熱性の高い封止体、表示パネル、及び蓄電装置を適用することで、使用できる温度範囲が広いウェアラブルデバイスを実現できる。
【０２０２】
本実施の形態は、他の実施の形態と適宜組み合わせることができる。
【０２０３】
（実施の形態２）
本実施の形態では、本発明の一態様の電子機器に用いることができる蓄電装置について、図１２〜図２３を用いて説明する。なお、本発明の一態様における蓄電装置は、本実施の形態で例示する構成に限られず、様々な形状、形態を適用することができる。
【０２０４】
本実施の形態では、リチウムイオン二次電池を例に説明するが、本発明の一態様はこれに限られない。本発明の一態様は、電池、一次電池、二次電池、リチウム空気電池、鉛蓄電池、リチウムイオンポリマー二次電池、ニッケル・水素蓄電池、ニッケル・カドミウム蓄電池、ニッケル・鉄蓄電池、ニッケル・亜鉛蓄電池、酸化銀・亜鉛蓄電池、固体電池、空気電池、亜鉛空気電池、コンデンサ、リチウムイオンキャパシタ、電気二重層キャパシタ、ウルトラ・キャパシタ、スーパー・キャパシタなどに適用してもよい。
【０２０５】
本発明の一態様において、蓄電装置は、電力供給源（以下、送電装置ともいう）と接触していない状態において、対象物（以下、受電装置ともいう）に対して給電を行う（非接触給電、ワイヤレス給電などともいう）方式で、給電することができる。非接触給電の方式としては、磁界共鳴方式、電磁誘導方式、静電誘導方式等が挙げられる。
【０２０６】
＜構成例１＞
図１２（Ａ）に、電池ユニット５００を示す。図１２（Ａ）では、電池ユニット５００の一例として、薄型の二次電池の形態を示すが、本発明の一態様はこれに限られない。例えば、捲回体を用いた二次電池、又は円筒型もしくはコイン型の二次電池を、本発明の一態様の電子機器に適用してもよい。
【０２０７】
図１２（Ａ）に示すように、電池ユニット５００は、正極５０３、負極５０６、セパレータ５０７、及び外装体５０９を有する。電池ユニット５００は、正極リード５１０及び負極リード５１１を有してもよい。
【０２０８】
図１３（Ａ）、（Ｂ）に、図１２（Ａ）における一点鎖線Ａ１−Ａ２間の断面図の一例をそれぞれ示す。図１３（Ａ）、（Ｂ）には、正極５０３と負極５０６を１組用いて作製した電池ユニット５００の断面構造をそれぞれ示す。
【０２０９】
図１３（Ａ）、（Ｂ）に示すように、電池ユニット５００は、正極５０３、負極５０６、セパレータ５０７、電解液５０８、及び外装体５０９を有する。セパレータ５０７は、正極５０３と負極５０６の間に挟まれている。外装体５０９で囲まれた領域は、電解液５０８で満たされている。
【０２１０】
正極５０３は、正極活物質層５０２と、正極集電体５０１とを含む。負極５０６は、負極活物質層５０５と、負極集電体５０４とを含む。活物質層は、集電体の片面又は両面に形成することができる。セパレータ５０７は、正極集電体５０１と負極集電体５０４の間に位置する。
【０２１１】
電池ユニットは、正極及び負極をそれぞれ１つ以上有する。例えば、電池ユニットは、複数の正極及び複数の負極からなる積層構造とすることもできる。
【０２１２】
図１４（Ａ）に、図１２（Ａ）における一点鎖線Ａ１−Ａ２間の断面図の別の例を示す。また、図１４（Ｂ）に図１２（Ａ）における一点鎖線Ｂ１−Ｂ２間の断面図を示す。
【０２１３】
図１４（Ａ）、（Ｂ）には、正極５０３と負極５０６を複数組用いて作製した電池ユニット５００の断面構造を示す。電池ユニット５００が有する電極層数に限定はない。電極層数が多い場合には、より多くの容量を有する蓄電装置とすることができる。また、電極層数が少ない場合には、薄型化でき、可撓性に優れた蓄電装置とすることができる。
【０２１４】
図１４（Ａ）、（Ｂ）では、正極集電体５０１の片面に正極活物質層５０２を有する正極５０３を２つと、正極集電体５０１の両面に正極活物質層５０２を有する正極５０３を２つと、負極集電体５０４の両面に負極活物質層５０５を有する負極５０６を３つ用いる例を示す。つまり、電池ユニット５００は、６層の正極活物質層５０２と、６層の負極活物質層５０５を有する。なお、図１４（Ａ）、（Ｂ）では、セパレータ５０７が袋状の例を示すが、これに限定されず、セパレータ５０７は短冊状であっても、蛇腹状であってもよい。
【０２１５】
次に、図１２（Ｂ）に、正極５０３の外観図を示す。正極５０３は、正極集電体５０１及び正極活物質層５０２を有する。
【０２１６】
また、図１２（Ｃ）に、負極５０６の外観図を示す。負極５０６は、負極集電体５０４及び負極活物質層５０５を有する。
【０２１７】
ここで、正極５０３及び負極５０６は、積層される複数の正極同士又は複数の負極同士を電気的に接続するために、タブ領域を有することが好ましい。また、タブ領域には電極リードを電気的に接続することが好ましい。
【０２１８】
図１２（Ｂ）に示すように、正極５０３は、タブ領域２８１を有することが好ましい。タブ領域２８１の一部は、正極リード５１０と溶接されることが好ましい。タブ領域２８１は正極集電体５０１が露出する領域を有することが好ましく、正極集電体５０１が露出する領域に正極リード５１０を溶接することにより、接触抵抗をより低くすることができる。また、図１２（Ｂ）ではタブ領域２８１の全域において正極集電体５０１が露出している例を示すが、タブ領域２８１は、その一部に正極活物質層５０２を有してもよい。
【０２１９】
図１２（Ｃ）に示すように、負極５０６は、タブ領域２８２を有することが好ましい。タブ領域２８２の一部は、負極リード５１１と溶接されることが好ましい。タブ領域２８２は負極集電体５０４が露出する領域を有することが好ましく、負極集電体５０４が露出する領域に負極リード５１１を溶接することにより、接触抵抗をより低くすることができる。また、図１２（Ｃ）ではタブ領域２８２の全域において負極集電体５０４が露出している例を示すが、タブ領域２８２は、その一部に負極活物質層５０５を有してもよい。
【０２２０】
なお、図１２（Ａ）では、正極５０３と負極５０６の端部が概略揃っている例を示すが、正極５０３は、負極５０６の端部よりも外側に位置する部分を有していてもよい。
【０２２１】
電池ユニット５００において、負極５０６の正極５０３と重ならない領域の面積は小さいほど好ましい。
【０２２２】
図１３（Ａ）では、負極５０６の端部が、正極５０３の内側に位置する例を示す。このような構成とすることにより、負極５０６を全て正極５０３と重ねる、又は負極５０６の正極５０３と重ならない領域の面積を小さくすることができる。
【０２２３】
または、電池ユニット５００において、正極５０３と負極５０６の面積は概略同じであることが好ましい。例えば、セパレータ５０７を挟んで向かい合う正極５０３と負極５０６の面積は、概略同じであることが好ましい。例えば、セパレータ５０７を挟んで向かい合う正極活物質層５０２の面積と負極活物質層５０５の面積は概略同じであることが好ましい。
【０２２４】
例えば、図１４（Ａ）、（Ｂ）に示すように、正極５０３のセパレータ５０７側の面の面積と負極５０６のセパレータ５０７側の面の面積は概略同じであることが好ましい。正極５０３の負極５０６側の面の面積と負極５０６の正極５０３側の面の面積を概略同じとすることにより、負極５０６の正極５０３と重ならない領域を小さくする（あるいは理想的にはなくす）ことができ、電池ユニット５００の不可逆容量を減少させることができるため好ましい。または、図１４（Ａ）、（Ｂ）に示すように、正極活物質層５０２のセパレータ５０７側の面の面積と負極活物質層５０５のセパレータ５０７側の面の面積は概略同じであることが好ましい。
【０２２５】
また、図１４（Ａ）、（Ｂ）に示すように、正極５０３の端部と負極５０６の端部は概略揃うことが好ましい。また、正極活物質層５０２と負極活物質層５０５の端部は概略揃うことが好ましい。
【０２２６】
また、図１３（Ｂ）では、正極５０３の端部が、負極５０６の内側に位置する例を示す。このような構成とすることにより、正極５０３を全て負極５０６と重ねる、又は正極５０３の負極５０６と重ならない領域の面積を小さくすることができる。負極５０６の端部が正極５０３の端部よりも内側に位置すると、負極５０６の端部に電流が集中してしまう場合がある。例えば、負極５０６の一部に電流が集中することで、負極５０６上にリチウムが析出してしまうことがある。正極５０３の負極５０６と重ならない領域の面積を小さくすることで、負極５０６の一部に電流が集中することを抑制できる。これにより、例えば、負極５０６上へのリチウムの析出が抑制でき、好ましい。
【０２２７】
図１２（Ａ）に示すように、正極リード５１０は、正極５０３に電気的に接続することが好ましい。同様に、負極リード５１１は、負極５０６に電気的に接続することが好ましい。正極リード５１０及び負極リード５１１は外装体５０９の外側に露出し、外部との電気的接触を得る端子として機能する。
【０２２８】
または、正極集電体５０１及び負極集電体５０４は、外部との電気的接触を得る端子の役割を兼ねることもできる。その場合は、電極リードを用いずに、正極集電体５０１及び負極集電体５０４の一部を外装体５０９から外側に露出するように配置してもよい。
【０２２９】
また、図１２（Ａ）では、正極リード５１０と負極リード５１１は、電池ユニット５００の同じ辺に配置されているが、図１５に示すように、正極リード５１０と負極リード５１１を電池ユニット５００の異なる辺に配置してもよい。このように、本発明の一態様の電池ユニットは、電極リードを自由に配置することができるため、設計自由度が高い。よって、蓄電装置を用いた製品の設計自由度を高めることができる。また、蓄電装置を用いた製品の生産性を高めることができる。
【０２３０】
以下では、電池ユニットの構成要素について、詳述する。
【０２３１】
≪集電体≫
集電体は、蓄電装置内で顕著な化学変化を引き起こさずに高い導電性を示す限り、特別な制限はない。正極集電体及び負極集電体には、例えば、ステンレス、金、白金、亜鉛、鉄、ニッケル、銅、アルミニウム、チタン、タンタル、マンガン等の金属、これらの合金、又は焼結した炭素などをそれぞれ用いることができる。または、銅もしくはステンレス鋼を炭素、ニッケルもしくはチタン等で被覆して用いてもよい。または、シリコン、チタン、ネオジム、スカンジウム、モリブデンなどの耐熱性を向上させる元素が添加されたアルミニウム合金を用いることができる。または、シリコンと反応してシリサイドを形成する金属元素で集電体を形成してもよい。シリコンと反応してシリサイドを形成する金属元素としては、ジルコニウム、チタン、ハフニウム、バナジウム、ニオブ、タンタル、クロム、モリブデン、タングステン、コバルト、ニッケル等がある。
【０２３２】
正極集電体の表面又は負極集電体の表面では、電解液との不可逆な反応が生じる場合がある。よって、正極集電体及び負極集電体は、それぞれ、電解液との反応性が低いことが好ましい。例えば、正極集電体又は負極集電体にステンレス等を用いることにより、電解液との反応性をより低くすることができる場合があり、好ましい。
【０２３３】
また、正極集電体及び負極集電体には、それぞれ、箔状、板状（シート状）、網状、円柱状、コイル状、パンチングメタル状、エキスパンドメタル状、多孔質状、及び不織布を包括する様々な形態の形状を適宜用いることができる。さらに、活物質層との密着性を上げるために、正極集電体及び負極集電体は、それぞれ、表面に細かい凹凸を有していてもよい。また、正極集電体及び負極集電体は、それぞれ、厚みが５μｍ以上３０μｍ以下のものを用いるとよい。
【０２３４】
また、集電体の表面の一部にアンダーコート層を設けてもよい。ここでアンダーコート層とは、集電体と活物質層との接触抵抗の低減、又は集電体と活物質層との密着性向上のための被覆層をいう。なお、アンダーコート層は、集電体の一面全体に形成されていなくてもよく、島状に（部分的に）形成されていてもよい。また、アンダーコート層が活物質として容量を発現しても構わない。アンダーコート層としては、例えば炭素材料を用いることができる。炭素材料としては、例えば、アセチレンブラック等のカーボンブラック、カーボンナノチューブ、黒鉛などを用いることができる。また、アンダーコート層として、金属層、炭素及び高分子を含む層、並びに金属及び高分子を含む層を用いることもできる。
【０２３５】
≪活物質層≫
活物質層は、活物質を含む。活物質とは、キャリアであるイオンの挿入・脱離に関わる物質のみを指し、本明細書等では、活物質が含まれている層を活物質層と呼ぶ。活物質層には、活物質に加えて導電助剤や結着剤が含まれていてもよい。
【０２３６】
正極活物質層は、１種類以上の正極活物質を有する。負極活物質層は、１種類以上の負極活物質を有する。
【０２３７】
正極活物質及び負極活物質は、蓄電装置の電池反応の中心的役割を担いキャリアイオンの放出及び吸収を行う物質である。蓄電装置の寿命を高めるためには、活物質が、電池反応の不可逆反応に係る容量が小さい材料であることが好ましく、充放電効率の高い材料であることが好ましい。
【０２３８】
正極活物質には、リチウムイオン等のキャリアイオンの挿入及び脱離が可能な材料を用いることができる。正極活物質としては、例えば、オリビン型の結晶構造、層状岩塩型の結晶構造、スピネル型の結晶構造、ＮＡＳＩＣＯＮ型の結晶構造を有する材料等が挙げられる。
【０２３９】
例えば、正極活物質として、ＬｉＦｅＯ２、ＬｉＣｏＯ２、ＬｉＮｉＯ２、ＬｉＭｎ２Ｏ４、Ｖ２Ｏ５、Ｃｒ２Ｏ５、ＭｎＯ２等の化合物を材料として用いることができる。
【０２４０】
オリビン型の結晶構造を有する材料としては、リチウム含有複合リン酸塩（一般式ＬｉＭＰＯ４（Ｍは、Ｆｅ（ＩＩ）、Ｍｎ（ＩＩ）、Ｃｏ（ＩＩ）、Ｎｉ（ＩＩ）の一以上））が挙げられる。一般式ＬｉＭＰＯ４の代表例としては、ＬｉＦｅＰＯ４、ＬｉＮｉＰＯ４、ＬｉＣｏＰＯ４、ＬｉＭｎＰＯ４、ＬｉＦｅａＮｉｂＰＯ４、ＬｉＦｅａＣｏｂＰＯ４、ＬｉＦｅａＭｎｂＰＯ４、ＬｉＮｉａＣｏｂＰＯ４、ＬｉＮｉａＭｎｂＰＯ４（ａ＋ｂは１以下、０＜ａ＜１、０＜ｂ＜１）、ＬｉＦｅｃＮｉｄＣｏｅＰＯ４、ＬｉＦｅｃＮｉｄＭｎｅＰＯ４、ＬｉＮｉｃＣｏｄＭｎｅＰＯ４（ｃ＋ｄ＋ｅは１以下、０＜ｃ＜１、０＜ｄ＜１、０＜ｅ＜１）、ＬｉＦｅｆＮｉｇＣｏｈＭｎｉＰＯ４（ｆ＋ｇ＋ｈ＋ｉは１以下、０＜ｆ＜１、０＜ｇ＜１、０＜ｈ＜１、０＜ｉ＜１）等の化合物が挙げられる。
【０２４１】
例えば、リン酸鉄リチウム（ＬｉＦｅＰＯ４）は、安全性、安定性、高容量密度、高電位、初期酸化（充電）時に引き抜けるリチウムイオンの存在等、正極活物質に求められる事項をバランスよく満たしているため、好ましい。
【０２４２】
正極活物質としてＬｉＦｅＰＯ４を用いることにより、過充電などの外部負荷に対しても安定で、安全性の高い蓄電装置を実現することができる。よって、例えば、持ち運びを行うモバイル機器、又は身体に身に着けるウェアラブル機器等に用いる蓄電装置として、特に優れている。
【０２４３】
層状岩塩型の結晶構造を有する材料としては、例えば、コバルト酸リチウム（ＬｉＣｏＯ２）、ＬｉＮｉＯ２、ＬｉＭｎＯ２、Ｌｉ２ＭｎＯ３、ＬｉＮｉ０．８Ｃｏ０．２Ｏ２等のＮｉＣｏ系（一般式は、ＬｉＮｉｘＣｏ１−ｘＯ２（０＜ｘ＜１））、ＬｉＮｉ０．５Ｍｎ０．５Ｏ２等のＮｉＭｎ系（一般式は、ＬｉＮｉｘＭｎ１−ｘＯ２（０＜ｘ＜１））、ＬｉＮｉ１／３Ｍｎ１／３Ｃｏ１／３Ｏ２等のＮｉＭｎＣｏ系（ＮＭＣともいう。一般式は、ＬｉＮｉｘＭｎｙＣｏ１−ｘ−ｙＯ２（ｘ＞０、ｙ＞０、ｘ＋ｙ＜１））が挙げられる。さらに、Ｌｉ（Ｎｉ０．８Ｃｏ０．１５Ａｌ０．０５）Ｏ２、Ｌｉ２ＭｎＯ３−ＬｉＭＯ２（ＭはＣｏ、Ｎｉ又はＭｎ）等も挙げられる。
【０２４４】
特に、ＬｉＣｏＯ２は、容量が大きいこと、ＬｉＮｉＯ２に比べて大気中で安定であること、ＬｉＮｉＯ２に比べて熱的に安定であること等の利点があるため、好ましい。
【０２４５】
スピネル型の結晶構造を有する材料としては、例えば、ＬｉＭｎ２Ｏ４、Ｌｉ１＋ｘＭｎ２−ｘＯ４（０＜ｘ＜２）、ＬｉＭｎ２−ｘＡｌｘＯ４（０＜ｘ＜２）、ＬｉＭｎ１．５Ｎｉ０．５Ｏ４等が挙げられる。
【０２４６】
ＬｉＭｎ２Ｏ４等のマンガンを含むスピネル型の結晶構造を有する材料に、少量のニッケル酸リチウム（ＬｉＮｉＯ２、又はＬｉＮｉ１−ｘＭｘＯ２（０＜ｘ＜１）（Ｍ＝Ｃｏ、Ａｌ等））を混合すると、マンガンの溶出を抑制する、電解液の分解を抑制する等の利点があり好ましい。
【０２４７】
または、正極活物質として、一般式Ｌｉ（２−ｊ）ＭＳｉＯ４（Ｍは、Ｆｅ（ＩＩ）、Ｍｎ（ＩＩ）、Ｃｏ（ＩＩ）、Ｎｉ（ＩＩ）の一以上、０≦ｊ≦２）等のリチウム含有複合ケイ酸塩を用いることができる。一般式Ｌｉ（２−ｊ）ＭＳｉＯ４の代表例としては、Ｌｉ（２−ｊ）ＦｅＳｉＯ４、Ｌｉ（２−ｊ）ＮｉＳｉＯ４、Ｌｉ（２−ｊ）ＣｏＳｉＯ４、Ｌｉ（２−ｊ）ＭｎＳｉＯ４、Ｌｉ（２−ｊ）ＦｅｋＮｉｌＳｉＯ４、Ｌｉ（２−ｊ）ＦｅｋＣｏｌＳｉＯ４、Ｌｉ（２−ｊ）ＦｅｋＭｎｌＳｉＯ４、Ｌｉ（２−ｊ）ＮｉｋＣｏｌＳｉＯ４、Ｌｉ（２−ｊ）ＮｉｋＭｎｌＳｉＯ４（ｋ＋ｌは１以下、０＜ｋ＜１、０＜ｌ＜１）、Ｌｉ（２−ｊ）ＦｅｍＮｉｎＣｏｑＳｉＯ４、Ｌｉ（２−ｊ）ＦｅｍＮｉｎＭｎｑＳｉＯ４、Ｌｉ（２−ｊ）ＮｉｍＣｏｎＭｎｑＳｉＯ４（ｍ＋ｎ＋ｑは１以下、０＜ｍ＜１、０＜ｎ＜１、０＜ｑ＜１）、Ｌｉ（２−ｊ）ＦｅｒＮｉｓＣｏｔＭｎｕＳｉＯ４（ｒ＋ｓ＋ｔ＋ｕは１以下、０＜ｒ＜１、０＜ｓ＜１、０＜ｔ＜１、０＜ｕ＜１）等の化合物が挙げられる。
【０２４８】
または、正極活物質として、ＡｘＭ２（ＸＯ４）３（Ａ＝Ｌｉ、Ｎａ、Ｍｇ、Ｍ＝Ｆｅ、Ｍｎ、Ｔｉ、Ｖ、Ｎｂ、Ａｌ、Ｘ＝Ｓ、Ｐ、Ｍｏ、Ｗ、Ａｓ、Ｓｉ）の一般式で表されるＮＡＳＩＣＯＮ型化合物を用いることができる。ＮＡＳＩＣＯＮ型化合物としては、Ｆｅ２（ＭｎＯ４）３、Ｆｅ２（ＳＯ４）３、Ｌｉ３Ｆｅ２（ＰＯ４）３等が挙げられる。
【０２４９】
または、正極活物質として、Ｌｉ２ＭＰＯ４Ｆ、Ｌｉ２ＭＰ２Ｏ７、Ｌｉ５ＭＯ４（Ｍ＝Ｆｅ、Ｍｎ）の一般式で表される化合物、ＦｅＦ３等のペロブスカイト型フッ化物、ＴｉＳ２、ＭｏＳ２等の金属カルコゲナイド（硫化物、セレン化物、テルル化物）、ＬｉＭＶＯ４（Ｍ＝Ｍｎ、Ｃｏ、Ｎｉ）等の逆スピネル型の結晶構造を有する材料、バナジウム酸化物系（Ｖ２Ｏ５、Ｖ６Ｏ１３、ＬｉＶ３Ｏ８等）、マンガン酸化物、有機硫黄化合物等の材料を用いることができる。
【０２５０】
また、正極活物質として、上記材料を複数組み合わせた材料を用いてもよい。例えば、上記材料を複数組み合わせた固溶体を正極活物質として用いることができる。例えば、ＬｉＣｏ１／３Ｍｎ１／３Ｎｉ１／３Ｏ２とＬｉ２ＭｎＯ３の固溶体を正極活物質として用いることができる。
【０２５１】
なお、キャリアイオンが、リチウムイオン以外のアルカリ金属イオン、又はアルカリ土類金属イオンの場合、正極活物質として、上記リチウム化合物、リチウム含有複合リン酸塩、及びリチウム含有複合ケイ酸塩において、リチウムを、アルカリ金属（例えば、ナトリウム、カリウム等）、アルカリ土類金属（例えば、カルシウム、ストロンチウム、バリウム、ベリリウム、マグネシウム等）などのキャリアで置換した化合物を用いてもよい。
【０２５２】
正極活物質の一次粒子の平均粒径は、例えば５ｎｍ以上１００μｍ以下が好ましい。
【０２５３】
また、例えば正極活物質としてオリビン型構造のリチウム含有複合リン酸塩を用いた場合には、リチウムの拡散経路が一次元であるため、リチウム拡散が遅い。よって、オリビン型構造のリチウム含有複合リン酸塩を用いた場合、充放電の速度を高めるためには正極活物質の平均粒径は、例えば好ましくは５ｎｍ以上１μｍ以下とするとよい。または、正極活物質の比表面積は、例えば好ましくは１０ｍ２／ｇ以上５０ｍ２／ｇ以下とするとよい。
【０２５４】
オリビン構造を有する活物質では、例えば層状岩塩型の結晶構造を有する活物質などと比較して充放電に伴う構造変化がきわめて少なく、結晶構造が安定であるため、過充電などの動作に対しても安定であり、正極活物質として用いた場合に安全性の高い蓄電装置を実現することができる。
【０２５５】
負極活物質としては、例えば炭素系材料、合金系材料等を用いることができる。
【０２５６】
炭素系材料としては、黒鉛、易黒鉛化性炭素（ソフトカーボン）、難黒鉛化性炭素（ハードカーボン）、カーボンナノチューブ、グラフェン、カーボンブラック等がある。黒鉛としては、メソカーボンマイクロビーズ（ＭＣＭＢ）、コークス系人造黒鉛、ピッチ系人造黒鉛等の人造黒鉛、球状化天然黒鉛等の天然黒鉛がある。また、黒鉛の形状としては鱗片状のもの及び球状のものなどがある。
【０２５７】
黒鉛はリチウムイオンが黒鉛に挿入されたとき（リチウム−黒鉛層間化合物の生成時）にリチウム金属と同程度に卑な電位を示す（０．１以上０．３Ｖ以下  ｖｓ．Ｌｉ／Ｌｉ＋）。これにより、リチウムイオン二次電池は高い作動電圧を示すことができる。さらに、黒鉛は、単位体積当たりの容量が比較的高い、体積膨張が小さい、安価である、リチウム金属に比べて安全性が高い等の利点を有するため、好ましい。
【０２５８】
キャリアイオンがリチウムイオンである場合、合金系材料としては、例えば、Ｍｇ、Ｃａ、Ｇａ、Ｓｉ、Ａｌ、Ｇｅ、Ｓｎ、Ｐｂ、Ａｓ、Ｓｂ、Ｂｉ、Ａｇ、Ａｕ、Ｚｎ、Ｃｄ、Ｈｇ、Ｉｎ等のうち少なくとも一つを含む材料を用いることができる。このような元素は炭素と比べて容量が大きく、特にシリコンは理論容量が４２００ｍＡｈ／ｇと高いため、蓄電装置の容量を高めることができる。このような元素を用いた合金系材料（化合物系材料）としては、例えば、Ｍｇ２Ｓｉ、Ｍｇ２Ｇｅ、Ｍｇ２Ｓｎ、ＳｎＳ２、Ｖ２Ｓｎ３、ＦｅＳｎ２、ＣｏＳｎ２、Ｎｉ３Ｓｎ２、Ｃｕ６Ｓｎ５、Ａｇ３Ｓｎ、Ａｇ３Ｓｂ、Ｎｉ２ＭｎＳｂ、ＣｅＳｂ３、ＬａＳｎ３、Ｌａ３Ｃｏ２Ｓｎ７、ＣｏＳｂ３、ＩｎＳｂ、ＳｂＳｎ等がある。
【０２５９】
また、負極活物質として、ＳｉＯ、ＳｎＯ、ＳｎＯ２、二酸化チタン（ＴｉＯ２）、リチウムチタン酸化物（Ｌｉ４Ｔｉ５Ｏ１２）、リチウム−黒鉛層間化合物（ＬｉｘＣ６）、五酸化ニオブ（Ｎｂ２Ｏ５）、酸化タングステン（ＷＯ２）、酸化モリブデン（ＭｏＯ２）等の酸化物を用いることができる。ここで、ＳｉＯとは、珪素と酸素を有する化合物であり、珪素と酸素の原子数比を珪素：酸素＝α：βとすると、αは、βの近傍の値を有することが好ましい。ここで近傍の値を有するとは、例えばαとβの差の絶対値が、βの値に対して好ましくは２０％以下、より好ましくは１０％以下である。
【０２６０】
また、負極活物質として、リチウムと遷移金属の複窒化物である、Ｌｉ３Ｎ型構造をもつＬｉ３−ｘＭｘＮ（ＭはＣｏ、Ｎｉ又はＣｕ）を用いることができる。例えば、Ｌｉ２．６Ｃｏ０．４Ｎ３は大きな充放電容量（９００ｍＡｈ／ｇ、１８９０ｍＡｈ／ｃｍ３）を示し好ましい。
【０２６１】
リチウムと遷移金属の複窒化物を用いると、負極活物質中にリチウムイオンを含むため、正極活物質としてリチウムイオンを含まないＶ２Ｏ５、Ｃｒ３Ｏ８等の材料と組み合わせることができる。なお、正極活物質にリチウムイオンを含む材料を用いる場合でも、あらかじめ正極活物質に含まれるリチウムイオンを脱離させることで、負極活物質としてリチウムと遷移金属の複窒化物を用いることができる。
【０２６２】
また、コンバージョン反応が生じる材料を負極活物質として用いることもできる。例えば、酸化コバルト（ＣｏＯ）、酸化ニッケル（ＮｉＯ）、酸化鉄（ＦｅＯ）等の、リチウムと合金化反応を行わない遷移金属酸化物を負極活物質に用いてもよい。コンバージョン反応が生じる材料としては、さらに、Ｆｅ２Ｏ３、ＣｕＯ、Ｃｕ２Ｏ、ＲｕＯ２、Ｃｒ２Ｏ３等の酸化物、ＣｏＳ０．８９、ＮｉＳ、ＣｕＳ等の硫化物、Ｚｎ３Ｎ２、Ｃｕ３Ｎ、Ｇｅ３Ｎ４等の窒化物、ＮｉＰ２、ＦｅＰ２、ＣｏＰ３等のリン化物、ＦｅＦ３、ＢｉＦ３等のフッ化物が挙げられる。
【０２６３】
負極活物質の一次粒子の平均粒径は、例えば５ｎｍ以上１００μｍ以下が好ましい。
【０２６４】
正極活物質層及び負極活物質層は、それぞれ、導電助剤を有してもよい。
【０２６５】
導電助剤としては、例えば炭素材料、金属材料、又は導電性セラミックス材料等を用いることができる。また、導電助剤として繊維状の材料を用いてもよい。活物質層の総量に対する導電助剤の含有量は、１ｗｔ％以上１０ｗｔ％以下が好ましく、１ｗｔ％以上５ｗｔ％以下がより好ましい。
【０２６６】
導電助剤により、電極中に電気伝導のネットワークを形成することができる。導電助剤により、負極活物質どうしの電気伝導の経路を維持することができる。活物質層中に導電助剤を添加することにより、高い電気伝導性を有する活物質層を実現することができる。
【０２６７】
導電助剤としては、例えば天然黒鉛、メソカーボンマイクロビーズ等の人造黒鉛、炭素繊維などを用いることができる。炭素繊維としては、例えばメソフェーズピッチ系炭素繊維、等方性ピッチ系炭素繊維等の炭素繊維を用いることができる。また炭素繊維として、カーボンナノファイバー又はカーボンナノチューブなどを用いることができる。カーボンナノチューブは、例えば気相成長法などで作製することができる。また、導電助剤として、例えばカーボンブラック（アセチレンブラック（ＡＢ）など）、グラファイト（黒鉛）粒子、グラフェン、フラーレンなどの炭素材料を用いることができる。また、例えば、銅、ニッケル、アルミニウム、銀、金などの金属粉末もしくは金属繊維、又は導電性セラミックス材料等を用いることができる。
【０２６８】
薄片状のグラフェンは、高い導電性を有するという優れた電気特性、及び柔軟性並びに機械的強度という優れた物理特性を有する。そのため、グラフェンを、導電助剤として用いることにより、活物質間又は活物質−集電体間の電気伝導率を高めることができる。
【０２６９】
なお、本明細書において、グラフェンは、単層のグラフェン、又は２層以上１００層以下の多層グラフェンを含む。単層グラフェンとは、π結合を有する１原子層の炭素分子のシートのことをいう。また、酸化グラフェンとは、上記グラフェンが酸化された化合物のことをいう。
【０２７０】
グラフェンは、接触抵抗の低い面接触を可能とするものであり、また、薄くても導電性が非常に高く、少ない量でも効率よく活物質層内で導電パスを形成することができる。
【０２７１】
平均粒径の小さい活物質、例えば１μｍ以下の活物質を用いる場合には、活物質の比表面積が大きく、活物質同士を繋ぐ導電パスがより多く必要となる。このような場合には、導電性が非常に高く少ない量でも効率よく導電パスを形成することができるグラフェンを用いることが、特に好ましい。
【０２７２】
正極活物質層及び負極活物質層は、それぞれ、結着剤を有してもよい。
【０２７３】
本明細書中において、結着剤は、活物質と活物質を結着もしくは接着させる機能、及び、活物質層と集電体を結着もしくは接着させる機能のうち少なくとも一方を有する。また、結着剤は、電極又は電池の作製中に、その状態が変化する場合がある。例えば、結着剤は、液体、固体、又はゲル等の少なくともいずれか一の状態をとることがある。また、結着剤は、電極又は電池の作製中に、単量体（モノマー）から重合体（ポリマー）に変化する場合がある。
【０２７４】
例えば、結着剤として水溶性の高分子を用いることができる。水溶性の高分子としては、例えば多糖類などを用いることができる。多糖類としては、カルボキシメチルセルロース（ＣＭＣ）、メチルセルロース、エチルセルロース、ヒドロキシプロピルセルロース、ジアセチルセルロース、再生セルロースなどのセルロース誘導体、又は澱粉などを用いることができる。
【０２７５】
また、結着剤として、スチレン−ブタジエンゴム（ＳＢＲ）、スチレン・イソプレン・スチレンゴム、アクリロニトリル・ブタジエンゴム、ブタジエンゴム、フッ素ゴム、エチレン・プロピレン・ジエン共重合体などのゴム材料を用いることができる。これらのゴム材料は、前述の水溶性の高分子と併用して用いてもよい。これらのゴム材料は、ゴム弾性を有し、伸び縮みしやすいため、充放電に伴う活物質の膨張収縮、又は電極の曲げなどに伴うストレスに強く、信頼性の高い電極を得ることができる一方で、疎水基を有し水に溶けにくい場合がある。このような場合には、水溶液中で粒子が水に溶解しない状態で分散するので、活物質層の形成に使用する溶剤を含む組成物（電極合剤組成物ともいう）を、塗布するために適した粘度にまで高めることが難しいことがある。この際に、粘度調整機能の高い水溶性高分子、例えば多糖類を用いると、溶液の粘度を適度に高める効果が期待できるうえに、ゴム材料と互いに均一に分散し、均一性の高い良好な電極、例えば電極膜厚又は電極抵抗の均一性が高い電極を得ることができる。
【０２７６】
または、結着剤として、ＰＶｄＦ、ポリスチレン、ポリアクリル酸メチル、ポリメタクリル酸メチル（ポリメチルメタクリレート（ＰＭＭＡ））、ポリアクリル酸ナトリウム、ポリビニルアルコール（ＰＶＡ）、ポリエチレンオキシド（ＰＥＯ）、ポリプロピレンオキシド、ポリイミド、ポリ塩化ビニル、ポリテトラフルオロエチレン、ポリエチレン、ポリプロピレン、イソブチレン、ポリエチレンテレフタレート（ＰＥＴ）、ナイロン、ポリアクリロニトリル（ＰＡＮ）、ポリビニルクロライド、エチレンプロピレンジエンポリマー、ポリ酢酸ビニル、ニトロセルロース等の材料を用いることができる。
【０２７７】
結着剤は上記のうち二種類以上を組み合わせて使用してもよい。
【０２７８】
活物質層の総量に対する結着剤の含有量は、１ｗｔ％以上１０ｗｔ％以下が好ましく、２ｗｔ％以上８ｗｔ％以下がより好ましく、３ｗｔ％以上５ｗｔ％以下がさらに好ましい。
【０２７９】
≪電解液≫
電解液５０８の溶媒としては、非プロトン性有機溶媒が好ましく、例えば、エチレンカーボネート（ＥＣ）、プロピレンカーボネート（ＰＣ）、ブチレンカーボネート、クロロエチレンカーボネート、ビニレンカーボネート（ＶＣ）、γ−ブチロラクトン、γ−バレロラクトン、ジメチルカーボネート（ＤＭＣ）、ジエチルカーボネート（ＤＥＣ）、エチルメチルカーボネート（ＥＭＣ）、ギ酸メチル、酢酸メチル、酪酸メチル、１，３−ジオキサン、１，４−ジオキサン、ジメトキシエタン（ＤＭＥ）、ジメチルスルホキシド、ジエチルエーテル、メチルジグライム、アセトニトリル、ベンゾニトリル、テトラヒドロフラン、スルホラン、スルトン等の１種、又はこれらのうちの２種以上を任意の組み合わせ及び比率で用いることができる。
【０２８０】
また、電解液の溶媒として、難燃性及び難揮発性であるイオン液体（常温溶融塩）を一つ又は複数用いることで、蓄電装置の内部短絡、又は過充電等によって内部温度が上昇しても、蓄電装置の破裂又は発火などを防ぐことができる。イオン液体は、カチオンとアニオンからなり、有機カチオンとアニオンとを含む。電解液に用いる有機カチオンとして、四級アンモニウムカチオン、三級スルホニウムカチオン、及び四級ホスホニウムカチオン等の脂肪族オニウムカチオン、並びにイミダゾリウムカチオン及びピリジニウムカチオン等の芳香族カチオンが挙げられる。また、電解液に用いるアニオンとして、１価のアミド系アニオン、１価のメチド系アニオン、フルオロスルホン酸アニオン、パーフルオロアルキルスルホン酸アニオン、テトラフルオロボレートアニオン、パーフルオロアルキルボレートアニオン、ヘキサフルオロホスフェートアニオン、又はパーフルオロアルキルホスフェートアニオン等が挙げられる。
【０２８１】
また、上記の溶媒に溶解させる電解質としては、キャリアにリチウムイオンを用いる場合、例えばＬｉＰＦ６、ＬｉＣｌＯ４、ＬｉＡｓＦ６、ＬｉＢＦ４、ＬｉＡｌＣｌ４、ＬｉＳＣＮ、ＬｉＢｒ、ＬｉＩ、Ｌｉ２ＳＯ４、Ｌｉ２Ｂ１０Ｃｌ１０、Ｌｉ２Ｂ１２Ｃｌ１２、ＬｉＣＦ３ＳＯ３、ＬｉＣ４Ｆ９ＳＯ３、ＬｉＣ（ＣＦ３ＳＯ２）３、ＬｉＣ（Ｃ２Ｆ５ＳＯ２）３、ＬｉＮ（ＦＳＯ２）２、ＬｉＮ（ＣＦ３ＳＯ２）２、ＬｉＮ（Ｃ４Ｆ９ＳＯ２）（ＣＦ３ＳＯ２）、ＬｉＮ（Ｃ２Ｆ５ＳＯ２）２等のリチウム塩を一種、又はこれらのうちの二種以上を任意の組み合わせ及び比率で用いることができる。
【０２８２】
また、蓄電装置に用いる電解液は、粒状のごみ又は電解液の構成元素以外の元素（以下、単に「不純物」ともいう。）の含有量が少ない高純度化された電解液を用いることが好ましい。具体的には、電解液に対する不純物の重量比を１％以下、好ましくは０．１％以下、より好ましくは０．０１％以下とすることが好ましい。
【０２８３】
また、電解液にビニレンカーボネート（ＶＣ）、プロパンスルトン（ＰＳ）、ｔｅｒｔ−ブチルベンゼン（ＴＢＢ）、フルオロエチレンカーボネート（ＦＥＣ）、ＬｉＢＯＢなどの添加剤を添加してもよい。添加剤の濃度は、例えば溶媒全体に対して０．１ｗｔ％以上５ｗｔ％以下とすることができる。
【０２８４】
また、ポリマーを電解液で膨潤させたポリマーゲル電解質を用いてもよい。
【０２８５】
ポリマーとしては、例えばポリエチレンオキシド（ＰＥＯ）などのポリアルキレンオキシド構造を有するポリマー、ＰＶｄＦ、ポリアクリロニトリル等、及びそれらを含む共重合体等を用いることができる。例えばＰＶｄＦとヘキサフルオロプロピレン（ＨＦＰ）の共重合体であるＰＶｄＦ−ＨＦＰを用いることができる。また、ポリマーは、多孔質形状を有してもよい。
【０２８６】
また、電解液に重合開始剤及び架橋剤を添加し、電解液をゲル化してもよい。例えば、イオン液体を構成するカチオン又はアニオンに重合性の官能基を導入し、重合開始剤を用いてそれらを重合することで、イオン液体自体を重合してもよい。そして、重合したイオン液体を架橋剤によりゲル化してもよい。
【０２８７】
また、電解液と組み合わせて、硫化物系もしくは酸化物系等の無機物材料を有する固体電解質、又はＰＥＯ（ポリエチレンオキシド）系等の高分子材料を有する固体電解質を用いてもよい。例えば、固体電解質を活物質層の表面に形成してもよい。また、固体電解質と電解液を組み合わせて用いる場合には、セパレータ又はスペーサの設置が不要となる場合がある。
【０２８８】
また、電解液の溶媒としてゲル化される高分子材料を用いることで、漏液性等に対する安全性が高まる。また、蓄電装置の薄型化及び軽量化が可能である。例えば、ポリエチレンオキシド系、ポリアクリロニトリル系、ポリフッ化ビニリデン系、ポリアクリレート系、ポリメタクリレート系ポリマーを用いることができる。また、常温（例えば２５℃）で電解液をゲル化できるポリマーを用いることが好ましい。または、シリコーンゲルなどを用いてもよい。なお本明細書等において、例えばポリフッ化ビニリデン系ポリマーとは、ポリフッ化ビニリデン（ＰＶｄＦ）を含むポリマーを意味し、ポリ（フッ化ビニリデン−ヘキサフルオロプロピレン）共重合体等を含む。
【０２８９】
なおＦＴ−ＩＲ（フーリエ変換赤外分光光度計）等を用いることで、上記のポリマーを定性分析することができる。例えばポリフッ化ビニリデン系ポリマーは、ＦＴ−ＩＲで得たスペクトルに、Ｃ−Ｆ結合を示す吸収を有する。またポリアクリロニトリル系ポリマーは、ＦＴ−ＩＲで得たスペクトルに、Ｃ≡Ｎ結合を示す吸収を有する。
【０２９０】
≪セパレータ≫
セパレータ５０７には、紙、不織布、ガラス繊維、セラミックス、あるいは、ナイロン（ポリアミド）、ビニロン（ポリビニルアルコール系繊維）、ポリエステル、アクリル、ポリオレフィン、ポリウレタンといった合成繊維等を用いることができる。セパレータ５０７は、単層構造であっても積層構造であってもよい。
【０２９１】
より具体的には、セパレータ５０７には、例えば、フッ素系ポリマー、ポリエチレンオキシド、ポリプロピレンオキシド等のポリエーテル、ポリエチレン、ポリプロピレン等のポリオレフィン、ポリアクリロニトリル、ポリ塩化ビニリデン、ポリメチルメタクリレート、ポリメチルアクリレート、ポリビニルアルコール、ポリメタクリロニトリル、ポリビニルアセテート、ポリビニルピロリドン、ポリエチレンイミン、ポリブタジエン、ポリスチレン、ポリイソプレン、ポリウレタン系高分子、ポリフェニレンサルファイド、及びこれらの誘導体、セルロース、紙、不織布、ガラス繊維から選ばれる一種を単独で、又は二種以上を組み合せて用いることができる。
【０２９２】
≪外装体≫
外装体５０９は、電解液５０８と接する面、すなわち内側の面が電解液５０８と顕著な反応を生じないことが好ましい。また、電池ユニット５００の外部から電池ユニット５００内に水分が混入すると、電解液５０８の成分等と水との反応が生じる場合がある。よって外装体５０９は、水分の透過性が低いことが好ましい。
【０２９３】
外装体５０９には、例えばポリエチレン、ポリプロピレン、ポリカーボネート、アイオノマー、ポリアミド等を用いた膜上に、アルミニウム、ステンレス、銅、ニッケル等の可撓性に優れた金属薄膜を設け、さらに該金属薄膜上に外装体の外面としてポリアミド系樹脂、ポリエステル系樹脂等の絶縁性合成樹脂膜を設けた三層構造のフィルムを用いることができる。このような三層構造とすることで、電解液又は気体の透過を遮断するとともに、絶縁性を確保し、併せて耐電解液性を有する。外装体を内側に折り曲げて重ねて、又は、２つの外装体それぞれの内面を向かい合わせて重ねて熱を加えることにより、内面の材料が融け２つの外装体を融着することができ、封止構造を作製することができる。
【０２９４】
電池ユニット５００は、可撓性を有する外装体５０９を用いることで、可撓性を有する構成とすることができる。可撓性を有する構成とすれば、可撓性を有する部位を少なくとも一部有する蓄電装置又は電子機器に実装することができ、蓄電装置又は電子機器の変形に合わせて電池ユニット５００を曲げることができる。
【０２９５】
＜構成例２＞
図１６（Ａ）に二次電池２００の斜視図を示し、図１６（Ｂ）に二次電池２００の上面図を示す。
【０２９６】
図１７（Ａ）に、図１６（Ｂ）における一点鎖線Ｃ１−Ｃ２間の断面図を示し、図１７（Ｂ）に、図１６（Ｂ）における一点鎖線Ｃ３−Ｃ４間の断面図を示す。なお、図１７（Ａ）、（Ｂ）では図を明瞭にするため、一部の構成要素を抜粋して示す。
【０２９７】
二次電池２００は、正極２１１、負極２１５、及びセパレータ２０３を有する。二次電池２００は、さらに、正極リード２２１、負極リード２２５、及び外装体２０７を有する。
【０２９８】
正極２１１及び負極２１５は、それぞれ、集電体及び活物質層を有する。正極２１１及び負極２１５は、セパレータ２０３を介して、活物質層が互いに対向するように配置されている。
【０２９９】
二次電池２００が有する電極（正極２１１及び負極２１５）は、湾曲の内径側に位置するものより、外径側に位置するものの方が、湾曲の方向について長いことが好ましい。このような構成とすることで、二次電池２００をある曲率で湾曲させた際、正極２１１及び負極２１５の端部を揃えることができる。すなわち、正極２１１が有する正極活物質層のすべての領域を、負極２１５の有する負極活物質層と対向して配置することができる。そのため正極２１１が有する正極活物質を無駄なく電池反応に寄与させることができる。そのため、二次電池２００の体積当たりの容量を大きくすることができる。この構成は、二次電池２００を使用する際に二次電池２００の曲率が固定される場合に特に有効である。
【０３００】
正極リード２２１は、複数の正極２１１と電気的に接続されている。負極リード２２５は、複数の負極２１５と電気的に接続されている。正極リード２２１及び負極リード２２５は、それぞれ封止層２２０を有する。
【０３０１】
外装体２０７は、複数の正極２１１、複数の負極２１５、及び複数のセパレータ２０３を覆う。二次電池２００は、外装体２０７で覆われた領域に電解液（図示しない）を有する。二次電池２００は、外装体２０７の３辺を接着することで封止されている。
【０３０２】
図１７（Ａ）、（Ｂ）では、短冊状のセパレータ２０３を複数用い、正極２１１と負極２１５の間にそれぞれ１つずつセパレータ２０３を配置する例を示したが、本発明の一態様はこれに限られない。１枚のシート状のセパレータをつづら折りにする（蛇腹型にする、ともいえる）、又は捲回することで、正極と負極の間にセパレータが位置するようにしてもよい。
【０３０３】
例えば、図１９（Ａ）〜（Ｄ）に二次電池２００の作製方法を示す。この作製方法を用いる場合の図１６（Ｂ）における一点鎖線Ｃ１−Ｃ２間の断面図を、図１８に示す。
【０３０４】
まず、セパレータ２０３上に、負極２１５を配置する（図１９（Ａ））。このとき、負極２１５が有する負極活物質層が、セパレータ２０３と重畳するように配置する。
【０３０５】
次に、セパレータ２０３を折り曲げ、負極２１５の上にセパレータ２０３を重ねる。次に、セパレータ２０３の上に、正極２１１を重ねる（図１９（Ｂ））。このとき、正極２１１が有する正極活物質層が、セパレータ２０３及び負極活物質層と重畳するように配置する。なお、集電体の片面に活物質層が形成されている電極を用いる場合は、正極２１１の正極活物質層と、負極２１５の負極活物質層がセパレータ２０３を介して対向するように配置する。
【０３０６】
セパレータ２０３にポリプロピレン等の熱溶着が可能な材料を用いている場合は、セパレータ２０３同士が重畳している領域を熱溶着してから次の電極を重ねることで、作製工程中に電極がずれることを抑制できる。具体的には、負極２１５又は正極２１１と重畳しておらず、セパレータ２０３同士が重畳している領域、たとえば図１９（Ｂ）の領域２０３ａで示す領域を熱溶着することが好ましい。
【０３０７】
この工程を繰り返すことで、図１９（Ｃ）に示すように、セパレータ２０３を挟んで正極２１１及び負極２１５を積み重ねることができる。
【０３０８】
なお、あらかじめ繰り返し折り曲げたセパレータ２０３に、複数の負極２１５及び複数の正極２１１を交互に挟むように配置してもよい。
【０３０９】
次に、図１９（Ｃ）に示すように、セパレータ２０３で複数の正極２１１及び複数の負極２１５を覆う。
【０３１０】
さらに、図１９（Ｄ）に示すように、セパレータ２０３同士が重畳している領域、例えば図１９（Ｄ）に示す領域２０３ｂを熱溶着することで、複数の正極２１１と複数の負極２１５を、セパレータ２０３によって覆い、結束する。
【０３１１】
なお、複数の正極２１１、複数の負極２１５及びセパレータ２０３を、結束材を用いて結束してもよい。
【０３１２】
このような工程で正極２１１及び負極２１５を積み重ねるため、セパレータ２０３は、１枚のセパレータ２０３の中で、正極２１１と負極２１５に挟まれている領域と、複数の正極２１１と複数の負極２１５を覆うように配置されている領域とを有する。
【０３１３】
換言すれば、図１８、図１９（Ｄ）に示す二次電池２００が有するセパレータ２０３は、一部が折りたたまれた１枚のセパレータである。セパレータ２０３の折りたたまれた領域に、複数の正極２１１と、複数の負極２１５が挟まれている。
【０３１４】
＜構成例３＞
図２０（Ａ）に二次電池２５０の斜視図を示し、図２０（Ｂ）に二次電池２５０の上面図を示す。また、図２０（Ｃ１）に第１の電極組立体２３０の断面図を示し、図２０（Ｃ２）に第２の電極組立体２３１の断面図を示す。
【０３１５】
二次電池２５０は、第１の電極組立体２３０、第２の電極組立体２３１、及びセパレータ２０３を有する。二次電池２５０は、さらに、正極リード２２１、負極リード２２５、及び外装体２０７を有する。
【０３１６】
図２０（Ｃ１）に示すように、第１の電極組立体２３０は、正極２１１ａ、セパレータ２０３、負極２１５ａ、セパレータ２０３、及び正極２１１ａがこの順で積層されている。正極２１１ａ及び負極２１５ａは、それぞれ、集電体の両面に活物質層を有する構成である。
【０３１７】
図２０（Ｃ２）に示すように、第２の電極組立体２３１は、負極２１５ａ、セパレータ２０３、正極２１１ａ、セパレータ２０３、及び負極２１５ａがこの順で積層されている。正極２１１ａ及び負極２１５ａは、それぞれ、集電体の両面に活物質層を有する構成である。
【０３１８】
つまり、第１の電極組立体２３０及び第２の電極組立体２３１において、正極及び負極は、セパレータ２０３を介して、活物質層が互いに対向するように配置されている。
【０３１９】
正極リード２２１は、複数の正極２１１と電気的に接続されている。負極リード２２５は、複数の負極２１５と電気的に接続されている。正極リード２２１及び負極リード２２５は、それぞれ封止層２２０を有する。
【０３２０】
図２１に、図２０（Ｂ）における一点鎖線Ｃ３−Ｃ４間の断面図の一例を示す。なお、図２１では図を明瞭にするため、一部の構成要素を抜粋して示す。
【０３２１】
図２１に示すように、二次電池２５０は、複数の第１の電極組立体２３０及び複数の第２の電極組立体２３１が、捲回したセパレータ２０３によって覆われている構成を有する。
【０３２２】
外装体２０７は、複数の第１の電極組立体２３０、複数の第２の電極組立体２３１、及びセパレータ２０３を覆う。二次電池２００は、外装体２０７で覆われた領域に電解液（図示しない）を有する。二次電池２００は、外装体２０７の３辺を接着することで封止されている。
【０３２３】
例えば、図２２（Ａ）〜（Ｄ）に二次電池２５０の作製方法を示す。
【０３２４】
まずセパレータ２０３上に、第１の電極組立体２３０を配置する（図２２（Ａ））。
【０３２５】
次に、セパレータ２０３を折り曲げ、第１の電極組立体２３０の上にセパレータ２０３を重ねる。次に、第１の電極組立体２３０の上下に、セパレータ２０３を介して、２組の第２の電極組立体２３１を重ねる（図２２（Ｂ））。
【０３２６】
次に、セパレータ２０３を、２組の第２の電極組立体２３１を覆うように捲回させる。さらに、２組の第２の電極組立体２３１の上下に、セパレータ２０３を介して、２組の第１の電極組立体２３０を重ねる（図２２（Ｃ））。
【０３２７】
次に、セパレータ２０３を、２組の第１の電極組立体２３０を覆うように捲回させる（図２２（Ｄ））。
【０３２８】
このような工程で複数の第１の電極組立体２３０及び複数の第２の電極組立体２３１を積み重ねるため、これらの電極組立体は、渦巻き状に捲回されたセパレータ２０３の間に配置される。
【０３２９】
なお、最も外側に配置される電極は、外側に活物質層を有さないことが好ましい。
【０３３０】
また、図２０（Ｃ１）、（Ｃ２）では、電極組立体が電極３枚とセパレータ２枚を有する構成を示したが、本発明の一態様はこれに限らない。電極を４枚以上、セパレータを３枚以上有する構成としてもよい。電極を増やすことで、二次電池２５０の容量をより向上させることができる。また電極を２枚、セパレータを１枚有する構成としてもよい。電極が少ない場合、より湾曲に強い二次電池とすることができる。また、図２１では、二次電池２５０が第１の電極組立体２３０を３組、第２の電極組立体２３１を２組有する構成を示したが、本発明の一態様はこれに限らない。さらに多くの電極組立体を有する構成としてもよい。電極組立体を増やすことで、二次電池２５０の容量をより向上させることができる。また、より少ない電極組立体を有する構成としてもよい。電極組立体が少ない場合、より湾曲に強い二次電池とすることができる。
【０３３１】
また、図２３に、図２０（Ｂ）における一点鎖線Ｃ３−Ｃ４間の断面図の別の例を示す。図２３に示すように、セパレータ２０３を蛇腹状に折りたたむことで、第１の電極組立体２３０と第２の電極組立体２３１の間にセパレータ２０３を配置してもよい。
【０３３２】
本実施の形態は、他の実施の形態と適宜組み合わせることができる。
【０３３３】
（実施の形態３）
本実施の形態では、本発明の一態様の電子機器に用いることができる発光装置について図面を用いて説明する。本実施の形態では、主に有機ＥＬ素子を用いた発光装置を例示するが、本発明の一態様はこれに限られない。
【０３３４】
＜構成例１＞
図２４（Ａ）に発光装置の平面図を示し、図２４（Ａ）における一点鎖線Ｄ１−Ｄ２間の断面図の一例を図２４（Ｂ）に示す。構成例１で示す発光装置は、カラーフィルタ方式を用いたトップエミッション型の発光装置である。本実施の形態において、発光装置は、例えば、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、又はＲ、Ｇ、Ｂ、Ｙ（黄）の４色の副画素で１つの色を表現する構成等が適用できる。色要素としては特に限定はなく、ＲＧＢＷＹ以外の色を用いてもよく、例えば、シアン又はマゼンタ等を用いてもよい。
【０３３５】
図２４（Ａ）に示す発光装置は、発光部８０４、駆動回路部８０６、ＦＰＣ８０８を有する。
【０３３６】
図２４（Ｂ）に示す発光装置は、可撓性基板７０１、接着層７０３、絶縁層７０５、複数のトランジスタ、導電層８５７、絶縁層８１５、絶縁層８１７、複数の発光素子、絶縁層８２１、接着層８２２、着色層８４５、遮光層８４７、絶縁層７１５、接着層７１３、並びに可撓性基板７１１を有する。接着層８２２、絶縁層７１５、接着層７１３、及び可撓性基板７１１は可視光を透過する。発光部８０４及び駆動回路部８０６に含まれる発光素子及びトランジスタは可撓性基板７０１、可撓性基板７１１、及び接着層８２２によって封止されている。
【０３３７】
発光部８０４は、接着層７０３、及び絶縁層７０５を介して可撓性基板７０１上にトランジスタ８２０及び発光素子８３０を有する。発光素子８３０は、絶縁層８１７上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。下部電極８３１は可視光を反射することが好ましい。上部電極８３５は可視光を透過する。
【０３３８】
また、発光部８０４は、発光素子８３０と重なる着色層８４５と、絶縁層８２１と重なる遮光層８４７と、を有する。発光素子８３０と着色層８４５の間は接着層８２２で充填されている。
【０３３９】
絶縁層８１５は、トランジスタを構成する半導体への不純物の拡散を抑制する効果を奏する。また、絶縁層８１７は、トランジスタ起因の表面凹凸を低減するために平坦化機能を有する絶縁層を選択することが好適である。絶縁層８１７として有機材料を用いる場合、発光装置の端部に露出した絶縁層８１７を通ってトランジスタ又は発光素子８３０等に発光装置の外部から水分等の不純物が侵入する恐れがある。不純物の侵入により、トランジスタ又は発光素子８３０が劣化すると、発光装置の劣化につながる。そのため、図２４（Ｂ）等に示すように、絶縁層８１７に無機膜（ここでは絶縁層８１５）に達する開口を設け、発光装置の外部から水分等の不純物が侵入しても、トランジスタ又は発光素子８３０に到達しにくい構造とすることが好ましい。なお、絶縁層８１７を、発光装置の端部に位置しないように形成してもよい。
【０３４０】
駆動回路部８０６は、接着層７０３及び絶縁層７０５を介して可撓性基板７０１上にトランジスタを複数有する。図２４（Ｂ）では、駆動回路部８０６が有するトランジスタのうち、１つのトランジスタを示している。
【０３４１】
絶縁層７０５と可撓性基板７０１は接着層７０３によって貼り合わされている。また、絶縁層７１５と可撓性基板７１１は接着層７１３によって貼り合わされている。絶縁層７０５及び絶縁層７１５のうち、少なくとも一方に防湿性の高い膜を用いると、発光素子８３０又はトランジスタ８２０に水等の不純物が侵入することを抑制でき、発光装置の信頼性が高くなるため好ましい。
【０３４２】
導電層８５７は、駆動回路部８０６に外部からの信号又は電位を伝達する外部入力端子と電気的に接続する。ここでは、外部入力端子としてＦＰＣ８０８を設ける例を示している。工程数の増加を防ぐため、導電層８５７は、発光部又は駆動回路部に用いる電極又は配線と同一の材料、同一の工程で作製することが好ましい。ここでは、導電層８５７を、トランジスタ８２０を構成する電極と同一の材料、同一の工程で作製した例を示す。
【０３４３】
図２４（Ｂ）に示す発光装置では、ＦＰＣ８０８が可撓性基板７１１上に位置する。接続体８２５は、可撓性基板７１１、接着層７１３、絶縁層７１５、接着層８２２、絶縁層８１７、及び絶縁層８１５に設けられた開口を介して導電層８５７と接続している。また、接続体８２５はＦＰＣ８０８に接続している。接続体８２５を介してＦＰＣ８０８と導電層８５７は電気的に接続する。導電層８５７と可撓性基板７１１とが重なる場合には、可撓性基板７１１を開口する（又は開口部を有する基板を用いる）ことで、導電層８５７、接続体８２５、及びＦＰＣ８０８を電気的に接続させることができる。
【０３４４】
図２４（Ａ）、（Ｂ）に示す発光装置の変形例を示す。図２５（Ａ）に発光装置の平面図を示し、図２５（Ａ）における一点鎖線Ｄ３−Ｄ４間の断面図の一例を図２５（Ｂ）に示す。また、図２５（Ａ）における一点鎖線Ｄ５−Ｄ６間の断面図の一例を図２６（Ａ）に示す。
【０３４５】
図２５（Ａ）、（Ｂ）に示す発光装置は、可撓性基板７０１と可撓性基板７１１の大きさが異なる場合の例である。ＦＰＣ８０８が絶縁層７１５上に位置し、可撓性基板７１１と重ならない。接続体８２５は、絶縁層７１５、接着層８２２、絶縁層８１７、及び絶縁層８１５に設けられた開口を介して導電層８５７と接続している。可撓性基板７１１に開口を設ける必要がないため、可撓性基板７１１の材料が制限されない。
【０３４６】
なお、ガスバリア性又は防湿性が低い有機樹脂を用いて形成する絶縁層は、発光装置の端部に露出させないことが好ましい。このような構成とすることで、発光装置の側面から不純物が侵入することを抑制できる。例えば、図２５（Ｂ）、図２６（Ａ）に示すように、発光装置の端部に、絶縁層８１７を設けない構成としてもよい。
【０３４７】
また、発光部８０４の変形例を図２６（Ｂ）に示す。
【０３４８】
図２６（Ｂ）に示す発光装置は、絶縁層８１７ａ及び絶縁層８１７ｂを有し、絶縁層８１７ａ上に導電層８５６を有する。トランジスタ８２０のソース電極又はドレイン電極と、発光素子８３０の下部電極と、が、導電層８５６を介して、電気的に接続される。
【０３４９】
図２６（Ｂ）に示す発光装置は、絶縁層８２１上にスペーサ８２３を有する。スペーサ８２３を設けることで、可撓性基板７０１と可撓性基板７１１の間隔を調整することができる。
【０３５０】
図２６（Ｂ）に示す発光装置は、着色層８４５及び遮光層８４７を覆うオーバーコート８４９を有する。発光素子８３０とオーバーコート８４９の間は接着層８２２で充填されている。
【０３５１】
また、発光素子８３０の変形例を図２６（Ｃ）に示す。
【０３５２】
なお、図２６（Ｃ）に示すように、発光素子８３０は、下部電極８３１とＥＬ層８３３の間に、光学調整層８３２を有していてもよい。光学調整層８３２には、透光性を有する導電性材料を用いることが好ましい。カラーフィルタ（着色層）とマイクロキャビティ構造（光学調整層）との組み合わせにより、本発明の一態様の発光装置からは、色純度の高い光を取り出すことができる。光学調整層の厚さは、各副画素の発光色に応じて変化させる。
【０３５３】
＜構成例２＞
図２６（Ｄ）に示す発光装置は、可撓性基板７０１、接着層７０３、絶縁層７０５、導電層８１４、導電層８５７ａ、導電層８５７ｂ、発光素子８３０、絶縁層８２１、接着層７１３、及び可撓性基板７１１を有する。
【０３５４】
導電層８５７ａ及び導電層８５７ｂは、発光装置の外部接続電極であり、ＦＰＣ等と電気的に接続させることができる。
【０３５５】
発光素子８３０は、下部電極８３１、ＥＬ層８３３、及び上部電極８３５を有する。下部電極８３１の端部は、絶縁層８２１で覆われている。発光素子８３０はボトムエミッション型、トップエミッション型、又はデュアルエミッション型である。光を取り出す側の電極、基板、絶縁層等は、それぞれ可視光を透過する。導電層８１４は、下部電極８３１と電気的に接続する。
【０３５６】
光を取り出す側の基板は、光取り出し構造として、半球レンズ、マイクロレンズアレイ、凹凸構造が施されたフィルム、光拡散フィルム等を有していてもよい。例えば、樹脂基板上に上記レンズ又はフィルムを、該基板又は該レンズもしくはフィルムと同程度の屈折率を有する接着剤等を用いて接着することで、光取り出し構造を有する基板を形成することができる。
【０３５７】
導電層８１４は必ずしも設ける必要は無いが、下部電極８３１の抵抗に起因する電圧降下を抑制できるため、設けることが好ましい。また、同様の目的で、上部電極８３５と電気的に接続する導電層を絶縁層８２１上、ＥＬ層８３３上、又は上部電極８３５上などに設けてもよい。
【０３５８】
導電層８１４は、銅、チタン、タンタル、タングステン、モリブデン、クロム、ネオジム、スカンジウム、ニッケル、アルミニウムから選ばれた材料又はこれらを主成分とする合金材料等を用いて、単層で又は積層して形成することができる。導電層８１４の厚さは、例えば、０．１μｍ以上３μｍ以下とすることができ、好ましくは、０．１μｍ以上０．５μｍ以下である。
【０３５９】
＜構成例３＞
図２５（Ａ）に発光装置の平面図を示し、図２５（Ａ）における一点鎖線Ｄ３−Ｄ４間の断面図の一例を図２７（Ａ）に示す。構成例３で示す発光装置は、カラーフィルタ方式を用いたボトムエミッション型の発光装置である。
【０３６０】
図２７（Ａ）に示す発光装置は、可撓性基板７０１、接着層７０３、絶縁層７０５、複数のトランジスタ、導電層８５７、絶縁層８１５、着色層８４５、絶縁層８１７ａ、絶縁層８１７ｂ、導電層８５６、複数の発光素子、絶縁層８２１、接着層７１３、及び可撓性基板７１１を有する。可撓性基板７０１、接着層７０３、絶縁層７０５、絶縁層８１５、絶縁層８１７ａ、及び絶縁層８１７ｂは可視光を透過する。
【０３６１】
発光部８０４は、接着層７０３、及び絶縁層７０５を介して可撓性基板７０１上にトランジスタ８２０、トランジスタ８２４、及び発光素子８３０を有する。発光素子８３０は、絶縁層８１７ｂ上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。上部電極８３５は可視光を反射することが好ましい。下部電極８３１は可視光を透過する。発光素子８３０と重なる着色層８４５を設ける位置は、特に限定されず、例えば、絶縁層８１７ａと絶縁層８１７ｂの間、又は絶縁層８１５と絶縁層８１７ａの間等に設けることができる。
【０３６２】
駆動回路部８０６は、接着層７０３及び絶縁層７０５を介して可撓性基板７０１上にトランジスタを複数有する。図２７（Ａ）では、駆動回路部８０６が有するトランジスタのうち、２つのトランジスタを示している。
【０３６３】
絶縁層７０５と可撓性基板７０１は接着層７０３によって貼り合わされている。絶縁層７０５に防湿性の高い膜を用いると、発光素子８３０、トランジスタ８２０、又はトランジスタ８２４に水等の不純物が侵入することを抑制でき、発光装置の信頼性が高くなるため好ましい。
【０３６４】
導電層８５７は、駆動回路部８０６に外部からの信号又は電位を伝達する外部入力端子と電気的に接続する。ここでは、外部入力端子としてＦＰＣ８０８を設ける例を示している。また、ここでは、導電層８５７を、導電層８５６と同一の材料、同一の工程で作製した例を示す。
【０３６５】
＜構成例４＞
図２５（Ａ）に発光装置の平面図を示し、図２５（Ａ）における一点鎖線Ｄ３−Ｄ４間の断面図の一例を図２７（Ｂ）に示す。構成例４で示す発光装置は、塗り分け方式を用いたトップエミッション型の発光装置である。
【０３６６】
図２７（Ｂ）に示す発光装置は、可撓性基板７０１、接着層７０３、絶縁層７０５、複数のトランジスタ、導電層８５７、絶縁層８１５、絶縁層８１７、複数の発光素子、絶縁層８２１、スペーサ８２３、接着層７１３、及び可撓性基板７１１を有する。接着層７１３及び可撓性基板７１１は可視光を透過する。
【０３６７】
図２７（Ｂ）に示す発光装置では、接続体８２５が絶縁層８１５上に位置する。接続体８２５は、絶縁層８１５に設けられた開口を介して導電層８５７と接続している。また、接続体８２５はＦＰＣ８０８に接続している。接続体８２５を介してＦＰＣ８０８と導電層８５７は電気的に接続する。
【０３６８】
＜材料の一例＞
次に、発光装置に用いることができる材料等を説明する。なお、本明細書中で先に説明した構成については説明を省略する場合がある。
【０３６９】
基板には、ガラス、石英、有機樹脂、金属、合金、半導体などの材料を用いることができる。発光素子からの光を取り出す側の基板は、該光を透過する材料を用いる。
【０３７０】
特に、可撓性基板を用いることが好ましい。例えば、有機樹脂、又は可撓性を有する程度の厚さのガラス、金属、もしくは合金を用いることができる。例えば、可撓性基板の厚さは、１μｍ以上２００μｍ以下が好ましく、１μｍ以上１００μｍ以下がより好ましく、１０μｍ以上５０μｍ以下がさらに好ましく、１０μｍ以上２５μｍ以下がさらに好ましい。
【０３７１】
ガラスに比べて有機樹脂は比重が小さいため、可撓性基板として有機樹脂を用いると、ガラスを用いる場合に比べて発光装置を軽量化でき、好ましい。
【０３７２】
基板には、靱性が高い材料を用いることが好ましい。これにより、耐衝撃性に優れ、破損しにくい発光装置を実現できる。例えば、有機樹脂基板、又は厚さの薄い金属基板もしくは合金基板を用いることで、ガラス基板を用いる場合に比べて、軽量であり、破損しにくい発光装置を実現できる。
【０３７３】
金属材料及び合金材料は熱伝導性が高く、基板全体に熱を容易に伝導できるため、発光装置の局所的な温度上昇を抑制することができ、好ましい。金属材料又は合金材料を用いた基板の厚さは、１０μｍ以上２００μｍ以下が好ましく、２０μｍ以上５０μｍ以下であることがより好ましい。
【０３７４】
金属基板又は合金基板を構成する材料としては、特に限定はないが、例えば、アルミニウム、銅、ニッケル、又は、アルミニウム合金もしくはステンレス等の金属の合金などを好適に用いることができる。半導体基板を構成する材料としては、シリコン等が挙げられる。
【０３７５】
また、基板に、熱放射率が高い材料を用いると発光装置の表面温度が高くなることを抑制でき、発光装置の破壊又は信頼性の低下を抑制できる。例えば、基板を金属基板と熱放射率の高い層（例えば、金属酸化物又はセラミック材料を用いることができる）の積層構造としてもよい。
【０３７６】
可撓性及び透光性を有する材料としては、例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂（ナイロン、アラミド等）、シクロオレフィン樹脂、ポリスチレン樹脂、ポリアミドイミド樹脂、ポリ塩化ビニル樹脂、ポリテトラフルオロエチレン（ＰＴＦＥ）樹脂等が挙げられる。特に、線膨張係数の低い材料を用いることが好ましく、例えば、ポリアミドイミド樹脂、ポリイミド樹脂、ポリアミド樹脂、ＰＥＴ等を好適に用いることができる。また、繊維体に樹脂を含浸した基板（プリプレグともいう）、又は無機フィラーを有機樹脂に混ぜて線膨張係数を下げた基板を使用することもできる。
【０３７７】
可撓性基板としては、上記材料を用いた層が、装置の表面を傷などから保護するハードコート層（例えば、窒化シリコン層など）、又は押圧を分散可能な材質の層（例えば、アラミド樹脂層など）等と積層されて構成されていてもよい。
【０３７８】
可撓性基板は、複数の層を積層して用いることもできる。特に、ガラス層を有する構成とすると、水又は酸素に対するバリア性を向上させ、信頼性の高い発光装置とすることができる。
【０３７９】
例えば、発光素子に近い側からガラス層、接着層、及び有機樹脂層を積層した可撓性基板を用いることができる。当該ガラス層の厚さとしては２０μｍ以上２００μｍ以下、好ましくは２５μｍ以上１００μｍ以下とする。このような厚さのガラス層は、水又は酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層を設けることにより、ガラス層の割れ又はクラックを抑制し、機械的強度を向上させることができる。このようなガラス材料と有機樹脂の複合材料を基板に適用することにより、極めて信頼性が高いフレキシブルな発光装置とすることができる。
【０３８０】
接着層には、紫外線硬化型等の光硬化型接着剤、反応硬化型接着剤、熱硬化型接着剤、嫌気型接着剤などの各種硬化型接着剤を用いることができる。また、接着シート等を用いてもよい。
【０３８１】
また、接着層には乾燥剤を含んでいてもよい。例えば、アルカリ土類金属の酸化物（酸化カルシウム又は酸化バリウム等）のように、化学吸着によって水分を吸着する物質を用いることができる。または、ゼオライト又はシリカゲル等のように、物理吸着によって水分を吸着する物質を用いてもよい。乾燥剤が含まれていると、水分などの不純物が機能素子に侵入することを抑制でき、発光装置の信頼性が向上するため好ましい。
【０３８２】
また、接着層に屈折率の高いフィラー又は光散乱部材を含ませることで、発光素子からの光取り出し効率を向上させることができる。例えば、酸化チタン、酸化バリウム、ゼオライト、ジルコニウム等を用いることができる。
【０３８３】
絶縁層７０５及び絶縁層７１５としては、それぞれ、防湿性の高い絶縁膜を用いることが好ましい。または、絶縁層７０５及び絶縁層７１５は、それぞれ、不純物の発光素子への拡散を防ぐ機能を有していることが好ましい。
【０３８４】
防湿性の高い絶縁膜としては、窒化シリコン膜、窒化酸化シリコン膜等の窒素と珪素を含む膜、及び窒化アルミニウム膜等の窒素とアルミニウムを含む膜等が挙げられる。また、酸化シリコン膜、酸化窒化シリコン膜、酸化アルミニウム膜等を用いてもよい。
【０３８５】
例えば、防湿性の高い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０３８６】
発光装置において、絶縁層７０５又は絶縁層７１５の少なくとも一方は、発光素子の発光を透過する必要がある。絶縁層７０５又は絶縁層７１５のうち、発光素子の発光を透過する側の絶縁層は、他方の絶縁層よりも、波長４００ｎｍ以上８００ｎｍ以下における光の透過率の平均が高いことが好ましい。
【０３８７】
発光装置が有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、シリコン、ゲルマニウム、有機半導体等が挙げられる。または、Ｉｎ−Ｇａ−Ｚｎ系金属酸化物などの、インジウム、ガリウム、亜鉛のうち少なくとも一つを含む酸化物半導体を用いてもよい。
【０３８８】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０３８９】
本発明の一態様では、トランジスタに用いる半導体材料として、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは非晶質とは異なり、欠陥準位が少なく、トランジスタの信頼性を高めることができる。また、ＣＡＡＣ−ＯＳは結晶粒界が確認されないという特徴を有するため、大面積に安定で均一な膜を形成することが可能で、また可撓性を有する発光装置を湾曲させたときの応力によってＣＡＡＣ−ＯＳ膜にクラックが生じにくい。
【０３９０】
ＣＡＡＣ−ＯＳは、膜面に対して、結晶のｃ軸が概略垂直配向した結晶性酸化物半導体のことである。酸化物半導体の結晶構造としては他にナノスケールの微結晶集合体であるｎａｎｏ−ｃｒｙｓｔａｌ（ｎｃ）など、単結晶とは異なる多彩な構造が存在することが確認されている。ＣＡＡＣ−ＯＳは、単結晶よりも結晶性が低く、ｎｃに比べて結晶性が高い。
【０３９１】
トランジスタの特性安定化等のため、下地膜を設けることが好ましい。下地膜としては、酸化シリコン膜、窒化シリコン膜、酸化窒化シリコン膜、窒化酸化シリコン膜などの無機絶縁膜を用い、単層で又は積層して作製することができる。下地膜はスパッタリング法、ＣＶＤ（Ｃｈｅｍｉｃａｌ  Ｖａｐｏｒ  Ｄｅｐｏｓｉｔｉｏｎ）法（プラズマＣＶＤ法、熱ＣＶＤ法、ＭＯＣＶＤ（Ｍｅｔａｌ  Ｏｒｇａｎｉｃ  ＣＶＤ）法など）、ＡＬＤ（Ａｔｏｍｉｃ  Ｌａｙｅｒ  Ｄｅｐｏｓｉｔｉｏｎ）法、塗布法、印刷法等を用いて形成できる。なお、下地膜は、必要で無ければ設けなくてもよい。上記各構成例では、絶縁層７０５がトランジスタの下地膜を兼ねることができる。
【０３９２】
発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０３９３】
発光素子は、トップエミッション型、ボトムエミッション型、デュアルエミッション型のいずれであってもよい。光を取り出す側の電極には、可視光を透過する導電膜を用いる。また、光を取り出さない側の電極には、可視光を反射する導電膜を用いることが好ましい。
【０３９４】
可視光を透過する導電膜は、例えば、酸化インジウム、インジウム錫酸化物（ＩＴＯ：Ｉｎｄｉｕｍ  Ｔｉｎ  Ｏｘｉｄｅ）、インジウム亜鉛酸化物、酸化亜鉛（ＺｎＯ）、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電膜として用いることができる。例えば、銀とマグネシウムの合金とＩＴＯの積層膜などを用いると、導電性を高めることができるため好ましい。また、グラフェン等を用いてもよい。
【０３９５】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料又は合金に、ランタン、ネオジム、又はゲルマニウム等が添加されていてもよい。また、アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、銀とマグネシウムの合金等の銀を含む合金を用いて形成することができる。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０３９６】
電極は、それぞれ、蒸着法又はスパッタリング法を用いて形成することができる。そのほか、インクジェット法などの吐出法、スクリーン印刷法などの印刷法、又はメッキ法を用いて形成することができる。
【０３９７】
下部電極８３１及び上部電極８３５の間に、発光素子の閾値電圧より高い電圧を印加すると、ＥＬ層８３３に陽極側から正孔が注入され、陰極側から電子が注入される。注入された電子と正孔はＥＬ層８３３において再結合し、ＥＬ層８３３に含まれる発光物質が発光する。
【０３９８】
ＥＬ層８３３は少なくとも発光層を有する。ＥＬ層８３３は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０３９９】
ＥＬ層８３３には低分子系化合物及び高分子系化合物のいずれを用いることもでき、無機化合物を含んでいてもよい。ＥＬ層８３３を構成する層は、それぞれ、蒸着法（真空蒸着法を含む）、転写法、印刷法、インクジェット法、塗布法等の方法で形成することができる。
【０４００】
発光素子８３０は、２種類以上の発光物質を含んでいてもよい。これにより、例えば、白色発光の発光素子を実現することができる。例えば２種類以上の発光物質の各々の発光が補色の関係となるように、発光物質を選択することにより白色発光を得ることができる。例えば、Ｒ（赤）、Ｇ（緑）、Ｂ（青）、Ｙ（黄）、又はＯ（橙）等の発光を示す発光物質、又はＲ、Ｇ、Ｂのうち２以上の色のスペクトル成分を含む発光を示す発光物質を用いることができる。例えば、青の発光を示す発光物質と、黄の発光を示す発光物質を用いてもよい。このとき、黄の発光を示す発光物質の発光スペクトルは、緑及び赤のスペクトル成分を含むことが好ましい。また、発光素子８３０の発光スペクトルは、可視領域の波長（例えば３５０ｎｍ以上７５０ｎｍ以下、又は４００ｎｍ以上８００ｎｍ以下など）の範囲内に２以上のピークを有することが好ましい。
【０４０１】
ＥＬ層８３３は、複数の発光層を有していてもよい。ＥＬ層８３３において、複数の発光層は、互いに接して積層されていてもよいし、分離層を介して積層されていてもよい。例えば、蛍光発光層と、燐光発光層との間に、分離層を設けてもよい。
【０４０２】
分離層は、例えば、燐光発光層中で生成する燐光材料の励起状態から蛍光発光層中の蛍光材料へのデクスター機構によるエネルギー移動（特に三重項エネルギー移動）を防ぐために設けることができる。分離層は数ｎｍ程度の厚さがあればよい。具体的には、０．１ｎｍ以上２０ｎｍ以下、あるいは１ｎｍ以上１０ｎｍ以下、あるいは１ｎｍ以上５ｎｍ以下である。分離層は、単一の材料（好ましくはバイポーラ性の物質）、又は複数の材料（好ましくは正孔輸送性材料及び電子輸送性材料）を含む。
【０４０３】
分離層は、該分離層と接する発光層に含まれる材料を用いて形成してもよい。これにより、発光素子の作製が容易になり、また、駆動電圧が低減される。例えば、燐光発光層が、ホスト材料、アシスト材料、及び燐光材料（ゲスト材料）からなる場合、分離層を、該ホスト材料及びアシスト材料で形成してもよい。上記構成を別言すると、分離層は、燐光材料を含まない領域を有し、燐光発光層は、燐光材料を含む領域を有する。これにより、分離層と燐光発光層とを燐光材料の有無で蒸着することが可能となる。また、このような構成とすることで、分離層と燐光発光層を同じチャンバーで成膜することが可能となる。これにより、製造コストを削減することができる。
【０４０４】
また、発光素子８３０は、ＥＬ層を１つ有するシングル素子であってもよいし、電荷発生層を介して積層されたＥＬ層を複数有するタンデム素子であってもよい。
【０４０５】
発光素子は、一対の防湿性の高い絶縁膜の間に設けられていることが好ましい。これにより、発光素子に水等の不純物が侵入することを抑制でき、発光装置の信頼性の低下を抑制できる。具体的には、上記のように、絶縁層７０５及び絶縁層７１５として、防湿性の高い絶縁膜を用いると、発光素子が一対の防湿性の高い絶縁膜の間に位置し、発光装置の信頼性の低下を抑制できる。
【０４０６】
絶縁層８１５としては、例えば、酸化シリコン膜、酸化窒化シリコン膜、酸化アルミニウム膜などの無機絶縁膜を用いることができる。また、絶縁層８１７、絶縁層８１７ａ、及び絶縁層８１７ｂとしては、例えば、ポリイミド、アクリル、ポリアミド、ポリイミドアミド、ベンゾシクロブテン系樹脂等の有機材料をそれぞれ用いることができる。また、低誘電率材料（ｌｏｗ−ｋ材料）等を用いることができる。また、絶縁膜を複数積層させることで、各絶縁層を形成してもよい。
【０４０７】
絶縁層８２１としては、有機絶縁材料又は無機絶縁材料を用いて形成する。樹脂としては、例えば、ポリイミド樹脂、ポリアミド樹脂、アクリル樹脂、シロキサン樹脂、エポキシ樹脂、又はフェノール樹脂等を用いることができる。特に感光性の樹脂材料を用い、下部電極８３１上に開口部を形成し、その開口部の側壁が曲率を持って形成される傾斜面となるように形成することが好ましい。
【０４０８】
絶縁層８２１の形成方法は、特に限定されない。例えば、フォトリソグラフィ法、スパッタ法、蒸着法、液滴吐出法（インクジェット法等）、印刷法（スクリーン印刷、オフセット印刷等）等を用いることができる。
【０４０９】
スペーサ８２３は、無機絶縁材料、有機絶縁材料、金属材料等を用いて形成することができる。例えば、無機絶縁材料又は有機絶縁材料としては、上記絶縁層に用いることができる各種材料が挙げられる。金属材料としては、チタン、アルミニウムなどを用いることができる。導電材料を含むスペーサ８２３と上部電極８３５とを電気的に接続させる構成とすることで、上部電極８３５の抵抗に起因した電位降下を抑制できる。また、スペーサ８２３は、順テーパ形状であっても逆テーパ形状であってもよい。
【０４１０】
トランジスタの電極もしくは配線、又は発光素子の補助電極等として機能する、発光装置に用いる導電層は、例えば、モリブデン、チタン、クロム、タンタル、タングステン、アルミニウム、銅、ネオジム、スカンジウム等の金属材料又はこれらの元素を含む合金材料を用いて、単層で又は積層して形成することができる。また、導電層は、導電性の金属酸化物を用いて形成してもよい。導電性の金属酸化物としては酸化インジウム（Ｉｎ２Ｏ３等）、酸化スズ（ＳｎＯ２等）、ＺｎＯ、ＩＴＯ、インジウム亜鉛酸化物（Ｉｎ２Ｏ３−ＺｎＯ等）又はこれらの金属酸化物材料に酸化シリコンを含ませたものを用いることができる。
【０４１１】
着色層は特定の波長帯域の光を透過する有色層である。例えば、赤色、緑色、青色、又は黄色の波長帯域の光を透過するカラーフィルタなどを用いることができる。各着色層は、様々な材料を用いて、印刷法、インクジェット法、フォトリソグラフィ法を用いたエッチング方法などでそれぞれ所望の位置に形成する。また、白色の副画素では、発光素子と重ねて透明又は白色等の樹脂を配置してもよい。
【０４１２】
遮光層は、隣接する着色層の間に設けられている。遮光層は隣接する発光素子からの光を遮光し、隣接する発光素子間における混色を抑制する。ここで、着色層の端部を、遮光層と重なるように設けることにより、光漏れを抑制することができる。遮光層としては、発光素子からの発光を遮る材料を用いることができ、例えば、金属材料又は顔料もしくは染料を含む樹脂材料を用いてブラックマトリクスを形成することができる。なお、遮光層は、駆動回路部などの発光部以外の領域に設けると、導波光などによる意図しない光漏れを抑制できるため好ましい。
【０４１３】
また、着色層及び遮光層を覆うオーバーコートを設けてもよい。オーバーコートを設けることで、着色層に含有された不純物等の発光素子への拡散を防止することができる。オーバーコートは、発光素子からの発光を透過する材料から構成され、例えば窒化シリコン膜、酸化シリコン膜等の無機絶縁膜、又はアクリル膜、ポリイミド膜等の有機絶縁膜を用いることができ、有機絶縁膜と無機絶縁膜との積層構造としてもよい。
【０４１４】
また、接着層の材料を着色層及び遮光層上に塗布する場合、オーバーコートの材料として接着層の材料に対して濡れ性の高い材料を用いることが好ましい。例えば、オーバーコートとして、ＩＴＯ膜などの酸化物導電膜、又は透光性を有する程度に薄いＡｇ膜等の金属膜を用いることが好ましい。
【０４１５】
オーバーコートの材料に、接着層の材料に対して濡れ性の高い材料を用いることで、接着層の材料を均一に塗布することができる。これにより、一対の基板を貼り合わせた際に気泡が混入することを抑制でき、表示不良を抑制できる。
【０４１６】
接続体としては、様々な異方性導電フィルム（ＡＣＦ：Ａｎｉｓｏｔｒｏｐｉｃ  Ｃｏｎｄｕｃｔｉｖｅ  Ｆｉｌｍ）、又は異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０４１７】
上述の通り、本発明の一態様は、発光装置、表示装置、入出力装置等に適用することができる。表示素子としては、例えば、ＥＬ素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、液晶素子、電気泳動素子、ＭＥＭＳ（マイクロ・エレクトロ・メカニカル・システム）を用いた表示素子等が挙げられる。
【０４１８】
なお、本発明の一態様の発光装置は、表示装置として用いてもよいし、照明装置として用いてもよい。例えば、バックライト又はフロントライトなどの光源、つまり、表示装置のための照明装置として活用してもよい。
【０４１９】
本実施の形態は、他の実施の形態と適宜組み合わせることができる。
【０４２０】
（実施の形態４）
本実施の形態では、本発明の一態様の電子機器に用いることができる入出力装置について図面を用いて説明する。なお、入出力装置が有する構成要素のうち、実施の形態３で説明した発光装置が有する構成要素と同様の構成要素については、先の記載も参照することができる。また、本実施の形態では、発光素子を用いたタッチパネルを例示するが、これに限られない。
【０４２１】
＜構成例１＞
図２８（Ａ）は入出力装置の上面図である。図２８（Ｂ）は図２８（Ａ）の一点鎖線Ａ−Ｂ間及び一点鎖線Ｃ−Ｄ間の断面図である。図２８（Ｃ）は図２８（Ａ）の一点鎖線Ｅ−Ｆ間の断面図である。
【０４２２】
図２８（Ａ）に示すタッチパネル３９０は、表示部３０１（入力部も兼ねる）、走査線駆動回路３０３ｇ（１）、撮像画素駆動回路３０３ｇ（２）、画像信号線駆動回路３０３ｓ（１）、及び撮像信号線駆動回路３０３ｓ（２）を有する。
【０４２３】
表示部３０１は、複数の画素３０２と、複数の撮像画素３０８と、を有する。
【０４２４】
画素３０２は、複数の副画素を有する。各副画素は、発光素子及び画素回路を有する。
【０４２５】
画素回路は、発光素子を駆動する電力を供給することができる。画素回路は、選択信号を供給することができる配線と電気的に接続される。また、画素回路は、画像信号を供給することができる配線と電気的に接続される。
【０４２６】
走査線駆動回路３０３ｇ（１）は、選択信号を画素３０２に供給することができる。
【０４２７】
画像信号線駆動回路３０３ｓ（１）は、画像信号を画素３０２に供給することができる。
【０４２８】
撮像画素３０８を用いてタッチセンサを構成することができる。具体的には、撮像画素３０８は、表示部３０１に触れる指等を検知することができる。
【０４２９】
撮像画素３０８は、光電変換素子及び撮像画素回路を有する。
【０４３０】
撮像画素回路は、光電変換素子を駆動することができる。撮像画素回路は、制御信号を供給することができる配線と電気的に接続される。また、撮像画素回路は、電源電位を供給することができる配線と電気的に接続される。
【０４３１】
制御信号としては、例えば、記録された撮像信号を読み出す撮像画素回路を選択することができる信号、撮像画素回路を初期化することができる信号、及び撮像画素回路が光を検知する時間を決定することができる信号などを挙げることができる。
【０４３２】
撮像画素駆動回路３０３ｇ（２）は、制御信号を撮像画素３０８に供給することができる。
【０４３３】
撮像信号線駆動回路３０３ｓ（２）は、撮像信号を読み出すことができる。
【０４３４】
図２８（Ｂ）、（Ｃ）に示すように、タッチパネル３９０は、可撓性基板７０１、接着層７０３、絶縁層７０５、可撓性基板７１１、接着層７１３、及び絶縁層７１５を有する。また、可撓性基板７０１及び可撓性基板７１１は、接着層３６０で貼り合わされている。
【０４３５】
可撓性基板７０１と絶縁層７０５は接着層７０３で貼り合わされている。また、可撓性基板７１１と絶縁層７１５は接着層７１３で貼り合わされている。基板、接着層、及び絶縁層に用いることができる材料については実施の形態３を参照することができる。
【０４３６】
画素３０２は、副画素３０２Ｒ、副画素３０２Ｇ、及び副画素３０２Ｂを有する（図２８（Ｃ））。また、副画素３０２Ｒは発光モジュール３８０Ｒを有し、副画素３０２Ｇは発光モジュール３８０Ｇを有し、副画素３０２Ｂは発光モジュール３８０Ｂを有する。
【０４３７】
例えば副画素３０２Ｒは、発光素子３５０Ｒ及び画素回路を有する。画素回路は、発光素子３５０Ｒに電力を供給することができるトランジスタ３０２ｔを含む。また、発光モジュール３８０Ｒは、発光素子３５０Ｒ及び光学素子（例えば赤色の光を透過する着色層３６７Ｒ）を有する。
【０４３８】
発光素子３５０Ｒは、下部電極３５１Ｒ、ＥＬ層３５３、及び上部電極３５２をこの順で積層して有する（図２８（Ｃ））。
【０４３９】
ＥＬ層３５３は、第１のＥＬ層３５３ａ、中間層３５４、及び第２のＥＬ層３５３ｂをこの順で積層して有する。
【０４４０】
なお、特定の波長の光を効率よく取り出せるように、発光モジュール３８０Ｒにマイクロキャビティ構造を配設することができる。具体的には、特定の光を効率よく取り出せるように配置された可視光を反射する膜及び半反射・半透過する膜の間にＥＬ層を配置してもよい。
【０４４１】
例えば、発光モジュール３８０Ｒは、発光素子３５０Ｒと着色層３６７Ｒに接する接着層３６０を有する。着色層３６７Ｒは発光素子３５０Ｒと重なる位置にある。これにより、発光素子３５０Ｒが発する光の一部は、接着層３６０及び着色層３６７Ｒを透過して、図中の矢印に示すように発光モジュール３８０Ｒの外部に射出される。
【０４４２】
タッチパネル３９０は、遮光層３６７ＢＭを有する。遮光層３６７ＢＭは、着色層（例えば着色層３６７Ｒ）を囲むように設けられている。
【０４４３】
タッチパネル３９０は、反射防止層３６７ｐを表示部３０１に重なる位置に有する。反射防止層３６７ｐとして、例えば円偏光板を用いることができる。
【０４４４】
タッチパネル３９０は、絶縁層３２１を有する。絶縁層３２１はトランジスタ３０２ｔ等を覆っている。なお、絶縁層３２１は画素回路又は撮像画素回路に起因する凹凸を平坦化するための層として用いることができる。また、不純物のトランジスタ３０２ｔ等への拡散を抑制することができる絶縁層で、トランジスタ３０２ｔ等を覆うことが好ましい。
【０４４５】
タッチパネル３９０は、下部電極３５１Ｒの端部に重なる隔壁３２８を有する。また、可撓性基板７０１と可撓性基板７１１の間隔を制御するスペーサ３２９を、隔壁３２８上に有する。
【０４４６】
画像信号線駆動回路３０３ｓ（１）は、トランジスタ３０３ｔ及び容量３０３ｃを含む。なお、駆動回路は画素回路と同一の工程で同一基板上に形成することができる。図２８（Ｂ）に示すようにトランジスタ３０３ｔは絶縁層３２１上に第２のゲート３０４を有していてもよい。第２のゲート３０４はトランジスタ３０３ｔのゲートと電気的に接続されていてもよいし、これらに異なる電位が与えられていてもよい。また、必要であれば、第２のゲート３０４をトランジスタ３０８ｔ又はトランジスタ３０２ｔ等にそれぞれ設けてもよい。
【０４４７】
撮像画素３０８は、光電変換素子３０８ｐ及び撮像画素回路を有する。撮像画素回路は、光電変換素子３０８ｐに照射された光を検知することができる。撮像画素回路は、トランジスタ３０８ｔを含む。例えばｐｉｎ型のフォトダイオードを光電変換素子３０８ｐに用いることができる。
【０４４８】
タッチパネル３９０は、信号を供給することができる配線３１１を有し、端子３１９が配線３１１に設けられている。画像信号及び同期信号等の信号を供給することができるＦＰＣ３０９が端子３１９に電気的に接続されている。ＦＰＣ３０９にはプリント配線基板（ＰＷＢ）が取り付けられていてもよい。
【０４４９】
なお、トランジスタ３０２ｔ、トランジスタ３０３ｔ、トランジスタ３０８ｔ等のトランジスタは、同一の工程で形成することができる。または、それぞれ異なる工程で形成してもよい。
【０４５０】
＜構成例２＞
図２９（Ａ）、（Ｂ）は、タッチパネル５２５の斜視図である。なお明瞭化のため、代表的な構成要素を示す。図３０は、図２９（Ａ）に示す一点鎖線Ｘ１−Ｘ２間の断面図である。
【０４５１】
図２９（Ａ）、（Ｂ）に示すように、タッチパネル５２５は、表示部５２１、走査線駆動回路３０３ｇ（１）、及びタッチセンサ５９５等を有する。また、タッチパネル５２５は、可撓性基板７０１、可撓性基板７１１、及び可撓性基板５９０を有する。
【０４５２】
タッチパネル５２５は、複数の画素及び複数の配線３１１を有する。複数の配線３１１は、画素に信号を供給することができる。複数の配線３１１は、可撓性基板７０１の外周部にまで引き回され、その一部が端子３１９を構成している。端子３１９はＦＰＣ５２９（１）と電気的に接続する。
【０４５３】
タッチパネル５２５は、タッチセンサ５９５及び複数の配線５９８を有する。複数の配線５９８は、タッチセンサ５９５と電気的に接続される。複数の配線５９８は可撓性基板５９０の外周部に引き回され、その一部は端子を構成する。そして、当該端子はＦＰＣ５２９（２）と電気的に接続される。なお、図２９（Ｂ）では明瞭化のため、可撓性基板５９０の裏面側（可撓性基板７０１と対向する面側）に設けられるタッチセンサ５９５の電極及び配線等を実線で示している。
【０４５４】
タッチセンサ５９５には、例えば静電容量方式のタッチセンサを適用できる。静電容量方式としては、表面型静電容量方式、投影型静電容量方式等がある。ここでは、投影型静電容量方式のタッチセンサを適用する場合を示す。
【０４５５】
投影型静電容量方式としては、自己容量方式、相互容量方式などがある。相互容量方式を用いると同時多点検出が可能となるため好ましい。
【０４５６】
なお、タッチセンサ５９５には、指等の検知対象の近接又は接触を検知することができるさまざまなセンサを適用することができる。
【０４５７】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０４５８】
電極５９２は、図２９（Ａ）、（Ｂ）に示すように、一方向に繰り返し配置された複数の四辺形が角部で接続された形状を有する。
【０４５９】
電極５９１は四辺形であり、電極５９２が延在する方向と交差する方向に繰り返し配置されている。なお、複数の電極５９１は、一の電極５９２と必ずしも直交する方向に配置される必要はなく、９０度未満の角度をなすように配置されてもよい。
【０４６０】
配線５９４は電極５９２と交差して設けられている。配線５９４は、電極５９２の一つを挟む二つの電極５９１を電気的に接続する。このとき、電極５９２と配線５９４の交差部の面積ができるだけ小さくなる形状が好ましい。これにより、電極が設けられていない領域の面積を低減でき、光の透過率のムラを低減できる。その結果、タッチセンサ５９５を透過する光の輝度ムラを低減することができる。
【０４６１】
なお、電極５９１、電極５９２の形状はこれに限られず、様々な形状を取りうる。
【０４６２】
図３０（Ａ）に示すように、タッチパネル５２５は、可撓性基板７０１、接着層７０３、絶縁層７０５、可撓性基板７１１、接着層７１３、及び絶縁層７１５を有する。また、可撓性基板７０１及び可撓性基板７１１は、接着層３６０で貼り合わされている。
【０４６３】
接着層５９７は、タッチセンサ５９５が表示部５２１に重なるように、可撓性基板５９０を可撓性基板７１１に貼り合わせている。接着層５９７は、透光性を有する。
【０４６４】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０４６５】
また、電極５９１、電極５９２、配線５９４などの導電膜、つまり、タッチパネルを構成する配線又は電極に用いる材料として、酸化インジウム、酸化錫、酸化亜鉛等を有する透明導電膜（例えば、ＩＴＯなど）が挙げられる。また、タッチパネルを構成する配線又は電極に用いることのできる材料は、抵抗値が低いことが好ましい。一例として、銀、銅、アルミニウム、カーボンナノチューブ、グラフェン、ハロゲン化金属（ハロゲン化銀など）などを用いてもよい。さらに、非常に細くした（例えば、直径が数ナノメートル）、複数の導電体を用いて構成される金属ナノワイヤを用いてもよい。または、導電体を網目状にした金属メッシュを用いてもよい。一例としては、Ａｇナノワイヤ、Ｃｕナノワイヤ、Ａｌナノワイヤ、Ａｇメッシュ、Ｃｕメッシュ、Ａｌメッシュなどを用いてもよい。例えば、タッチパネルを構成する配線又は電極にＡｇナノワイヤを用いる場合、可視光において透過率を８９％以上、シート抵抗値を４０Ω／□以上１００Ω／□以下とすることができる。また、上述したタッチパネルを構成する配線又は電極に用いることのできる材料の一例である、金属ナノワイヤ、金属メッシュ、カーボンナノチューブ、グラフェンなどは、可視光において透過率が高いため、表示素子に用いる電極（例えば、画素電極または共通電極など）として用いてもよい。
【０４６６】
透光性を有する導電性材料を可撓性基板５９０上にスパッタリング法により成膜した後、フォトリソグラフィ法等の様々なパターニング技術により、不要な部分を除去して、電極５９１及び電極５９２を形成することができる。
【０４６７】
電極５９１及び電極５９２は絶縁層５９３で覆われている。また、電極５９１に達する開口が絶縁層５９３に設けられ、配線５９４が隣接する電極５９１を電気的に接続する。透光性の導電性材料は、タッチパネルの開口率を高めることができるため、配線５９４に好適に用いることができる。また、電極５９１及び電極５９２より導電性の高い材料は、電気抵抗を低減できるため配線５９４に好適に用いることができる。
【０４６８】
なお、絶縁層５９３及び配線５９４を覆う絶縁層を設けて、タッチセンサ５９５を保護することができる。
【０４６９】
また、接続層５９９は、配線５９８とＦＰＣ５２９（２）を電気的に接続する。
【０４７０】
表示部５２１は、マトリクス状に配置された複数の画素を有する。画素は、構成例１と同様であるため、説明を省略する。
【０４７１】
なお、図３０（Ｂ）に示すように、可撓性基板５９０を用いず、可撓性基板７０１及び可撓性基板７１１の２枚の基板でタッチパネルを構成してもよい。可撓性基板７１１と絶縁層７１５が接着層７１３で貼り合わされており、絶縁層７１５に接してタッチセンサ５９５が設けられている。タッチセンサ５９５を覆う絶縁層５８９に接して、着色層３６７Ｒ及び遮光層３６７ＢＭが設けられている。絶縁層５８９を設けず、着色層３６７Ｒ又は遮光層３６７ＢＭを配線５９４に接して設けてもよい。
【０４７２】
＜構成例３＞
図３１は、タッチパネル５２５Ｂの断面図である。本実施の形態で説明するタッチパネル５２５Ｂは、供給された画像情報をトランジスタが設けられている側に表示する点及びタッチセンサが表示部の可撓性基板７０１側に設けられている点が、構成例２のタッチパネル５２５とは異なる。ここでは異なる構成について詳細に説明し、同様の構成を用いることができる部分は、上記の説明を援用する。
【０４７３】
着色層３６７Ｒは発光素子３５０Ｒと重なる位置にある。また、図３１（Ａ）に示す発光素子３５０Ｒは、トランジスタ３０２ｔが設けられている側に光を射出する。これにより、発光素子３５０Ｒが発する光の一部は着色層３６７Ｒを透過して、図中に示す矢印の方向の発光モジュール３８０Ｒの外部に射出される。
【０４７４】
タッチパネル５２５Ｂは、光を射出する方向に遮光層３６７ＢＭを有する。遮光層３６７ＢＭは、着色層（例えば着色層３６７Ｒ）を囲むように設けられている。
【０４７５】
タッチセンサ５９５は、可撓性基板７１１側でなく、可撓性基板７０１側に設けられている（図３１（Ａ））。
【０４７６】
接着層５９７は、タッチセンサ５９５が表示部に重なるように、可撓性基板５９０を可撓性基板７０１に貼り合わせている。接着層５９７は、透光性を有する。
【０４７７】
なお、ボトムゲート型のトランジスタを表示部５２１に適用する場合の構成を、図３１（Ａ）、（Ｂ）に示す。
【０４７８】
例えば、酸化物半導体、アモルファスシリコン等を含む半導体層を、図３１（Ａ）に示すトランジスタ３０２ｔ及びトランジスタ３０３ｔに適用することができる。
【０４７９】
例えば、多結晶シリコン等を含む半導体層を、図３１（Ｂ）に示すトランジスタ３０２ｔ及びトランジスタ３０３ｔに適用することができる。
【０４８０】
また、トップゲート型のトランジスタを適用する場合の構成を、図３１（Ｃ）に示す。
【０４８１】
例えば、多結晶シリコン又は単結晶シリコン基板等から転置された単結晶シリコン膜等を含む半導体層を、図３１（Ｃ）に示すトランジスタ３０２ｔ及びトランジスタ３０３ｔに適用することができる。
【０４８２】
実施の形態１等で説明した通り、本発明の一態様の電子機器は、表示パネルと蓄電装置を重ねて有する。図３２（Ａ）、（Ｂ）に、タッチパネルと薄型の二次電池を重ねた場合の断面図の一例をそれぞれ示す。図３２（Ａ）に示すタッチパネルは、図３０（Ａ）に示したタッチパネル５２５と同様の構成であり、図３２（Ａ）に示す薄型の二次電池は、図１４（Ａ）に示した電池ユニット５００と同様の構成である。図３２（Ｂ）に示すタッチパネルは、図３０（Ｂ）に示したタッチパネル５２５と同様の構成であり、図３２（Ｂ）に示す薄型の二次電池は、図１４（Ｂ）に示した電池ユニット５００と同様の構成である。
【０４８３】
図３２（Ａ）、（Ｂ）では、タッチパネルが有する可撓性基板７０１と電池ユニットが有する外装体５０９が接する例を示したが、本発明の一態様はこれに限られない。タッチパネルと電池ユニットは接着剤等により、互いに固定されていてもよい。また、タッチパネルと電池ユニットの間に、回路基板等を有していてもよい。
【０４８４】
図３２（Ａ）における、タッチパネルの副画素３０２Ｒと走査線駆動回路３０３ｇ（１）を含むタッチパネルと薄型の二次電池の積層構造の変形例を、図３３（Ａ）、（Ｂ）に示す。
【０４８５】
図３３（Ａ）では、絶縁層７０５と外装体５０９が接着層７０３で貼り合わされている例を示す。このように、本発明の一態様では、作製基板上で作製したトランジスタ及び発光素子等を、二次電池上に転置してもよい。
【０４８６】
また、図３３（Ｂ）では、可撓性基板７０１と絶縁層７０５が接着層７０３ａで貼り合わされ、可撓性基板７０１と外装体５０９が接着層７０３ｂで貼り合わされている例を示す。
【０４８７】
図３４に示すトランジスタ８４８はバックゲート電極を有するトップゲート型のトランジスタの一種である。図３４（Ａ）はトランジスタ８４８の上面図である。図３４（Ｂ）は、図３４（Ａ）中の一点鎖線Ｘ１−Ｘ２間の断面図である。図３４（Ｃ）は、図３４（Ａ）中の一点鎖線Ｙ１−Ｙ２間の断面図である。
【０４８８】
トランジスタ８４８では、絶縁層７７２に設けた凸部上に半導体層７４２が形成されている。絶縁層７７２に設けた凸部上に半導体層７４２を設けることによって、半導体層７４２の側面も電極７４３で覆うことができる。すなわち、トランジスタ８４８は、電極７４３の電界によって、半導体層７４２を電気的に取り囲むことができる構造を有している。このように、導電膜の電界によって、チャネルが形成される半導体層を電気的に取り囲むトランジスタの構造を、ｓｕｒｒｏｕｎｄｅｄ  ｃｈａｎｎｅｌ（ｓ−ｃｈａｎｎｅｌ）構造とよぶ。また、ｓ−ｃｈａｎｎｅｌ構造を有するトランジスタを、「ｓ−ｃｈａｎｎｅｌ型トランジスタ」もしくは「ｓ−ｃｈａｎｎｅｌトランジスタ」ともいう。
【０４８９】
ｓ−ｃｈａｎｎｅｌ構造では、半導体層７４２の全体（バルク）にチャネルを形成することもできる。ｓ−ｃｈａｎｎｅｌ構造では、トランジスタのドレイン電流を大きくすることができ、さらに大きいオン電流を得ることができる。また、電極７４３の電界によって、半導体層７４２に形成されるチャネル形成領域の全領域を空乏化することができる。したがって、ｓ−ｃｈａｎｎｅｌ構造では、トランジスタのオフ電流をさらに小さくすることができる。
【０４９０】
電極７２３は絶縁表面を有する基板７７１上に設けられている。電極７２３はバックゲート電極として機能することができる。
【０４９１】
絶縁層７２９上に設けられた電極７４４ａは、絶縁層７２６、絶縁層７２８、及び絶縁層７２９に設けられた開口７４７ｃにおいて、半導体層７４２と電気的に接続されている。また、絶縁層７２９上に設けられた電極７４４ｂは、絶縁層７２６、絶縁層７２８、及び絶縁層７２９に設けられた開口７４７ｄにおいて、半導体層７４２と電気的に接続されている。
【０４９２】
絶縁層７２６上に設けられた電極７４３は、絶縁層７２６及び絶縁層７７２に設けられた開口７４７ａ及び開口７４７ｂにおいて、電極７２３と電気的に接続されている。よって、電極７４６と電極７２３には、同じ電位が供給される。また、開口７４７ａ及び開口７４７ｂは、どちらか一方を設けなくてもよい。また、開口７４７ａ及び開口７４７ｂの両方を設けなくてもよい。開口７４７ａ及び開口７４７ｂの両方を設けない場合は、電極７２３と電極７４６に異なる電位を供給することができる。
【０４９３】
なお、ｓ−ｃｈａｎｎｅｌ構造を有するトランジスタに用いる半導体としては、酸化物半導体、又は、多結晶シリコン、もしくは単結晶シリコン基板等から転置された単結晶シリコン等のシリコンなどが挙げられる。
【０４９４】
本実施の形態は、他の実施の形態と適宜組み合わせることができる。
【０４９５】
（実施の形態５）
本実施の形態では、本発明の一態様の電子機器について図３５〜図４０を用いて説明する。
【０４９６】
本発明の一態様は、表示パネル、蓄電装置、回路、及び封止体を有する電子機器である。表示パネルは、蓄電装置から供給される電力を用いて表示を行う機能を有する。回路は、アンテナを有する。回路は、無線で蓄電装置を充電する機能を有する。封止体は、内部に、表示パネル、蓄電装置、及び回路を有する。封止体の少なくとも一部は、可視光を透過する機能を有する。本発明の一態様の電子機器では、封止体を腕に装着可能であってもよいし、封止体に接続された構造体を腕に装着可能であってもよい。
【０４９７】
封止体を用いることで、被封止体である表示パネル、蓄電装置、及び回路等を保護することができ、丈夫な電子機器を実現できる。また、防水性の高い封止体を用いることで、防水性が高く、水中での使用が可能な電子機器を実現できる。
【０４９８】
本発明の一態様の電子機器の作製において、表示パネルと蓄電装置をまとめて封止体によって覆い、封止することができる。そのため、簡便に信頼性の高い電子機器を作製することができる。そして、封止体を、帯状など人体に装着しやすい形状とすることで、封止体自体を人体に装着し、ウェアラブルデバイスとして利用することができる。
【０４９９】
本発明の一態様の電子機器は、非接触電力伝送を用いて、蓄電装置を充電することができる。そのため、充電の際に、封止体から蓄電装置を取り出す必要がない。したがって、被封止体全体を完全に封止体で覆うことができ、電子機器の防水性をより高めることができる。
【０５００】
なお、本発明の一態様において、被封止体の構成要素の一種以上が可撓性を有していてもよい。例えば、表示パネルもしくは蓄電装置が可撓性を有していてもよいし、表示パネル及び蓄電装置の双方が可撓性を有していてもよい。
【０５０１】
封止体は可撓性を有するため、表示パネル及び蓄電装置のうち少なくとも一方が可撓性を有する場合に、これらの可撓性を損なうことなく、これらを保護することができる。このように、本発明の一態様を適用することで、信頼性及び安全性が高く、可撓性を有する電子機器を実現することができる。電子機器が可撓性を有すると、電子機器の着脱が容易となる、使用者が快適な装着感を得られるなどの効果が得られ、好ましい。
【０５０２】
本実施の形態の電子機器では、被封止体全体が、可撓性を有する封止体によって覆われている。被封止体を、可撓性を有する封止体で覆うことにより、屈曲と伸長が繰り返し行われても破損しにくい電子機器を実現することができる。
【０５０３】
また、耐熱性の高い封止体を用いることで、高温下でも、表示パネルを駆動することができる。また、高温下でも、電子機器を可逆的に曲げることができる。このとき、耐熱性の高い表示パネル及び蓄電装置を用いると、さらに好ましい。
【０５０４】
本実施の形態では、表示パネルに、実施の形態６で詳述する表示装置を適用する場合を例に挙げて説明する。なお、本実施の形態の電子機器には、適宜、実施の形態１で説明した構成を適用することができる。
【０５０５】
本発明の一態様の表示装置は、周囲の明るさ、又は表示装置への外光の入射状況に応じて、表示に用いる素子を切り替える（どの表示素子を用いて表示するか選択する）ことで、使用者が、周囲の明るさによらず、表示装置の表示を十分に視認することができる。例えば、明るい環境下では、外光と反射型の液晶素子を用いて表示を行うことが好ましい。例えば、薄暗い環境下では、有機ＥＬ素子等の発光素子を用いて表示を行うことが好ましい。表示装置は、一度に複数の種類の表示素子を用いて表示を行ってもよい。
【０５０６】
本発明の一態様の電子機器は、電子機器が使用される環境の明るさを検知するセンサを有することが好ましい。例えば、フォトダイオード、又はイメージセンサを有することが好ましい。電子機器では、センサが検知した明るさによって、表示に用いる素子が自動で切り替わることが好ましい。使用環境の明るさによって、自動で表示装置の表示状態を変えられると、電子機器の使用者にとっての利便性を高めることができる。
【０５０７】
本発明の一態様の電子機器は、電子機器の使用者が、表示に用いる素子を手動で切り替えられることが好ましい。
【０５０８】
次に、本実施の形態の電子機器を具体的に説明する。
【０５０９】
図３５（Ａ）に、電子機器１０１の斜視図を示す。また、図３５（Ｂ）に、電子機器１０１の上面図を示し、図３５（Ｂ）における一点鎖線Ａ−Ｂ間の断面図を図３５（Ｃ）に示し、一点鎖線Ｃ−Ｄ間の断面図を図３５（Ｆ）に示す。
【０５１０】
電子機器１０１は、表示パネル１０、蓄電装置２０、回路３０、及び封止体４０を有する。図３５（Ａ）等では、表示パネル１０の表示を使用者が視認できる部分を、電子機器１０１の表示部１５として記す。
【０５１１】
＜表示部１５＞
電子機器１０１は、表示部１５を有する。図３５（Ａ）、（Ｃ）、（Ｆ）等において、表示部１５は、平面である。図３５（Ｃ）等では、電子機器１０１において、矢印が出ている側が表示面側となる。
【０５１２】
表示部１５は可撓性を有していてもよい。つまり、表示部１５を変形させて、表示部１５の曲率を図３５（Ａ）に示す状態から変えることができてもよい。また、表示部１５は、平面である状態又は曲面を有する状態から、変形できなくてもよい。
【０５１３】
表示パネルの可撓性が、封止体の可撓性に比べて低い場合、本発明の一態様の電子機器を腕などに装着する際に、表示部１５の曲率半径はほとんど変化せず、該電子機器の端部が撓む形状とすることが好ましい。
【０５１４】
＜封止体４０＞
電子機器１０１は、封止体４０を有する。図３５（Ａ）において、封止体４０は、曲面を有する。図３５（Ａ）に示すような曲面を有する状態から、図３５（Ｂ）に示すような平坦な状態に、封止体４０を変形できる。電子機器１０１に用いることができる封止体４０の詳細は、実施の形態１と同様であるため、説明を省略する。
【０５１５】
電子機器１０１では、表示パネル１０、蓄電装置２０、及び回路３０が積層されている。これらの積層順は、表示パネル１０の表示を使用者が視認できれば、特に限定されない。また、これらは積層されていなくてもよく、同一平面上に、表示パネル１０、蓄電装置２０、及び回路３０のいずれか２以上が配置されていてもよい。
【０５１６】
例えば、図３５（Ｆ）等に示すように、電子機器１０１は、蓄電装置２０上に回路３０を有し、回路３０上に表示パネル１０を有していてもよい。封止体４０を腕に装着した際、腕に近い方から、蓄電装置２０、回路３０、及び表示パネル１０が順に積層された構成であると、表示パネル１０における表示を使用者が視認できる。または、腕に近い方から、回路３０、蓄電装置２０、及び表示パネル１０が順に積層された構成としてもよい。
【０５１７】
封止体４０によって封止された空間は、減圧雰囲気又は不活性雰囲気であることが好ましい。これらの雰囲気とすることで、該空間が大気雰囲気である場合に比べて、表示パネル１０等の信頼性を高めることができる。
【０５１８】
図３５（Ｄ）、（Ｅ）は、それぞれ、図３５（Ｃ）とは異なる、図３５（Ｂ）における一点鎖線Ａ−Ｂ間の断面図である。また、図３５（Ｇ）は、図３５（Ｆ）とは異なる、図３５（Ｂ）における一点鎖線Ｃ−Ｄ間の断面図である。
【０５１９】
図３５（Ｃ）、（Ｆ）では、電子機器１０１の表（表示面）側の封止体４０が、被封止体の側面を覆い、電子機器１０１の裏側の面が平坦な例を示すが、これに限定されない。図３５（Ｄ）、（Ｇ）に示すように、電子機器１０１の表（表示面）側の封止体４０と裏側の封止体４０の双方が、被封止体の側面を覆い、電子機器１０１が、表裏ともに他の部分（バンド部など）よりも突出した部分を有していてもよい。また、図３５（Ｅ）に示すように、電子機器１０１の裏側の封止体４０が、被封止体の側面を覆い、電子機器１０１の表（表示面）側の面が平坦であってもよい。また、図３５（Ｃ）に示すように、電子機器１０１の表示部１５を含む部分が他の部分（バンド部など）よりも突出していてもよい。また、図３５（Ｅ）に示すように、電子機器１０１の裏側に、他の部分（バンド部など）よりも突出している部分を有していてもよい。
【０５２０】
図３６〜図３９に電子機器１０１とは異なる電子機器を示す。
【０５２１】
図３６（Ａ）に電子機器１０１ａの斜視図を示す。また、図３７（Ａ）に、電子機器１０１ａの上面図を示し、図３７（Ａ）における一点鎖線Ｅ−Ｆ間の断面図を図３７（Ｂ）に示し、一点鎖線Ｇ−Ｈ間の断面図を図３７（Ｆ）に示す。また、図３６（Ｂ）に、電子機器１０１ｂの斜視図を示す。
【０５２２】
図３６（Ａ）、（Ｂ）では、表示部１５が平面である例を示す。図３６（Ａ）は、蓄電装置２０及び回路３０がそれぞれ可撓性を有し、曲面を有する例である。図３６（Ｂ）は、蓄電装置２０が可撓性を有し、曲面を有する例である。図３６（Ａ）、（Ｂ）において、表示パネル１０の可撓性は問わない。図３６（Ｂ）において、回路３０の可撓性は問わない。
【０５２３】
電子機器１０１ａは、表示部１５を有する。また、電子機器１０１ａは、封止体４０を有する。また、電子機器１０１ａは、封止体４０の内部に、表示パネル１０、蓄電装置２０、及び回路３０を有する。
【０５２４】
電子機器１０１ａでは、表示パネル１０が蓄電装置２０と重なり、回路３０が蓄電装置２０と重なり、かつ、表示パネル１０と回路３０が重ならない。このように、封止体４０のバンドとして機能する部分にも、被封止体が位置していてもよい。例えば、可撓性を有する蓄電装置２０を用いる場合は、封止体４０の内部の広い領域に蓄電装置２０を配置することができ、１回の充電により長時間の使用が可能な電子機器を実現できる。
【０５２５】
実施の形態１で詳述した通り、封止体４０の内部には、浮力材及びゴム弾性を有する部材のうち少なくとも一方を有していてもよい。
【０５２６】
図３７（Ｃ）〜（Ｅ）は、それぞれ、図３７（Ｂ）とは異なる、図３７（Ａ）における一点鎖線Ｅ−Ｆ間の断面図である。
【０５２７】
例えば、図３７（Ｂ）、（Ｃ）、（Ｄ）、（Ｆ）に示す空間４２に、浮力材又はゴム弾性を有する部材を有することが好ましい。
【０５２８】
図３７（Ｂ）に示すように、表示パネル１０と蓄電装置２０、又は回路３０と蓄電装置２０はそれぞれ接していてもよい。また、図３７（Ｃ）に示すように、表示パネル１０と蓄電装置２０は接していなくてもよい。同様に、回路３０と蓄電装置２０は接していなくてもよい。また、表示パネル１０、蓄電装置２０、及び回路３０は、それぞれ封止体４０と接していてもよい。図３７（Ｂ）、（Ｃ）では、蓄電装置２０と封止体４０が接している例を示す。図３７（Ｃ）では、表示パネル１０と封止体４０が接している例を示す。また、図３７（Ｄ）に示すように、封止体４０と被封止体が接していなくてもよい。なお、表示パネル１０、蓄電装置２０、回路３０、及び封止体４０のいずれか２以上が、互いに接する部分を有する場合、接着剤等により固定されていてもよいし、相対的に移動可能に接していてもよい。
【０５２９】
また、図３７（Ｅ）に示すように、封止体４０の内部が十分に減圧されていてもよい。これにより、表示パネル１０、蓄電装置２０、及び回路３０等が不純物等によって劣化することを抑制できる。また、電子機器の薄型化及び軽量化を図ることができる。
【０５３０】
図３７（Ｂ）、（Ｆ）では、電子機器１０１ａの表（表示面）側の封止体４０が、被封止体の側面を覆い、電子機器１０１ａの裏側の面が平坦な例を示すが、これに限定されない。図３７（Ｄ）に示すように、電子機器１０１ａの表（表示面）側の封止体４０と裏側の封止体４０の双方が、被封止体の側面を覆い、電子機器１０１ａが、表裏ともに他の部分（バンド部など）よりも突出した部分を有していてもよい。
【０５３１】
図３８（Ａ）に、電子機器１０１ｃの斜視図を示す。また、図３９（Ａ）に、電子機器１０１ｃの上面図を示し、図３９（Ａ）における一点鎖線Ｊ−Ｋ間の断面図を図３９（Ｂ）に示す。
【０５３２】
電子機器１０１ｃは、封止体４０及びバンド１５５を有する。封止体４０の内部には、表示パネル１０、回路３０、蓄電装置２０等が含まれている。封止体４０とバンド１５５は接続されている。封止体４０とバンド１５５は着脱自在に接続されていることが好ましい。
【０５３３】
なお、図３８（Ｂ）に示す電子機器１０１ｄ及び図３８（Ｃ）に示す電子機器１０１ｅのように、バンド１５５が凹部を有し、凹部の中に封止体４０が配置される構成であってもよい。バンド１５５に比べて封止体４０が突出していると、電子機器の使用中に、該電子機器が他の物体と擦れる、もしくは衝突するなどにより、表示部１５に傷がつく、さらには該電子機器が壊れる恐れがある。そのため、バンド１５５と封止体４０の表面が概略同一平面を形成するようにバンド１５５と封止体４０を接続できると好ましい。なお、バンド１５５の凹部が、封止体４０の厚さよりも深くてもよい。
【０５３４】
電子機器１０１ｄは、表示部１５が平面である例である。電子機器１０１ｅは、表示部１５が曲面を有する例である。
【０５３５】
図３８（Ａ）及び図３９（Ａ）では、封止体４０の幅と、バンド１５５の幅とが等しい例を示すが、本発明の一態様は、これに限られない。図３９（Ｃ）に示すように、封止体４０の幅が、バンド１５５の幅よりも狭くてもよい。または、図３９（Ｄ）に示すように、封止体４０の幅が、バンド１５５の幅よりも広くてもよい。
【０５３６】
次に、本発明の一態様の電子機器の構成要素の一例を示す。
【０５３７】
図４０（Ａ）に示す要素１５１は、表示パネル１０、蓄電装置２０、回路３０、及び封止体４０を有する。封止体４０は、内部に、表示パネル１０、蓄電装置２０、及び回路３０を有する。以下では、表示パネル１０、蓄電装置２０、及び回路３０をまとめて被封止体と記す場合がある。
【０５３８】
要素１５１は、例えば、図３８（Ａ）の要素１５１ａ、図３８（Ｂ）の要素１５１ｂ、及び図３８（Ｃ）の要素１５１ｃのように、封止体４０をバンド１５５と接続させて用いることができる。または、図３７（Ａ）〜（Ｅ）に示すように、封止体４０を帯状に形成することで、封止体４０自体を腕に装着してもよい。
【０５３９】
被封止体の接続関係の例を図４０（Ｂ）にブロック図で示す。
【０５４０】
表示パネル１０は、表示素子１３を有する。表示パネル１０は、蓄電装置２０から供給される電力を用いて表示を行う機能を有する。
【０５４１】
なお、表示パネル１０は、蓄電装置２０以外から供給された電力を用いて表示を行う機能を有していてもよい。
【０５４２】
蓄電装置２０は表示パネル１０と重なる部分を有する。
【０５４３】
なお、蓄電装置２０は、表示パネル１０以外に電力を供給する機能を有していてもよい。
【０５４４】
回路３０はアンテナ３１を有する。アンテナ３１は、表示パネル１０と重なる部分を有する。回路３０は、無線（非接触で、ともいえる）で蓄電装置２０を充電することができる。
【０５４５】
表示パネル１０と回路３０とが互いに重なる部分、又は表示パネル１０と蓄電装置２０とが互いに重なる部分を有することで、要素１５１の小型化を図ることができる。特に、表示パネル１０、蓄電装置２０、及び回路３０の３つが互いに重なる部分を設けることが好ましい。要素１５１の小型化は、封止体４０とは別にバンドを設ける場合に特に有効である。なお、封止体４０を電子機器のバンドとして使用する場合など、要素１５１の小型化が不要の場合は、表示パネル１０と回路３０とが互いに重なる部分、又は表示パネル１０と蓄電装置２０とが互いに重なる部分を有していなくてもよい。
【０５４６】
蓄電装置２０は、回路３０と重なる部分を有することが好ましい。例えば、アンテナ３１の少なくとも一部が蓄電装置２０と重なっていてもよい。アンテナ３１を表示パネル１０と蓄電装置２０の間に配置するなど、アンテナ３１が電子機器の使用者から視認されにくくなるように表示パネル１０、蓄電装置２０、及び回路３０を重ねることで、電子機器の外観が損なわれることを抑制でき、好ましい。外部のアンテナとアンテナ３１の間に表示パネル１０が配置されていても、電波の送受信は可能である。つまり、外部のアンテナが送信する電波が表示パネル１０を通過し、アンテナ３１が該電波を受信する。
【０５４７】
電子機器の使用環境が決まっている場合は、その環境下で、表示が可能な表示パネル及びその環境下で表示パネルに電力を供給可能な蓄電装置を用いる。
【０５４８】
本発明の一態様の電子機器は、低温環境下及び高温環境下で使用できることが好ましい。または、本発明の一態様の電子機器は、広い温度範囲（例えば、０℃以上１００℃以下、好ましくは−２５℃以上１５０℃以下、より好ましくは−５０℃以上２００℃以下）で使用できることが好ましい。本発明の一態様の電子機器は、屋内及び屋外のどちらで使用してもよい。
【０５４９】
本発明の一態様の電子機器が有する表示パネルは、０℃の環境下及び１００℃の環境下のそれぞれで表示を行えることが好ましい。また、本発明の一態様の電子機器が有する蓄電装置は、０℃の環境下及び１００℃の環境下のそれぞれで表示パネルに電力を供給することができることが好ましい。
【０５５０】
電子機器は、スイッチを有していてもよい。図４０（Ｃ）、（Ｄ）では、被封止体として、表示パネル１０、蓄電装置２０、回路３０、回路５０、及びスイッチ５１を示す。
【０５５１】
例えば、図４０（Ｃ）に示すように、スイッチ５１がオフ状態のときに、回路３０は無線で蓄電装置２０を充電することができる。
【０５５２】
例えば、図４０（Ｄ）に示すように、スイッチ５１がオン状態のときに、蓄電装置２０は表示パネル１０に電力を供給することができる。
【０５５３】
以下では、本発明の一態様の電子機器が有する構成要素の詳細について述べる。
【０５５４】
＜表示パネル１０＞
表示パネル１０は、表示素子１３を有する。表示パネル１０の構成例として、実施の形態６では表示装置について詳述する。表示パネルは、タッチセンサ等の検知素子を有していてもよい。
【０５５５】
表示パネル１０には、アクティブマトリクス方式、又はパッシブマトリクス方式を用いることができる。
【０５５６】
表示パネル１０は可撓性を有していてもよい。例えば、表示素子１３の支持基板及び封止基板のうち少なくとも一方にフィルムを用いることで、表示パネル１０の可撓性を高めることができる。
【０５５７】
例えば、表示パネルを曲率半径１ｍ以上１０ｍ以下の範囲、好ましくは曲率半径１ｍ以上５ｍ以下の範囲で曲げた状態で、電子機器を用いることができると好ましい。なお、表示パネルの可撓性がより高い場合には、曲率半径１ｍｍ以上１ｍ未満の範囲で曲げた状態で、電子機器を用いてもよい。
【０５５８】
表示パネル１０は、低温環境下及び高温環境下で表示を行えることが好ましい。低温環境としては、例えば、−１００℃以上０℃以下の環境、好ましくは−１００℃以上−２５℃以下の環境、より好ましくは−１００℃以上−５０℃以下の環境が挙げられる。高温環境としては、例えば、１００℃以上３００℃以下の環境、好ましくは１５０℃以上３００℃以下の環境、より好ましくは２００℃以上３００℃以下の環境が挙げられる。なお、表示パネル１０は低温環境下又は高温環境下だけでなく、０℃より高く１００℃未満の環境下で表示させることができる。例えば、表示パネル１０を室温（２０℃以上３０℃以下）で表示させることができる。
【０５５９】
表示素子１３としては、発光素子、液晶素子、電気泳動素子、又はＭＥＭＳ（マイクロ・エレクトロ・メカニカル・システム）を用いた表示素子等を適用することができる。発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０５６０】
表示素子１３の耐熱性は高いほど好ましい。例えば、表示素子１３として有機ＥＬ素子を用いる場合、有機ＥＬ素子に含まれる各有機化合物のガラス転移温度は、１００℃以上３００℃以下が好ましく、１５０℃以上３００℃以下がさらに好ましい。
【０５６１】
＜蓄電装置２０＞
蓄電装置２０の詳細及び構成例は、実施の形態１、２を参照することができるため、ここでの説明は省略する。
【０５６２】
電子機器において、表示素子１３と蓄電装置２０を重ねて配置する構成としてもよい。表示素子１３と蓄電装置２０の互いに重なる面積が広いほど、表示素子１３の発熱を利用して広範囲で蓄電装置２０を温めることができる。高温環境下に比べて、低温環境下で動作が難しい蓄電装置を用いる場合でも、電子機器の信頼性を高めることができる。
【０５６３】
＜回路３０＞
回路３０の詳細は、実施の形態１を参照することができるため、ここでの説明は省略する。
【０５６４】
＜回路５０＞
回路５０は、蓄電装置２０から供給された電力を、表示素子１３を駆動させる電力に変換する機能を有する。例えば、蓄電装置２０の出力電圧を表示素子１３を駆動させるのに要する電圧に変換（昇圧又は降圧）する機能を有していてもよい。
【０５６５】
＜スイッチ５１＞
スイッチ５１の詳細は、実施の形態１を参照することができるため、ここでの説明は省略する。
【０５６６】
本発明の一態様の電子機器を使用できる環境は大気雰囲気に限られない。本発明の一態様の電子機器は、例えば、０℃以上１００℃以下の水中で使用することができる。表示パネル及び蓄電装置の使用可能な温度範囲が広いこと、表示パネル及び蓄電装置が封止体により封止されていること等から、本発明の一態様の電子機器は、水中での使用に対しても高い信頼性を確保することができる。
【０５６７】
本実施の形態の電子機器の構成要素には、図８を用いて説明した内容も適用することができる。
【０５６８】
本実施の形態の電子機器及びその構成要素は、図９及び図１０に示す腕装着型電子機器に適用することもできる。
【０５６９】
本実施の形態は、他の実施の形態と適宜組み合わせることができる。
【０５７０】
（実施の形態６）
本実施の形態では、本発明の一態様の電子機器に用いることができる表示装置について図面を用いて説明する。本実施の形態では、主に液晶素子及び有機ＥＬ素子を用いた表示装置を例示するが、本発明の一態様はこれに限られない。なお、表示装置が有する構成要素のうち、実施の形態３と同様の構成要素については、先の記載も参照することができる。
【０５７１】
本発明の一態様の表示装置は、第１の表示素子及び第２の表示素子を有する。第１の表示素子は、光を反射する機能を有する反射層を有する。第１の表示素子は、光の透過を制御する機能を有する。反射層は、開口部を有する。第２の表示素子は、開口部と重なる部分を有する。第２の表示素子は、開口部に向けて光を射出する機能を有する。開口部は、反射層の面積の５％以上２０％以下の面積を有することが好ましい。
【０５７２】
例えば、表示装置に外光が十分に入射されるとき（明るい環境下など）は、外光と第１の表示素子を用いて表示を行うことができる。これにより、表示装置の消費電力を低減させることができる。また、表示装置の周囲が暗く、表示装置に入射される外光が少なくても、第２の表示素子を用いて表示を行うことができる。なお、薄暗い環境下では、第１の表示素子及び第２の表示素子の双方を駆動させて表示を行ってもよい。または、薄暗い環境下では、第２の表示素子のみを用いて表示を行ってもよい。このように、本発明の一態様により、周囲の明るさによらず、視認性が高く利便性の高い表示装置又は全天候型の表示装置を実現できる。
【０５７３】
本発明の一態様の表示装置は、第１の表示素子１つに対して第２の表示素子を１つ有してもよいし、２つ以上有してもよい。例えば、第１の表示素子で構成される画素の数と第２の表示素子で構成される画素の数が同一であると、第１の表示素子を用いた表示と第２の表示素子を用いた表示が同等の解像度となり、好ましい。
【０５７４】
上記構成の表示装置は、さらに、信号線、画素回路、第１の導電層、第２の導電層、及び絶縁層を有することが好ましい。第２の表示素子は、画素回路と電気的に接続される。第１の表示素子は、第１の導電層と電気的に接続される。第１の導電層は、絶縁層を介して第２の導電層と重なる部分を有する。第１の導電層は、第２の導電層と電気的に接続される。第２の導電層は、画素回路と電気的に接続される。画素回路は、信号線と電気的に接続される。画素回路は、絶縁層を挟むように配置された第１の表示素子及び第２の表示素子の双方を駆動することができる。
【０５７５】
または、本発明の一態様の表示装置は、液晶素子及び発光素子を有する。液晶素子は、液晶層、第１の導電層、及び第２の導電層を有する。第１の導電層は、光を反射する機能を有する。第１の導電層は、開口部を有する。発光素子は、発光性の物質を含む層、第３の導電層、及び第４の導電層を有する。発光素子は、開口部と重なる部分を有する。発光素子は、開口部に向けて光を射出する機能を有する。開口部は、第１の導電層の面積の５％以上２０％以下の面積を有することが好ましい。
【０５７６】
本発明の一態様の表示装置は、反射型の液晶素子を第１の表示素子として有し、有機ＥＬ素子を第２の表示素子として有する。
【０５７７】
これにより、表示装置に外光が十分に入射されるときは、外光と反射型の液晶素子を用いて表示を行うことができる。表示装置の周囲が暗く、表示装置に入射される外光が少なくても、有機ＥＬ素子を用いて表示を行うことができる。このように、本発明の一態様により、周囲の明るさによらず、視認性が高く利便性の高い表示装置又は全天候型の表示装置を実現できる。
【０５７８】
上記構成の表示装置は、さらに、信号線、画素回路、第５の導電層、第６の導電層、及び絶縁層を有することが好ましい。発光素子は、画素回路と電気的に接続される。液晶素子は、第５の導電層と電気的に接続される。第５の導電層は、絶縁層を介して第６の導電層と重なる部分を有する。第５の導電層は、第６の導電層と電気的に接続される。第６の導電層は、画素回路と電気的に接続される。画素回路は、信号線と電気的に接続される。画素回路は、絶縁層を挟むように配置された発光素子及び液晶素子の双方を駆動することができる。
【０５７９】
図４１に、本実施の形態の表示装置が有する画素回路の回路図を示す。図４１は、画素回路６３０（ｉ，ｊ）及び画素回路６３０（ｉ，ｊ＋１）の回路図である。
【０５８０】
図４１に示す画素回路６３０（ｉ，ｊ）、６３０（ｉ，ｊ＋１）は、それぞれ、スイッチＳＷ１、スイッチＳＷ２、容量素子Ｃ１、容量素子Ｃ２、及びトランジスタＭを有する。なお、図４１では、画素回路を示す点線の枠内に、第１の表示素子６５０及び第２の表示素子６４０が含まれているが、以下では、これらは、画素回路に含まれないものとして説明する。
【０５８１】
図４１では、スイッチＳＷ１及びスイッチＳＷ２が、それぞれ、トランジスタを有する例を示す。スイッチＳＷ１及びスイッチＳＷ２は、それぞれ、酸化物半導体を用いたトランジスタを有することが好ましい。
【０５８２】
図４１に示す画素回路６３０（ｉ，ｊ）、６３０（ｉ，ｊ＋１）における接続関係について説明する。
【０５８３】
画素回路６３０（ｉ，ｊ）は、信号線Ｓ１（ｊ）、信号線Ｓ２（ｊ）、走査線Ｇ１（ｉ）、走査線Ｇ２（ｉ）、配線ＣＳＣＯＭ、及び配線ＡＮＯと電気的に接続される。
【０５８４】
画素回路６３０（ｉ，ｊ＋１）は、信号線Ｓ１（ｊ＋１）、信号線Ｓ２（ｊ＋１）、走査線Ｇ１（ｉ）、走査線Ｇ２（ｉ）、配線ＣＳＣＯＭ、及び配線ＡＮＯと電気的に接続される。
【０５８５】
なお、信号線Ｓ２（ｊ）に供給する信号に用いる電圧が、信号線Ｓ１（ｊ＋１）に供給する信号に用いる電圧と異なる場合、信号線Ｓ１（ｊ＋１）を信号線Ｓ２（ｊ）から離して配置する。図４１では、信号線Ｓ２（ｊ＋１）を信号線Ｓ２（ｊ）に隣接するように配置した例を示す。
【０５８６】
スイッチＳＷ１のゲートは、走査線Ｇ１（ｉ）と電気的に接続される。スイッチＳＷ１のソース又はドレインの一方は、信号線Ｓ１（ｊ）と電気的に接続され、他方は、容量素子Ｃ１の一方の電極及び第１の表示素子６５０の一方の電極と電気的に接続される。
【０５８７】
容量素子Ｃ１の他方の電極は、配線ＣＳＣＯＭと電気的に接続される。
【０５８８】
第１の表示素子６５０の他方の電極は、配線ＶＣＯＭ１と電気的に接続される。
【０５８９】
スイッチＳＷ２のゲートは、走査線Ｇ２（ｉ）と電気的に接続される。スイッチＳＷ２のソース又はドレインの一方は、信号線Ｓ２（ｊ）と電気的に接続され、他方は、トランジスタＭのゲート及びバックゲート、並びに容量素子Ｃ２の一方の電極と電気的に接続される。
【０５９０】
トランジスタＭのソース又はドレインの一方は、配線ＡＮＯ及び容量素子Ｃ２の他方の電極と電気的に接続され、他方は、第２の表示素子６４０の一方の電極と電気的に接続される。
【０５９１】
第２の表示素子６４０の他方の電極は、配線ＶＣＯＭ２と電気的に接続される。
【０５９２】
画素回路６３０（ｉ，ｊ）は、第１の表示素子６５０（ｉ，ｊ）と電気的に接続される。画素回路６３０（ｉ，ｊ）は、第２の表示素子６４０（ｉ，ｊ）と電気的に接続される。
【０５９３】
図４２（Ａ）に、表示装置６００が有する画素及び配線等の配置を説明するブロック図を示す。図４２（Ｂ−１）、（Ｂ−２）は、それぞれ、表示装置６００が有する開口部６５１Ｈを説明する模式図である。
【０５９４】
図４２（Ａ）に示すように、表示装置６００は、ｉ本の走査線Ｇ１、ｉ本の走査線Ｇ２、ｊ本の信号線Ｓ１、ｊ本の信号線Ｓ２、ｊ本の配線ＣＳＣＯＭ、ｊ本の配線ＡＮＯ、ｍ×ｎ個の画素６０２、駆動回路ＧＤ、及び駆動回路ＳＤを有する。なお、ｉは１以上ｍ以下の整数であり、ｊは１以上ｎ以下の整数であり、ｍおよびｎは１以上の整数である。
【０５９５】
図４２に示す表示装置６００は、画素６０２（ｉ，ｊ）を有する。
【０５９６】
走査線Ｇ１（ｉ）、走査線Ｇ２（ｉ）、配線ＣＳＣＯＭ、及び配線ＡＮＯは、それぞれ、行方向（図中に矢印Ｒで示す方向）に配設される一群の画素６０２（ｉ，１）乃至画素６０２（ｉ，ｎ）と電気的に接続される。
【０５９７】
信号線Ｓ１（ｊ）及び信号線Ｓ２（ｊ）は、それぞれ、列方向（図中に矢印Ｃで示す方向）に配設される他の一群の画素６０２（１，ｊ）乃至画素６０２（ｍ，ｊ）と電気的に接続される。
【０５９８】
例えば、画素６０２（ｉ，ｊ）の行方向に隣接する画素６０２（ｉ，ｊ＋１）は、画素６０２（ｉ，ｊ）に対する開口部６５１Ｈの配置と異なるように、開口部を備えることが好ましい（図４２（Ｂ−１））。
【０５９９】
または、例えば、画素６０２（ｉ，ｊ）の列方向に隣接する画素６０２（ｉ＋１，ｊ）は、画素６０２（ｉ，ｊ）に対する開口部６５１Ｈの配置と異なるように、開口部を備えることが好ましい（図４２（Ｂ−２））。
【０６００】
または、開口部６５１Ｈは、全ての画素において同一の位置に配置されていてもよい。
【０６０１】
駆動回路ＧＤは、走査線Ｇ１（ｉ）と電気的に接続される。駆動回路ＧＤには、シフトレジスタ等の様々な順序回路等を用いることができる。駆動回路ＧＤには、トランジスタ及び容量素子等を用いることができる。駆動回路ＧＤが有するトランジスタは、画素回路６３０（ｉ，ｊ）に含まれるトランジスタと同じ工程で形成することができる。
【０６０２】
駆動回路ＳＤは、信号線Ｓ１（ｊ）と電気的に接続される。駆動回路ＳＤには、例えば、集積回路を用いることができる。具体的には、駆動回路ＳＤには、シリコン基板上に形成された集積回路を用いることができる。
【０６０３】
例えば、ＣＯＧ（Ｃｈｉｐ  ｏｎ  ｇｌａｓｓ）法を用いて、画素回路６３０（ｉ，ｊ）と電気的に接続されるパッドに駆動回路ＳＤを実装することができる。具体的には、異方性導電膜を用いて、パッドに集積回路を実装できる。
【０６０４】
図４３（Ａ）は、表示装置６００の下面図（表示面とは反対側の面の図）である。図４３（Ｂ−１）、（Ｂ−２）は、それぞれ、表示装置６００の一部の構成を説明する下面図である。図４３（Ｂ−２）は、図４３（Ｂ−１）に示す一部の構成を省略して説明する下面図である。図４３（Ａ）では、１つのユニットが３つの画素６０２（ｉ，ｊ）を有する例を示す。
【０６０５】
図４４（Ａ）は、図４３（Ａ）、（Ｂ−１）、（Ｂ−２）に示す一点鎖線Ｘ１−Ｘ２、Ｘ３−Ｘ４、Ｘ５−Ｘ６、Ｘ７−Ｘ８、Ｘ９−Ｘ１０、Ｘ１１−Ｘ１２における断面図である。図４４（Ｂ）〜（Ｄ）は、それぞれ、表示装置６００に用いることができるトランジスタの構成例である。
【０６０６】
図４４（Ａ）では、外光を反射する強度を制御して第１の表示素子６５０（ｉ，ｊ）が表示をする方向を、破線の矢印で示す。また、図４４（Ａ）では、第２の表示素子６４０（ｉ，ｊ）が表示をする方向を、実線の矢印で示す。このように、第２の表示素子６４０（ｉ，ｊ）は、第１の表示素子６５０（ｉ，ｊ）が表示をする方向と同一の方向に表示をすることができる。
【０６０７】
図４４（Ａ）に示すように、駆動回路ＧＤは、トランジスタＭＤを有する。
【０６０８】
図４４（Ａ）に示すように、画素６０２（ｉ，ｊ）は、第１の表示素子６５０（ｉ，ｊ）、第２の表示素子６４０（ｉ，ｊ）、第１の導電層６８１、第２の導電層６８２、絶縁層６２１、及び画素回路６３０（ｉ，ｊ）を有する。図４４（Ａ）では、画素回路６３０（ｉ，ｊ）のうち、トランジスタＭ及びスイッチＳＷ１を示す。
【０６０９】
第１の表示素子６５０（ｉ，ｊ）は、第１の電極６５１（ｉ，ｊ）、第２の電極６５２、及び液晶材料を含む層６５３を有する。第２の電極６５２は、第１の電極６５１（ｉ，ｊ）との間に液晶材料の配向を制御する電界が形成されるように配置される。
【０６１０】
表示装置６００は、配向膜ＡＦ１及び配向膜ＡＦ２を有することが好ましい。液晶材料を含む層６５３は、配向膜ＡＦ２と配向膜ＡＦ１との間に位置する。
【０６１１】
第１の表示素子６５０（ｉ，ｊ）は、入射する光を反射する機能を備える反射層を有する。また、第１の表示素子６５０（ｉ，ｊ）は、反射する光の強さを制御する機能を有する。反射層は、開口部６５１Ｈを備える。図４４（Ａ）では、第１の電極６５１（ｉ，ｊ）が光を透過する導電層と、光を反射する導電層と、を積層して有する例を示す。なお、第１の電極６５１（ｉ，ｊ）とは別に反射層を設けてもよい。
【０６１２】
図４４（Ａ）に示すように、第１の電極６５１（ｉ，ｊ）の側端部は、絶縁層６２１に埋め込まれている。
【０６１３】
第２の表示素子６４０（ｉ，ｊ）には、発光素子を用いることができる。第２の表示素子６４０（ｉ，ｊ）は、第３の電極６４１（ｉ，ｊ）、第４の電極６４２、及び発光性の物質を含む層６４３（ｊ）を有する。絶縁層６６８は、第３の電極６４１（ｉ，ｊ）の端部を覆う。第３の電極６４１（ｉ，ｊ）の周縁に沿って形成される絶縁層６６８は、第３の電極６４１（ｉ，ｊ）と第４の電極６４２の短絡を防止することができる。
【０６１４】
第２の表示素子６４０（ｉ，ｊ）は、開口部６５１Ｈに向けて光を射出する機能を有する。
【０６１５】
第２の表示素子６４０（ｉ，ｊ）は、第１の表示素子６５０（ｉ，ｊ）が表示をする領域に囲まれた領域に表示をすることができる（図４３（Ｂ−１）、（Ｂ−２））。第１の表示素子６５０（ｉ，ｊ）は、第１の電極６５１（ｉ，ｊ）と重なる領域に表示をし、第２の表示素子６４０（ｉ，ｊ）は、開口部６５１Ｈと重なる領域に表示をする。
【０６１６】
第１の導電層６８１は、第１の表示素子６５０（ｉ，ｊ）と電気的に接続される。図４４（Ａ）では、第１の導電層６８１と、第１の電極６５１（ｉ，ｊ）と、が電気的に接続される例を示す。第１の導電層６８１は、単層構造又は積層構造とすることができる。第１の導電層６８１は、第１の電極６５１（ｉ，ｊ）として機能してもよい。
【０６１７】
第２の導電層６８２は、第１の導電層６８１と重なる領域を備える。第２の導電層６８２は、単層構造又は積層構造とすることができる。
【０６１８】
絶縁層６２１は、第２の導電層６８２と第１の導電層６８１の間に挟まれる領域を備える。
【０６１９】
領域６９１ｃにおいて、第２の導電層６８２は、第１の導電層６８１と電気的に接続される。
【０６２０】
第２の導電層６８２は、画素回路６３０（ｉ，ｊ）と電気的に接続される。図４４（Ａ）では、第２の導電層６８２と、導電層６１２ｂと、が電気的に接続されている。
【０６２１】
導電層６１２ａ及び導電層６１２ｂは、一方が、スイッチＳＷ１であるトランジスタのソースとして機能し、他方がドレインとして機能する。導電層６１２ａは、信号線Ｓ１（ｊ）と電気的に接続される。または、導電層６１２ａは、信号線Ｓ１（ｊ）の一部ともいえる（図４１及び図４４（Ａ））。
【０６２２】
第１の表示素子６５０（ｉ，ｊ）が有する第１の電極６５１（ｉ，ｊ）は、第１の導電層６８１及び第２の導電層６８２を介して、スイッチＳＷ１が有する導電層６１２ｂと電気的に接続されている。つまり、第１の表示素子６５０（ｉ，ｊ）は、画素回路６３０（ｉ，ｊ）と電気的に接続されている。なお、第１の表示素子６５０（ｉ，ｊ）と、画素回路６３０（ｉ，ｊ）とを電気的に接続させる方法は、これに限定されない。例えば、第１の電極６５１（ｉ，ｊ）と、導電層６１２ｂと、を、第１の導電層６８１又は第２の導電層６８２の一方を介して、電気的に接続してもよい。または、第１の電極６５１（ｉ，ｊ）と、導電層６１２ｂと、を、直接接続してもよい。
【０６２３】
トランジスタＭが有するソース又はドレインの一方は、配線ＡＮＯと電気的に接続される。第２の表示素子６４０（ｉ，ｊ）が有する第３の電極６４１（ｉ，ｊ）は、接続部６６２において、トランジスタＭが有するソース又はドレインの他方と電気的に接続される。これにより、第２の表示素子６４０（ｉ，ｊ）は、画素回路６３０（ｉ，ｊ）と電気的に接続される。トランジスタＭは、絶縁層６６１を介して、第３の電極６４１（ｉ，ｊ）と重なる。
【０６２４】
また、表示装置６００は、導電層６１９ｂと、導電層６１１ｂと、を有する（図４４（Ａ））。
【０６２５】
絶縁層６２１は、導電層６１９ｂ及び導電層６１１ｂの間に挟まれる領域を備える。
【０６２６】
導電層６１９ｂは、領域６９１ｂにおいて導電層６１１ｂと電気的に接続される。また、導電層６１１ｂは、画素回路６３０（ｉ，ｊ）と電気的に接続される。
【０６２７】
導電層６１９ｂは、接続体ＡＣＦを介して、フレキシブルプリント回路基板（ＦＰＣと記す）と電気的に接続される。これにより、導電層６１９ｂを介して、画素回路に、電力又は信号を供給することができる。図４４（Ａ）では、導電層６１９ｂのＦＰＣとの接続部が、表示装置６００の表示面側に位置する例を示すが、表示面とは反対側の面に位置してもよい。
【０６２８】
画素６０２（ｉ，ｊ）は、さらに、着色層ＣＦ、遮光層ＢＭ、絶縁層６７１、及び機能膜６７０を有する。
【０６２９】
着色層ＣＦは、第１の表示素子６５０（ｉ，ｊ）と重なる領域を備える。遮光層ＢＭは、第１の表示素子６５０（ｉ，ｊ）と重なる領域に開口部を備える。
【０６３０】
着色層ＣＦは、第２の表示素子６４０（ｉ，ｊ）と重なる領域を備える。遮光層ＢＭは、第２の表示素子６４０（ｉ，ｊ）と重なる領域に開口部を備える。
【０６３１】
絶縁層６７１は、着色層ＣＦと液晶材料を含む層６５３の間、又は遮光層ＢＭと液晶材料を含む層６５３の間に配設される。これにより、着色層ＣＦの厚さに基づく凹凸を平坦にすることができる。または、遮光層ＢＭもしくは着色層ＣＦ等から液晶材料を含む層６５３への不純物の拡散を、抑制することができる。
【０６３２】
機能膜６７０は、第１の表示素子６５０（ｉ，ｊ）と重なる領域を備える。機能膜６７０は、第２の表示素子６４０（ｉ，ｊ）と重なる領域を備える。機能膜６７０は、第１の表示素子６５０（ｉ，ｊ）との間に基板６９０を挟むように配設される。
【０６３３】
第２の表示素子６４０（ｉ，ｊ）は、接着層６０５及び基板６１０によって、封止されている。第２の表示素子６４０（ｉ，ｊ）の封止方法は、これに限られない。例えば、ガスバリア性の高い絶縁膜で、第２の表示素子６４０（ｉ，ｊ）を覆うことができる。この場合、接着層６０５及び基板６１０を設けなくてもよい。
【０６３４】
基板６９０は、基板６１０と重なる領域を備える。機能層６６０は、基板６１０及び基板６９０の間に配設される。機能層６６０は、画素回路６３０（ｉ，ｊ）、第２の表示素子６４０（ｉ，ｊ）、絶縁層６１６、絶縁層６１８、絶縁層６２１、絶縁層６６１、及び絶縁層６６８を含む。接着層６９５は、機能層６６０と基板６９０を貼り合わせる機能を有する。構造体ＫＢは、機能層６６０と基板６９０の間に所定の間隙を設ける機能を備える。
【０６３５】
基板６９０の厚さは薄いことが好ましい。例えば、基板６９０には、厚さ０．２ｍｍ又は０．１ｍｍまで研磨された無アルカリガラスを好適に用いることができる。
【０６３６】
表示装置６００は、導電層６１９ａと、導電層６１１ａと、導電体ＣＰと、を有する。
【０６３７】
絶縁層６２１は、導電層６１９ａと導電層６１１ａとの間に挟まれる領域を備える。
【０６３８】
導電層６１９ａは、領域６９１ａにおいて導電層６１１ａと電気的に接続される。また、導電層６１１ａは、画素回路６３０（ｉ，ｊ）と電気的に接続される。
【０６３９】
導電体ＣＰは、導電層６１９ａと第２の電極６５２の間に挟まれ、導電層６１９ａと第２の電極６５２を電気的に接続する。例えば、導電性の粒子を導電体ＣＰに用いることができる。
【０６４０】
以下に、表示装置に用いることができる材料の一例を挙げる。なお、表示装置が有する基板、接着層、トランジスタ、発光素子、導電層、絶縁層、着色層、及び遮光層に用いることができる材料は、それぞれ、実施の形態３の記載を参照することができるため、詳細な説明は省略する。
【０６４１】
第１の表示素子６５０（ｉ，ｊ）には、光の反射又は透過を制御する機能を備える表示素子を用いることができる。例えば、液晶素子と偏光板を組み合わせた構成、又はシャッター方式のＭＥＭＳ表示素子等を用いることができる。反射型の表示素子を用いることにより、表示パネルの消費電力を抑制することができる。具体的には、反射型の液晶表示素子を第１の表示素子６５０（ｉ，ｊ）に用いることができる。
【０６４２】
ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０６４３】
また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０６４４】
例えば、サーモトロピック液晶、低分子液晶、高分子液晶、高分子分散型液晶、強誘電性液晶、反強誘電性液晶等を用いることができる。または、コレステリック相、スメクチック相、キュービック相、カイラルネマチック相、等方相等を示す液晶材料を用いることができる。または、ブルー相を示す液晶材料を用いることができる。
【０６４５】
反射層には、可視光を反射する材料を用いる。反射層には、例えば、銀を含む材料、銀及びパラジウムを含む材料、又は銀及び銅等を含む材料などを用いることができる。
【０６４６】
反射層は、液晶材料を含む層６５３を透過した光を反射することができる。
【０６４７】
反射層は、表面に凹凸を有していてもよい。これにより、入射する光を様々な方向に反射して、白色の表示をすることができる。
【０６４８】
第１の電極６５１（ｉ，ｊ）を反射層に用いてもよい。または、液晶材料を含む層６５３と第１の電極６５１（ｉ，ｊ）の間に反射層を配置してもよい。または、反射層と液晶材料を含む層６５３の間に、透光性を有する第１の電極６５１（ｉ，ｊ）を配置してもよい。
【０６４９】
開口部６５１Ｈの総面積は適宜設定することができる。非開口部の総面積に対する開口部６５１Ｈの総面積の比の値が小さいと、第１の表示素子６５０（ｉ，ｊ）を用いた表示を明るくできる。また、非開口部の総面積に対する開口部６５１Ｈの総面積の比の値が大きいと、第２の表示素子６４０（ｉ，ｊ）を用いた表示を明るくできる。いずれの表示素子を用いた表示でも十分な明るさが得られるように、開口部６５１Ｈの面積を決定することが好ましい。
【０６５０】
また、開口部６５１Ｈの面積が小さいと、液晶材料を含む層６５３に加わる電界を均一にでき、第１の表示素子６５０（ｉ，ｊ）の表示品位の低下を抑制できる。開口部６５１Ｈの面積が大きいと、第２の表示素子６４０（ｉ，ｊ）が射出する光の、表示装置の外部に取り出す効率を高めることができる。
【０６５１】
開口部６５１Ｈの形状は、特に限定されず、例えば、四角形等の多角形、楕円形、円形、十字、細長い筋状、スリット状、市松模様状とすることができる。開口部６５１Ｈを隣接する画素に寄せて配置してもよい。好ましくは、同じ色の副画素に開口部６５１Ｈを寄せて配置する。これにより、第２の表示素子６４０（ｉ，ｊ）が射出する光が隣接する他の色の副画素に配置された着色層に入射してしまう現象（クロストークともいう）を抑制できる。
【０６５２】
第２の電極６５２には、可視光を透過する導電材料を用いることができる。例えば、第２の電極６５２には、インジウムを含む導電性酸化物等の導電性酸化物を用いることができる。または、第２の電極６５２には、光が透過する程度に薄い（例えば、厚さ１ｎｍ以上１０ｎｍ以下）金属膜を用いることができる。または、第２の電極６５２には、銀を含むナノワイヤなどの、金属ナノワイヤを用いることができる。
【０６５３】
具体的には、第２の電極６５２には、酸化インジウム、インジウム錫酸化物、インジウム亜鉛酸化物、酸化亜鉛、ガリウムを添加した酸化亜鉛、アルミニウムを添加した酸化亜鉛などを用いることができる。
【０６５４】
構造体ＫＢには、有機材料、無機材料、又は、有機材料と無機材料の複合材料を用いることができる。構造体ＫＢは、スペーサとしての機能を有する。また、構造体ＫＢとして、粒状のスペーサを用いてもよい。粒状のスペーサとしては、シリカ、又は、樹脂もしくはゴムなどの弾性を有する材料を用いることが好ましい。粒状のスペーサは上下方向に潰れた形状となる場合がある。
【０６５５】
配向膜ＡＦ１及び配向膜ＡＦ２には、例えば、ポリイミド等を用いることができる。所定の方向に配向するようにラビング処理又は光配向技術を用いて形成されることが好ましい。例えば、可溶性のポリイミドを含む膜を配向膜ＡＦ１又は配向膜ＡＦ２に用いることができる。
【０６５６】
機能膜６７０には、偏光板、位相差板、拡散フィルム、反射防止膜、又は集光フィルム等を用いることができる。または、２色性色素を含む偏光板を機能膜６７０に用いることができる。また、ゴミの付着を抑制する帯電防止膜、汚れを付着しにくくする撥水性の膜、使用に伴う傷の発生を抑制するハードコート膜等を、機能膜６７０に用いることができる。
【０６５７】
表示装置は、１種又は複数種の構成のトランジスタを有する。例えば、表示装置には、図４４（Ｂ）〜（Ｄ）に示す構成のトランジスタの少なくとも一つを適用することができる。
【０６５８】
図４４（Ｂ）に示すスイッチＳＷ１は、導電層６０４、絶縁層６０６、半導体層６０８、導電層６１２ａ、及び導電層６１２ｂを有する。導電層６０４は、ゲートとして機能する。導電層６１２ａ及び導電層６１２ｂのうち、一方がソースとして機能し、他方がドレインとして機能する。絶縁層６０６は、ゲート絶縁層として機能する。スイッチＳＷ１は、図４４（Ｂ）に示す構成に限られず、図４４（Ｃ）、（Ｄ）に示す構成であってもよい。
【０６５９】
図４４（Ｃ）に示すトランジスタＭ及びトランジスタＭＤは、導電層６０４、絶縁層６０６、半導体層６０８、導電層６１２ａ、導電層６１２ｂ、及び導電層６２４を有する。導電層６０４は、ゲートとして機能する。導電層６１２ａ及び導電層６１２ｂのうち、一方がソースとして機能し、他方がドレインとして機能する。絶縁層６０６は、ゲート絶縁層として機能する。導電層６２４は、バックゲートとして機能する。導電層６２４と半導体層６０８の間には、絶縁層６１６が位置する。導電層６２４及び導電層６０４は、半導体層６０８を介して重なる部分を有する。導電層６２４は、絶縁層６１６と絶縁層６１８の間に位置する。トランジスタＭ及びトランジスタＭＤは、同一の構成であってもよいし、異なる構成であってもよい。例えば、トランジスタＭ及びトランジスタＭＤは、それぞれ、図４４（Ｂ）〜（Ｄ）に示す構成のいずれかとすることができる。図４４（Ａ）に示すトランジスタＭにおいて、導電層６０４の幅は、導電層６２４の幅よりも狭いが、これに限られない。図４４（Ａ）に示すトランジスタＭＤにおいて、導電層６０４の幅は、導電層６２４の幅よりも広いが、これに限られない。
【０６６０】
図４４（Ｄ）に示すトランジスタは、導電層６０４、絶縁層６０６、半導体層６０８、導電層６１２ａ、及び導電層６１２ｂを有する。導電層６０４は、ゲートとして機能する。絶縁層６０６は、ゲート絶縁層として機能する。
【０６６１】
半導体層６０８は、導電層６０４と重ならない第１の領域６０８ａ及び第２の領域６０８ｂを有する。半導体層６０８は、さらに、第１の領域６０８ａ及び第２の領域６０８ｂの間の第３の領域６０８ｃを有する。第３の領域６０８ｃは、導電層６０４と重なる。
【０６６２】
第１の領域６０８ａ及び第２の領域６０８ｂは、第３の領域６０８ｃに比べて抵抗率が低く、一方がソース領域として機能し、他方がドレイン領域として機能する。第１の領域６０８ａは、導電層６１２ａと電気的に接続される。第２の領域６０８ｂは、導電層６１２ｂと電気的に接続される。
【０６６３】
実施の形態１等で説明した通り、本発明の一態様の電子機器は、表示パネルと蓄電装置を重ねて有する。図４５に、表示パネルと薄型の二次電池を重ねた場合の断面図の一例を示す。図４５に示す表示パネルは、図４４（Ａ）に示した表示装置６００と同様の構成であり、図４５に示す薄型の二次電池は、図１４（Ａ）に示した電池ユニット５００と同様の構成である。
【０６６４】
図４５では、表示パネルが有する基板６１０と電池ユニットが有する外装体５０９が接する例を示したが、本発明の一態様はこれに限られない。表示パネルと電池ユニットは接着剤等により、互いに固定されていてもよい。また、表示パネルと電池ユニットの間に、回路基板等を有していてもよい。
【０６６５】
本実施の形態は、他の実施の形態と適宜組み合わせることができる。
【符号の説明】
【０６６６】
ＡＦ１    配向膜
ＡＦ２    配向膜
Ｃ１    容量素子
Ｃ２    容量素子
Ｇ１    走査線
Ｇ２    走査線
Ｓ１    信号線
Ｓ２    信号線
ＳＷ１    スイッチ
ＳＷ２    スイッチ
ＶＣＯＭ１    配線
ＶＣＯＭ２    配線
１０    表示パネル
１１    発光素子
１２ａ    端子
１２ｂ    端子
１３    表示素子
１５    表示部
１５ａ    表示部
１５ｂ    表示部
１５ｃ    表示部
２０    蓄電装置
２１ａ    電極
２１ｂ    電極
３０    回路
３１    アンテナ
３２    コントローラ
３３ａ    端子
３３ｂ    端子
３４    端子
３５    電子部品
４０    封止体
４１    封止領域
４１ａ    封止領域
４１ｂ    封止領域
４２    空間
４５    配線
５０    回路
５１    スイッチ
５２ａ    端子
５２ｂ    端子
５３ａ    配線
５３ｂ    配線
５５    回路基板
６８    アンテナ
７０    領域
９１    留め具
９３    開口
９５    封止部
９７    バンド
１００    電子機器
１００ａ    電子機器
１００ｂ    電子機器
１００ｃ    電子機器
１００ｄ    電子機器
１００ｅ    電子機器
１０１    電子機器
１０１ａ    電子機器
１０１ｂ    電子機器
１０１ｃ    電子機器
１０１ｄ    電子機器
１０１ｅ    電子機器
１５０    要素
１５０ａ    要素
１５０ｂ    要素
１５１    要素
１５１ａ    要素
１５１ｂ    要素
１５１ｃ    要素
１５５    バンド
２００    二次電池
２０３    セパレータ
２０３ａ    領域
２０３ｂ    領域
２０７    外装体
２１１    正極
２１１ａ    正極
２１５    負極
２１５ａ    負極
２２０    封止層
２２１    正極リード
２２５    負極リード
２３０    電極組立体
２３１    電極組立体
２５０    二次電池
２８１    タブ領域
２８２    タブ領域
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７ＢＭ    遮光層
３６７ｐ    反射防止層
３６７Ｒ    着色層
３８０Ｂ    発光モジュール
３８０Ｇ    発光モジュール
３８０Ｒ    発光モジュール
３９０    タッチパネル
５００    電池ユニット
５０１    正極集電体
５０２    正極活物質層
５０３    正極
５０４    負極集電体
５０５    負極活物質層
５０６    負極
５０７    セパレータ
５０８    電解液
５０９    外装体
５１０    正極リード
５１１    負極リード
５２１    表示部
５２５    タッチパネル
５２５Ｂ    タッチパネル
５２９    ＦＰＣ
５８９    絶縁層
５９０    可撓性基板
５９１    電極
５９２    電極
５９３    絶縁層
５９４    配線
５９５    タッチセンサ
５９７    接着層
５９８    配線
５９９    接続層
６００    表示装置
６０２    画素
６０４    導電層
６０５    接着層
６０６    絶縁層
６０８    半導体層
６０８ａ    領域
６０８ｂ    領域
６０８ｃ    領域
６１０    基板
６１１ａ    導電層
６１１ｂ    導電層
６１２ａ    導電層
６１２ｂ    導電層
６１６    絶縁層
６１８    絶縁層
６１９ａ    導電層
６１９ｂ    導電層
６２１    絶縁層
６２４    導電層
６３０    画素回路
６４０    第２の表示素子
６４１    第３の電極
６４２    第４の電極
６４３    発光性の物質を含む層
６５０    第１の表示素子
６５１    第１の電極
６５１Ｈ    開口部
６５２    第２の電極
６５３    液晶材料を含む層
６６０    機能層
６６１    絶縁層
６６２    接続部
６６８    絶縁層
６７０    機能膜
６７１    絶縁層
６８１    第１の導電層
６８２    第２の導電層
６９０    基板
６９１ａ    領域
６９１ｂ    領域
６９１ｃ    領域
６９５    接着層
７０１    可撓性基板
７０３    接着層
７０３ａ    接着層
７０３ｂ    接着層
７０５    絶縁層
７１１    可撓性基板
７１３    接着層
７１５    絶縁層
７２３    電極
７２６    絶縁層
７２８    絶縁層
７２９    絶縁層
７４２    半導体層
７４３    電極
７４４ａ    電極
７４４ｂ    電極
７４６    電極
７４７ａ    開口
７４７ｂ    開口
７４７ｃ    開口
７４７ｄ    開口
７７１    基板
７７２    絶縁層
８０４    発光部
８０６    駆動回路部
８０８    ＦＰＣ
８１４    導電層
８１５    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３３    ＥＬ層
８３５    上部電極
８４５    着色層
８４７    遮光層
８４８    トランジスタ
８４９    オーバーコート
８５６    導電層
８５７    導電層
８５７ａ    導電層
８５７ｂ    導電層
【図１】
2017032975.tif 000003
【図２】
2017032975.tif 000004
【図３】
2017032975.tif 000005
【図４】
2017032975.tif 000006
【図５】
2017032975.tif 000007
【図６】
2017032975.tif 000008
【図７】
2017032975.tif 000009
【図８】
2017032975.tif 000010
【図９】
2017032975.tif 000011
【図１０】
2017032975.tif 000012
【図１１】
2017032975.tif 000013
【図１２】
2017032975.tif 000014
【図１３】
2017032975.tif 000015
【図１４】
2017032975.tif 000016
【図１５】
2017032975.tif 000017
【図１６】
2017032975.tif 000018
【図１７】
2017032975.tif 000019
【図１８】
2017032975.tif 000020
【図１９】
2017032975.tif 000021
【図２０】
2017032975.tif 000022
【図２１】
2017032975.tif 000023
【図２２】
2017032975.tif 000024
【図２３】
2017032975.tif 000025
【図２４】
2017032975.tif 000026
【図２５】
2017032975.tif 000027
【図２６】
2017032975.tif 000028
【図２７】
2017032975.tif 000029
【図２８】
2017032975.tif 000030
【図２９】
2017032975.tif 000031
【図３０】
2017032975.tif 000032
【図３１】
2017032975.tif 000033
【図３２】
2017032975.tif 000034
【図３３】
2017032975.tif 000035
【図３４】
2017032975.tif 000036
【図３５】
2017032975.tif 000037
【図３６】
2017032975.tif 000038
【図３７】
2017032975.tif 000039
【図３８】
2017032975.tif 000040
【図３９】
2017032975.tif 000041
【図４０】
2017032975.tif 000042
【図４１】
2017032975.tif 000043
【図４２】
2017032975.tif 000044
【図４３】
2017032975.tif 000045
【図４４】
2017032975.tif 000046
【図４５】
2017032975.tif 000047